(57)【要約】【課題】遊技者の興味を惹きつけることが可能な予告演出を実現し、遊技興趣の向上を図る。【解決手段】変動序盤予告として、３種類の基本予告種のうちの何れか１種類を実行する場合と、３種類の基本予告種のうちの何れか１種類と３種類の背景予告種のうちの何れか１種類とを並行して実行する場合と、３種類の基本予告種のうちの何れか２種類を並行して実行する場合とがある。これにより、一の変動表示の開始当初に実行可能な変動序盤予告の多様化を図り、遊技者の興味を惹きつけることが可能となる。特に、２種類の予告演出が複合する場合の態様として、２種類の基本予告を主予告と副予告とに区別して、これら主予告と副予告が複合する特異な態様（複合予告）を設ける。これにより、同時期に実行される２種類の基本予告（主予告と副予告）に遊技者の興味を惹きつけて、遊技興趣を向上させることが可能となる。【選択図】図４３
2020005696.tif 000002
【特許請求の範囲】
【請求項１】
所定条件の成立に基づいて識別情報の変動表示を行い、前記識別情報の変動表示の表示結果が特定表示結果となることに基づいて、遊技者に所定の利益を付与し得る特別遊技が実行可能となる遊技機であって、
前記識別情報の変動表示に関する予告演出を実行可能な予告演出実行手段を備え、
前記予告演出として、少なくとも、第１予告演出と第２予告演出を有し、
前記予告演出実行手段は、前記識別情報の変動表示中に前記第１予告演出と前記第２予告演出を実行可能であり、
前記第１予告演出と前記第２予告演出が同時期に実行される場合がある
ことを特徴とする遊技機。
【請求項２】
前記予告演出実行手段は、前記識別情報の変動表示中に前記第１予告演出と前記第２予告演出を実行する場合、前記第１予告演出と前記第２予告演出をそれぞれ異なる時期に開始可能である
ことを特徴とする請求項１に記載の遊技機。
【請求項３】
前記第１予告演出と前記第２予告演出が同時期に実行される場合、前記第２予告演出の方が前記第１予告演出よりも先に終了する
ことを特徴とする請求項１または請求項２に記載の遊技機。
【請求項４】
前記第１予告演出および前記第２予告演出は、前記識別情報の変動表示の表示結果が特定表示結果となる可能性を示唆するものであり、
前記第１予告演出と前記第２予告演出が同時期に実行される場合、前記第１予告演出が示唆する前記可能性と、前記第２予告演出が示唆する前記可能性とが異なる
ことを特徴とする請求項１から請求項３の何れか一項に記載の遊技機。
【請求項５】
予告演出パターンを複数記憶する予告演出パターン記憶手段と、
前記予告演出実行手段が予告演出を実行する場合に、該実行する予告演出の演出パターンを、前記予告演出パターン記憶手段に記憶された予告演出パターンの中から選択する予告演出パターン選択手段と、を備え、
前記予告演出実行手段は、前記予告演出パターン選択手段により選択された予告演出パターンに基づいて予告演出を実行するものであり、
前記予告演出パターン選択手段は、前記予告演出実行手段が前記識別情報の変動表示中に前記第１予告演出と前記第２予告演出を実行する場合、前記第１予告演出の予告演出パターンを選択するとともに、該選択した予告演出パターンに基づいて前記第２予告演出の予告演出パターンを選択する
ことを特徴とする請求項１から請求項４の何れか一項に記載の遊技機。
【請求項６】
前記予告演出パターン記憶手段に記憶される予告演出パターンのうち特定の予告演出パターンには、前記第１予告演出に対応するパターンと前記第２予告演出に対応するパターンとがある
ことを特徴とする請求項５に記載の遊技機。
【請求項７】
前記第１予告演出および前記第２予告演出は、前記識別情報の変動表示中であって該変動表示の開始から所定期間が経過するまでに実行可能な予告演出である
ことを特徴とする請求項１から請求項６の何れか一項に記載の遊技機。
【発明の詳細な説明】
【技術分野】
【０００１】
本発明は、遊技機に関し、特にパチンコ遊技機等に適用することができる。
【背景技術】
【０００２】
従来、所定条件の成立に基づいて識別情報の変動表示を行い、当該変動表示の表示結果が特定表示結果になると、遊技者に所定の利益が付与され得る特別遊技が実行可能となる遊技機が広く知られている。この種の遊技機では、識別情報の変動表示中に、遊技者の期待感を高めるための様々な演出を行うことで、遊技興趣の向上が図られている。当該演出として、例えば、現在実行中の識別情報の変動表示や後に実行されることが決まっている識別情報の変動表示に関し、表示結果が特定表示結果となる期待度（信頼度）を示唆したり、表示結果が導出されるまでの変動態様（リーチ演出の有無、リーチ演出の種類、発展有無など）を示唆したりする予告演出が知られている（例えば特許文献１を参照）。
【先行技術文献】
【特許文献】
【０００３】
【特許文献１】特開２００２−２３９１２２号公報
【発明の概要】
【発明が解決しようとする課題】
【０００４】
前述のような予告演出は、既に多くの遊技機に採用されており、予告演出に対する興味が薄れやすく、遊技興趣の向上に繋がり難いという問題があった。
【０００５】
本発明は、上記事情に鑑みてなされたものであり、その目的とするところは、遊技者の興味を惹きつけることが可能な予告演出を実現し、遊技興趣の向上を図ることにある。
【課題を解決するための手段】
【０００６】
前述の課題を解決するために、本発明は以下の構成を採用した。
すなわち、手段１の遊技機は、
所定条件の成立に基づいて識別情報の変動表示を行い、前記識別情報の変動表示の表示結果が特定表示結果となることに基づいて、遊技者に所定の利益を付与し得る特別遊技が実行可能となる遊技機であって、
前記識別情報の変動表示に関する予告演出を実行可能な予告演出実行手段を備え、
前記予告演出として、少なくとも、第１予告演出と第２予告演出を有し、
前記予告演出実行手段は、前記識別情報の変動表示中に前記第１予告演出と前記第２予告演出を実行可能であり、
前記第１予告演出と前記第２予告演出が同時期に実行される場合がある
ことを要旨とする。
【０００７】
手段１の遊技機では、識別情報の変動表示に関する予告演出として、少なくとも、第１予告演出と第２予告演出を有しており、識別情報の変動表示中に第１予告演出と第２予告演出が実行可能であって、夫々の予告演出が同時期に実行される場合があるものとなっている。これにより、同時期に実行される夫々の予告演出に遊技者の興味を惹きつけることが可能となり、延いては遊技興趣を向上させることが可能となる。
【０００８】
尚、「第１予告演出と第２予告演出が同時期に実行される場合」の「同時期」とは、第１予告演出と第２予告演出の夫々の実行時期の一部または全部が重なったり、一方の予告演出の実行期間内に他方の予告演出の実行期間が収まったりする等、第１予告演出の実行時期と第２予告演出の実行時期とが重なることを意味する。
【０００９】
手段２の遊技機は、前述した手段１の遊技機において、
前記予告演出実行手段は、前記識別情報の変動表示中に前記第１予告演出と前記第２予告演出を実行する場合、前記第１予告演出と前記第２予告演出をそれぞれ異なる時期に開始可能である
ことを要旨とする。
【００１０】
手段２の遊技機では、識別情報の変動表示中に第１予告演出と第２予告演出を実行する場合、第１予告演出と第２予告演出をそれぞれ異なる時期に開始可能となっている。これにより、識別情報の変動表示中における第１予告演出と第２予告演出の開始時期にバラツキを持たせることが可能となり、夫々の予告演出に遊技者の興味を惹きつけることが可能となる。
【００１１】
手段３の遊技機は、前述した手段１または手段２の遊技機において、
前記第１予告演出と前記第２予告演出が同時期に実行される場合、前記第２予告演出の方が前記第１予告演出よりも先に終了する
ことを要旨とする。
【００１２】
手段３の遊技機では、識別情報の変動表示中に第１予告演出と第２予告演出が同時期に実行される場合、第２予告演出の方が第１予告演出よりも先に終了するものとなっている。これにより、遊技者にしてみれば、予告演出の終期の違いにより第１予告演出と第２予告演出の区別が可能となるため、同時期に実行される夫々の予告演出に遊技者の興味を惹きつけることが可能となる。
【００１３】
手段４の遊技機は、前述した手段１から手段３の何れか一つの遊技機において、
前記第１予告演出および前記第２予告演出は、前記識別情報の変動表示の表示結果が特定表示結果となる可能性を示唆するものであり、
前記第１予告演出と前記第２予告演出が同時期に実行される場合、前記第１予告演出が示唆する前記可能性と、前記第２予告演出が示唆する前記可能性とが異なる
ことを要旨とする。
【００１４】
手段４の遊技機では、第１予告演出および第２予告演出が、識別情報の変動表示の表示結果が特定表示結果となる可能性（信頼度）を示唆するものとなっており、第１予告演出と第２予告演出が同時期に実行される場合、第１予告演出が示唆する信頼度と、第２予告演出が示唆する信頼度とが異なるものとなっている。これにより、同時期に実行される夫々の予告演出に遊技者の興味を惹きつけることが可能となる。
【００１５】
手段５の遊技機は、前述した手段１から手段４の何れか一つの遊技機において、
予告演出パターンを複数記憶する予告演出パターン記憶手段と、
前記予告演出実行手段が予告演出を実行する場合に、該実行する予告演出の演出パターンを、前記予告演出パターン記憶手段に記憶された予告演出パターンの中から選択する予告演出パターン選択手段と、を備え、
前記予告演出実行手段は、前記予告演出パターン選択手段により選択された予告演出パターンに基づいて予告演出を実行するものであり、
前記予告演出パターン選択手段は、前記予告演出実行手段が前記識別情報の変動表示中に前記第１予告演出と前記第２予告演出を実行する場合、前記第１予告演出の予告演出パターンを選択するとともに、該選択した予告演出パターンに基づいて前記第２予告演出の予告演出パターンを選択する
ことを要旨とする。
【００１６】
手段５の遊技機では、予告演出の実行に際し、該実行する予告演出の演出パターンを、予告演出パターン記憶手段に記憶された複数の予告演出パターンの中から選択し、該選択した予告演出パターンに基づいて予告演出を実行するものとなっている。そして、識別情報の変動表示中に第１予告演出と第２予告演出を実行する場合、第１予告演出の予告演出パターンを選択するとともに、該選択した第１予告演出の予告演出パターンに基づいて、第２予告演出の予告演出パターンを選択するものとなっている。これにより、識別情報の変動表示中に第１予告演出と第２予告演出を実行する場合の夫々の予告演出パターンを適切にすることが可能となる。
【００１７】
手段６の遊技機は、前述した手段５の遊技機において、
前記予告演出パターン記憶手段に記憶される予告演出パターンのうち特定の予告演出パターンには、前記第１予告演出に対応するパターンと前記第２予告演出に対応するパターンとがある
ことを要旨とする。
【００１８】
手段６の遊技機では、予告演出パターン記憶手段に記憶される予告演出パターンのうち特定の予告演出パターンには、第１予告演出に対応するパターンと第２予告演出に対応するパターンとが設けられている。このため、特定の予告演出パターンについては、第１予告演出として実行される場合と、第２予告演出として実行される場合とがある。これにより、識別情報の変動表示中に実行される予告演出に遊技者の興味を惹きつけることが可能となる。
【００１９】
手段７の遊技機は、前述した手段１から手段６の何れか一つの遊技機において、
前記第１予告演出および前記第２予告演出は、前記識別情報の変動表示中であって該変動表示の開始から所定期間が経過するまでに実行可能な予告演出である
ことを要旨とする。
【００２０】
手段７の遊技機では、第１予告演出および第２予告演出が、識別情報の変動表示中であって該変動表示の開始から所定期間が経過するまでに実行可能な予告演出となっている。これにより、変動表示の開始当初の興趣を向上させることが可能となる。
【発明の効果】
【００２１】
以上の本発明によれば、遊技者の興味を惹きつけることが可能な予告演出を実現して、遊技興趣の向上を図ることが可能となる。
【図面の簡単な説明】
【００２２】
【図１】本発明の実施例に係る遊技機の正面図である。
【図２】本発明の実施例に係る遊技機の裏面図である。
【図３】本発明の実施例に係る遊技盤の構成を示す正面図である。
【図４】図３に示す主表示器の拡大図であり、同遊技機が備える表示器類を示す図である。
【図５】同遊技機の電気的な構成を示すブロック図である。
【図６】大当りの種別と大入賞口の開放パターンとの対応等を示す表である。
【図７】遊技制御用マイコンが取得する各種乱数を示す表である。
【図８】（Ａ）は大当り判定テーブルであり、（Ｂ）は大当り種別判定テーブルであり、（Ｃ）は普通図柄当り判定テーブルであり、（Ｄ）は普通図柄変動パターン選択テーブルである。
【図９】変動パターンテーブルである。
【図１０】主制御メイン処理のフローチャートである。
【図１１】メイン割り込み処理のフローチャートである。
【図１２】始動口センサ検知処理のフローチャートである。
【図１３】始動入球時処理のフローチャートである。
【図１４】普図動作処理のフローチャートである。
【図１５】普通図柄待機処理のフローチャートである。
【図１６】普通図柄当否判定処理のフローチャートである。
【図１７】普通図柄乱数シフト処理のフローチャートである。
【図１８】普通図柄変動中処理のフローチャートである。
【図１９】普通図柄確定処理のフローチャートである。
【図２０】普通電動役物処理のフローチャートである。
【図２１】特図動作処理のフローチャートである。
【図２２】特別図柄待機処理のフローチャートである。
【図２３】特図２当否判定処理のフローチャートである。
【図２４】特図２変動パターン選択処理のフローチャートである。
【図２５】特図２変動パターン選択処理のフローチャートである。
【図２６】特図２乱数シフト処理のフローチャートである。
【図２７】特図１当否判定処理のフローチャートである。
【図２８】特図１変動パターン選択処理のフローチャートである。
【図２９】特図１変動パターン選択処理のフローチャートである。
【図３０】特図１乱数シフト処理のフローチャートである。
【図３１】特別図柄変動中処理のフローチャートである。
【図３２】特別図柄確定処理のフローチャートである。
【図３３】特別電動役物処理（大当り遊技）のフローチャートである。
【図３４】遊技状態設定処理のフローチャートである。
【図３５】保留球数処理のフローチャートである。
【図３６】電源断監視処理のフローチャートである。
【図３７】サブ制御メイン処理のフローチャートである。
【図３８】受信割り込み処理のフローチャートである。
【図３９】２ｍｓタイマ割り込み処理のフローチャートである。
【図４０】１０ｍｓタイマ割り込み処理のフローチャートである。
【図４１】受信コマンド解析処理のフローチャートである。
【図４２】変動演出開始処理のフローチャートである。
【図４３】変動序盤予告設定処理のフローチャートである。
【図４４】（ａ）は基本予告振り分けテーブルであり、（ｂ）は背景予告決定テーブルであり、（ｃ）はコメント予告決定テーブルであり、（ｄ）はステップアップ予告決定テーブルであり、（ｅ）は画面歪み予告決定テーブルである。
【図４５】（ａ）は主予告決定テーブルであり、（ｂ）は副予告決定テーブルＡであり、（ｃ）は副予告決定テーブルＢである。
【図４６】（ａ）はコメント予告の演出表示態様の一例を示す図であり、（ｂ）はステップアップ予告の演出表示態様の一例を示す図である。
【図４７】画面歪み予告の演出表示態様の一例を示す図である。
【図４８】（ａ）はコメント予告のタイムチャートであり、（ｂ）はコメント予告のタイムチャートであり、（ｃ）は画面歪み予告のタイムチャートである。
【図４９】主予告が画面歪み予告（消失パターン）であり副予告がコメント予告またはステップアップ予告である場合の複合予告のタイムチャートである。
【発明を実施するための形態】
【００２３】
次に、本発明の実施の形態を、実施例を用いて説明する。以下では、遊技に用いる遊技媒体が遊技球とされ、当該遊技球を遊技盤面に向けて発射することで遊技を進行させることが可能なパチンコ遊技機（弾球遊技機）に、本発明を適用した例を説明する。尚、以下の実施例に係るパチンコ遊技機は、始動口への遊技球の入球に基づいて特別図柄の変動表示を行い、当該特別図柄の変動表示の終了に伴い大当り図柄が停止表示されると、遊技者に所定量の遊技利益（例えば、賞球）が付与され得る大当り遊技（特別遊技）が実行可能となる所謂「１種タイプ」のパチンコ遊技機である。
【００２４】
また、以下の説明において、単に前側（前方）とは、遊技機を正面視した場合の手前側（遊技時に遊技者が位置する側）のことであり、単に後側（後方）とは、遊技機を正面視した場合の裏面側（背面側）のことである。また、単に上側（上方）、下側（下方）、左側（左方）、右側（右方）とは、遊技機を正面視した場合の上・下・左・右の各方向のことであり、例えば、図１や図３における上側、下側、左側、右側を指す。
【実施例】
【００２５】
図１〜図３に示すように、本実施例のパチンコ遊技機１は、遊技機枠５０と、遊技機枠５０内に取り付けられた遊技盤２とを備えており、遊技盤２は遊技機枠５０から着脱自在に構成されている。図３は、遊技盤２を遊技機枠５０から取り外した状態のものを示す。遊技機枠５０は、装飾面を有する前面枠５１と、遊技盤２等を取り付ける本体枠５２と、パチンコ遊技機１をホールの島設備に取り付けるための外枠５３と、を有して構成されており、前面枠５１、本体枠５２及び外枠５３は、一側端側で軸支され夫々開閉可能に構成されている。
【００２６】
また、前面枠５１には、遊技者の操作量（回転角度）に応じた発射強度で遊技球を発射させるための発射ハンドル６０、遊技球を貯留し貯留した遊技球を発射装置側に供給可能な打球供給皿（上皿）６１、及び打球供給皿６１に収容しきれない遊技球を貯留する余剰球受皿（下皿）６２が設けられている。さらに、前面枠５１には、遊技の進行に伴って実行される遊技演出の実行中などに遊技者が操作可能な第１演出ボタン６３ａ、第２演出ボタン６３ｂ（これら２個の演出ボタンを総称して単に「演出ボタン６３」ともいう）や、遊技の状況に応じて様々な光を発することが可能な装飾用の枠ランプ６６、遊技の状況に応じて様々な音（効果音）を発することが可能なスピーカ６７等も設けられている。
【００２７】
演出ボタン６３は、遊技者による入力が可能な入力手段として機能するもので、遊技演出の種類に応じて使用する演出ボタンを使い分けることができる。例えば、遊技演出の実行中に第１演出ボタン６３ａまたは第２演出ボタン６３ｂを操作すると、当該操作に基づいて所定の操作対応演出が行われる。尚、演出ボタン６３の構成は本実施例の態様に限らず、遊技者が入力を行うことができるものであれば足り、例えば、遊技者が直接ボタン部に接触して入力を行う入力手段（例えば、出没式、タッチセンサ式等）であってもよいし、遊技者の身体の一部が近接したことを検知して入力を行う非接触式の入力手段（光電式等）であってもよい。また、演出ボタンが、上方や手前側に突出したり振動したりする等の演出動作を行うもの（可動式の演出操作手段）であってもよい。
【００２８】
遊技盤２には、発射ハンドル６０の操作により発射された遊技球が流下する遊技領域３が、レール部材４で囲まれて形成されている。遊技領域３には、遊技球を誘導する複数の遊技釘１６が突設されており、レール部材４の先端には、球戻り防止片６が設けられている。球戻り防止片６は、一旦遊技領域へ誘導された遊技球を発射装置側へ戻るのを防止するためのものである。また、遊技盤２には、遊技の状況に応じて様々な光を発することが可能な装飾用の盤面ランプ５（図５を参照）も設けられている。
【００２９】
遊技領域３の中央付近には、液晶表示装置からなる画像表示装置７（演出表示装置）が設けられている。画像表示装置７の表示画面７ａには、演出図柄８Ｌ，８Ｃ，８Ｒ（単に「演出図柄８」ともいう）が表示される演出図柄表示領域７ｂ（「演出図柄表示部」ともいう）が設けられており、当該演出図柄８Ｌ，８Ｃ，８Ｒは、後述の第１特別図柄の変動表示及び第２特別図柄の変動表示に同期して変動表示を行う。変動表示の態様としては、例えば上下、左右、斜め方向等にスクロール表示する態様がある。演出図柄表示領域７ｂは、例えば「左」「中」「右」の３つの図柄表示エリアからなり、左の図柄表示エリアには左演出図柄８Ｌが表示され、中の図柄表示エリアには中演出図柄８Ｃが表示され、右の図柄表示エリアには右演出図柄８Ｒが表示される。尚、左・中・右の図柄表示エリアの位置は夫々区別して設ける必要はなく、左・中・右の演出図柄の表示エリアをそれぞれ図柄表示エリア（演出図柄表示領域７ｂ）の全体としてもよい。
【００３０】
本実施例の演出図柄８Ｌ，８Ｃ，８Ｒ（識別情報）は、それぞれ「１」〜「９」までの数字図柄（識別情報種、図柄種）からなるもので、これらの数字図柄が順に表示されるものとなっている。具体的に、演出図柄８の変動表示は、「１」→「２」・・・「８」→「９」の順（昇順）で演出図柄を縦方向（本例では上から下）にスクロール表示させることによって行われるものとなっており、「９」まで到達したら「１」に戻って、スクロール表示を変動終了（停止表示）まで繰り返すものとなっている。また、本実施例では、「１」〜「９」の図柄のそれぞれに色の情報を含ませており、各図柄を色によって分類できるものとしている。具体的には、奇数図柄である「３」と「７」を赤色の図柄（以下「赤図柄」ともいう。）としており、これ以外の奇数図柄である「１」、「５」、「９」を緑色の図柄（以下「緑図柄」ともいう。）としている。また、偶数図柄である「２」、「４」、「６」、「８」を青色の図柄（以下「青図柄」ともいう。）としている。
【００３１】
演出図柄表示領域７ｂに停止表示される左、中、右の演出図柄の組み合わせ（停止表示態様）によって、後述の第１特別図柄表示器４１ａ（「第１特別図柄表示部」ともいう）に表示される第１特別図柄の変動表示の結果や、第２特別図柄表示器４１ｂ（「第２特別図柄表示部」ともいう）に表示される第２特別図柄の変動表示の結果、つまり、特別図柄当否判定（単に「当否判定」ともいう）の結果を、遊技者が認識し易いように表示する。本実施例では、変動表示している３つの演出図柄８Ｌ，８Ｃ，８Ｒが停止表示する順序（停止順序）を、原則、「左→右→中」としている。すなわち、停止順が１番目の停止図柄を左演出図柄８Ｌとし、停止順が２番目の停止図柄を右演出図柄８Ｒとし、停止順が３番目（最後）の停止図柄を中演出図柄８Ｃとしている。尚、停止順が１番目の停止図柄のことを「第１停止図柄」ともいい、停止順が２番目の停止図柄のことを「第２停止図柄」ともいい、停止順が３番目の停止図柄のことを「第３停止図柄」や「最終停止図柄」ともいう。
【００３２】
また、第１特別図柄、第２特別図柄、演出図柄のいずれかを指して単に「図柄」や「識別情報」ともいう。さらに、普通図柄のことを「普図」や「普通識別情報」、特別図柄のことを「特図」、第１特別図柄のことを「特図１」や「第１特図」、第２特別図柄のことを「特図２」や「第２特図」ともいう。また、演出図柄８を表示する画像表示装置７や第１特別図柄を表示する後述の第１特別図柄表示器４１ａ、第２特別図柄を表示する第２特別図柄表示器４１ｂのことを「識別情報表示手段」ともいう。
【００３３】
例えば、特別図柄当否判定の結果が大当りとなり、その大当りの種別が１６Ｒ大当りや６Ｒ大当り等になった場合には、「２２２」や「７７７」などの３桁同一のゾロ目（特定態様、特定表示結果）で演出図柄を停止表示することが可能である。また、特別図柄当否判定の結果が外れとなった場合には「６３７」や「３７３」などの３つの図柄のうち少なくとも１つの図柄が異なるバラケ目（非特定態様、非特定表示結果）で演出図柄を停止表示することが可能である。これにより、遊技者は停止表示した演出図柄を見ることで、遊技の進行状況を容易に把握することが可能となる。つまり遊技者は、一般的には特別図柄当否判定の結果を第１特別図柄表示器４１ａや第２特別図柄表示器４１ｂに表示される特別図柄を見て直接的に把握するのではなく、演出図柄表示領域７ｂに表示される演出図柄を見て把握する。
【００３４】
ここで、演出図柄８の停止表示態様（図柄組み合わせ）のうち、特別図柄当否判定の結果が大当りの場合に対応する停止表示態様（本実施例ではゾロ目）のことを「大当り態様」、「特定態様」または「特定表示結果」ということがあり、特別図柄当否判定の結果が外れの場合に対応する停止表示態様（本実施例ではバラケ目）のことを「外れ態様」、「非特定態様」または「非特定表示結果」ということがある。また、演出図柄８の停止表示態様は、演出図柄８の変動表示の結果を示すものであるといえることから、当該演出図柄８の停止表示態様のことを「結果表示態様」ということがある。
【００３５】
画像表示装置７の表示画面７ａ上では、前述のような演出図柄を用いた遊技演出（演出図柄遊技演出）を表示するほか、大当り遊技に伴って実行される大当り遊技演出（特別遊技演出）や、客待ち用のデモ演出などの他の遊技演出が表示される。演出図柄遊技演出や大当り遊技演出やデモ演出では、数字等の演出図柄のほか、背景画像やキャラクタ画像などの演出図柄以外の演出画像も表示される。尚、演出図柄遊技演出のことを「変動演出」ともいう。
【００３６】
また、画像表示装置７の表示画面７ａには、後述の第１特図保留の記憶数に応じて第１演出保留９ａを表示する第１演出保留表示領域９ｃ（第１演出保留表示部）と、後述の第２特図保留の記憶数に応じて第２演出保留９ｂを表示する第２演出保留表示領域９ｄ（第２演出保留表示部）とが設けられている（図３を参照）。第１演出保留や第２演出保留の表示態様（表示数）により、後述の第１特図保留表示器４３ａにて表示される第１特図保留の記憶数や第２特図保留表示器４３ｂにて表示される第２特図保留の記憶数を、遊技者にわかりやすく示すことができる。さらに、本実施例の画像表示装置７の表示画面７ａには、現在変動している特別図柄（第１特別図柄または第２特別図柄）に対応する演出保留、すなわち、消化された特図保留に対応する演出保留（第１演出保留９ａまたは第２演出保留９ｂ）を表示する変動保留表示領域９ｅが設けられている（図３を参照）。
【００３７】
遊技領域３の中央付近であって画像表示装置７の前方には、表示画面７ａ（演出図柄表示領域７ｂ）を取り囲むセンター装飾体１０が設けられている。センター装飾体１０は、プラスチック製（樹脂製）の成型物によって構成されるもので、中央が開口した枠状の部品（盤部品）として、遊技盤２の表面（前面）に取り付けられるものである。当該センター装飾体１０の中央開口を介して画像表示装置７の表示画面７ａが視認可能となる。
【００３８】
センター装飾体１０の下部には、遊技球が転動可能な遊技球転動面を有するステージ部１１が設けられており、センター装飾体１０の左部には、中空状のワープ部１２が設けられている。ワープ部１２にはワープ入口とワープ出口とが設けられており、遊技領域３（左遊技領域３Ａ）を流下する遊技球をワープ入口から受け入れてワープ出口から排出することで、当該遊技球をステージ部１１へ誘導する。ステージ部１１の転動面に誘導された遊技球は、ステージ部１１に誘導されない遊技球と比して高い可能性で、後述の第１始動口２０に入球可能とされている。また、センター装飾体１０の上部には、ＬＥＤ等の電飾部材（盤面ランプ５）を有し遊技状態に応じて点灯・点滅等が可能であって、文字や図形等を象った装飾部材１３が配されている。
【００３９】
センター装飾体１０の後方には、遊技演出に伴って動作可能な可動装飾部材１４（可動役物）が設けられている。可動装飾部材１４は、普段、センター装飾体１０を構成する枠（フレーム）に隠れており、全体を視認できない状態となっているが、例えば、大当りの可能性が比較的高い遊技演出の実行に伴って表示画面７ａの前面側に出現し、その大部分を視認することができるようになる。これにより、遊技者は大当りへの期待感を高めることとなる。
【００４０】
ここで、特図保留に応じた演出保留９ａ，９ｂを表示することが可能な演出保留表示領域９ｃ，９ｄのことを「演出保留表示手段」ともいい、遊技状況に応じた種々の演出画像を表示することで表示演出を行うことが可能な画像表示装置７のことを「表示演出手段」ともいい、遊技演出に伴って動作することで可動演出を行うことが可能な可動装飾部材１４のことを「可動演出手段」ともいう。尚、可動装飾部材１４以外にも、例えば、演出ボタン６３が遊技演出に伴って上下動や振動等する場合、演出ボタン６３も「可動演出手段」といえる。また、遊技の状況に応じて様々な音（効果音）を発することで音演出を行うことが可能なスピーカ６７のことを「音演出手段」ともいい、遊技の状況に応じて様々な光を発することで光演出を行うことが可能な盤面ランプ５、枠ランプ６６および装飾部材１３のことを「光演出手段」ともいう。尚、これら盤面ランプ５等以外にも、例えば、演出ボタン６３や発射ハンドル６０が、装飾部材１３と同様にＬＥＤ等の電飾部材を内蔵しており、電飾部材の作用により遊技の状況に応じて点灯・点滅等する場合、これら演出ボタン６３や発射ハンドル６０も「光演出手段」といえる。さらに、これら「演出保留表示手段」、「表示演出手段」、「可動演出手段」、「音演出手段」および「光演出手段」を総じて「演出手段」ともいう。
【００４１】
遊技領域３における画像表示装置７の下方には、遊技球の入球し易さが変化しない非可変式の第１始動口２０を備える固定入賞装置１９が設けられている。第１始動口２０への遊技球の入球に基づいて、特別図柄当否判定用乱数等が取得され、予め定められた所定条件が成立すると第１特別図柄に係る当否判定（第１特別図柄当否判定）が実行されると共に第１特別図柄が変動表示され、当否判定の結果に基づいて停止表示される。
【００４２】
第１始動口２０の下方には、遊技球の入球し易さが変化する可変式の第２始動口２１を備える可変入賞装置２２（「可変式始動口」ともいう）が設けられている。第２始動口２１への遊技球の入球に基づいて、特別図柄当否判定用乱数等が取得され、予め定められた所定条件が成立すると第２特別図柄の当否判定（第２特別図柄当否判定）が実行されると共に第２特別図柄が変動表示され、当否判定の結果に基づいて停止表示される。
【００４３】
尚、特別図柄当否判定の結果が「大当り」であることに基づいて行われる特別図柄の変動表示や演出図柄の変動表示のことを「大当り変動」や「特定変動」ともいい、特別図柄当否判定の結果が「外れ」であることに基づいて行われる特別図柄の変動表示や演出図柄の変動表示のことを「外れ変動」や「非特定変動」ともいう。
【００４４】
可変入賞装置２２は可動部材２３を備え、可動部材２３の動作によって第２始動口２１を開閉するものである。この開閉動作によって、第２始動口２１は、第１の態様（閉状態）から当該第１の態様よりも遊技球の入球可能性が高い第２の態様（開状態）へと変化可能である。つまり、可動部材２３は、所定の動作（開閉動作）を行うことで、第２始動口２１への遊技球の入球可能性を変化させるものである。この可動部材２３は、第２始動口ソレノイド２４（図５参照）により駆動される。本実施例では、第２始動口２１は、可動部材２３が開状態にあるときだけ遊技球が入球可能とされ、可動部材２３が閉状態にあるときには遊技球が入球不能となっている。尚、第２始動口２１は、可動部材２３が閉状態にあるときは開状態にあるときよりも遊技球が入球困難となるものであれば、可動部材２３が閉状態にあるときに完全に入球不能となるものでなくてもよい。
【００４５】
遊技領域３における第１始動口２０の右方には、大入賞口３０（「可変入球口」ともいう）を備えた大入賞装置３１が設けられている。大入賞装置３１は、開閉部材３２を備え、開閉部材３２の作動により大入賞口３０を開閉するものである。開閉部材３２は、大入賞口ソレノイド３３（図５参照）により駆動される。大入賞口３０は、開閉部材３２が開状態にあるときだけ遊技球が入球可能となる。すなわち、大入賞口３０（大入賞装置３１）は、開閉部材３２の開閉動作により、遊技球が入球不能な入球不能状態（閉状態）と遊技球が入球可能な入球可能状態（開状態）とに変化可能である。尚、大入賞口３０または大入賞装置３１のことを「アタッカー」ともいう。
【００４６】
遊技領域３のうち右側領域には、遊技球が通過可能なゲート２８（遊技球通過口）が設けられている。ゲート２８への遊技球の通過に基づいて、普通図柄当否判定用乱数等が取得され、予め定められた所定条件が成立すると、第２始動口２１を開状態とするか否かを判定する普通図柄当否判定が実行されると共に普通図柄が変動表示され、普通図柄当否判定の結果に基づいて停止表示される。当り普通図柄が停止表示すると、第２始動口２１は開状態となる。さらに、遊技領域３の下部には、複数の一般入賞口２７が設けられている。第１始動口２０、第２始動口２１、大入賞口３０および一般入賞口２７は、それぞれ賞球の払い出し契機となる入球口であり、各入球口に遊技球が入球した場合には、夫々の入球口において予め定められた数の遊技球（賞球）が払い出される。具体的には、第１始動口２０の賞球数は「５」、第２始動口２１の賞球数は「３」、大入賞口３０の賞球数は「１５」、一般入賞口２７の賞球数は「１０」としている。
【００４７】
このように複数の入球口（第１始動口２０、第２始動口２１、大入賞口３０、一般入賞口２７及びゲート２８）等が配されている遊技領域３を、左右方向の中央より左側の左遊技領域（第１領域）３Ａと、右側の右遊技領域（第２領域）３Ｂと、に分けることができる。左遊技領域３Ａを遊技球が流下するように遊技球を発射する打方を「左打ち」といい、右遊技領域３Ｂを遊技球が流下するように遊技球を発射する打方を「右打ち」という。ここで、複数の入球口のうち、第１始動口２０および左一般入賞口２７は、遊技領域３のうち左遊技領域３Ａを流下する遊技球が入球可能となるように設けてあり、第２始動口２１、大入賞口３０、右一般入賞口２７およびゲート２８は、遊技領域３のうち右遊技領域３Ｂを流下する遊技球が入球可能となるように設けてある。このため、本パチンコ遊技機１では、遊技開始の際には、原則、左打ちにて第１始動口２０への入球を狙う。一方、第１始動口２０への入球に基づく当否判定において大当りとなり遊技状態が特別遊技状態等に変化した際には、原則、右打ちにてゲート２８、第２始動口２１、大入賞口３０への入球を狙うこととなる。
【００４８】
また、図３および図４に示すように、遊技盤２の右下部には主表示器４０が配置されている。主表示器４０には、第１特別図柄を変動表示および停止表示する第１特別図柄表示器４１ａ（第１特別図柄表示部）と、第２特別図柄を変動表示および停止表示する第２特別図柄表示器４１ｂ（第２特別図柄表示部）と、普通図柄を変動表示および停止表示する普通図柄表示器４２（普通図柄表示部）と、が含まれている。また、主表示器４０には、第１特別図柄に係る当否判定情報（第１特図保留）の記憶数を表示する第１特図保留表示器４３ａと、第２特別図柄に係る当否判定情報（第２特図保留）の記憶数を表示する第２特図保留表示器４３ｂと、普通図柄表示器４２の作動保留（普図保留）の記憶数を表示する普図保留表示器４４と、が含まれている。さらに、主表示器４０には、第１特別図柄当否判定または第２特別図柄当否判定の結果が当りになったことを示す当り表示器４８と、第１特別図柄当否判定または第２特別図柄当否判定の結果が大当りになった場合に実行される大当り遊技のラウンド数を示すラウンド表示器４５と、確率変動機能が作動することを示す遊技状態表示器４６と、遊技球の発射方向、すなわち右打ちを行うべき状態（例えば後述の高ベース状態）か左打ちを行うべき状態（例えば後述の低ベース状態）かを示す発射方向表示器４７と、が含まれている。主表示器４０に含まれるこれらの各種表示器は、後述の主制御部によって表示制御される。
【００４９】
第１特別図柄の変動表示は、第１始動口２０への遊技球の入球に基づいて行われる。第２特別図柄の変動表示は、第２始動口２１への遊技球の入球に基づいて行われる。尚、以下の説明では、第１特別図柄および第２特別図柄を総称して特別図柄ということがある。また、第１特別図柄表示器４１ａおよび第２特別図柄表示器４１ｂを総称して特別図柄表示部４１ということがある。また、第１特図保留表示器４３ａおよび第２特図保留表示器４３ｂを総称して特図保留表示部４３ということがある。
【００５０】
特別図柄表示部４１では、特別図柄（識別情報）を所定時間変動表示した後に停止表示し、停止表示された特別図柄（停止図柄）によって第１始動口２０または第２始動口２１への入球に基づく抽選（特別図柄当否判定、大当り抽選）の結果を報知する。停止表示される特別図柄は、特別図柄当否判定によって複数種類の特別図柄の中から選択された一つの特別図柄である。停止図柄が予め定めた大当り図柄（特定特別図柄、特定識別情報）である場合、すなわち、特別図柄の停止表示の態様（特別図柄の変動表示の表示結果）が大当りを示す特定態様（特定表示結果）である場合には、停止表示された大当り図柄の種類に応じた開放パターンにて大入賞口３０を開放させる大当り遊技（特別遊技）が行われる。大当り遊技における大入賞口の開放パターンについては後述する。
【００５１】
特別図柄の停止表示は、所定の停止表示時間（確定表示時間）が経過するまで行われる。そして、停止表示された特別図柄が外れ図柄（外れ態様、非特定態様）であって、当該停止表示の際に特図保留が記憶されている場合には、停止表示時間が経過すると、記憶順の最も古い（最先の）特図保留が消化され、これにより次の特別図柄の変動表示が開始される。また、停止表示された特別図柄が外れ図柄であって、当該停止表示の際に特図保留が記憶されていない場合には、停止表示時間が経過した後も、特別図柄の停止表示状態が維持される。一方、停止表示された特別図柄が大当り図柄である場合には、停止表示時間が経過すると、後述する大当り遊技のオープニング期間に移行し、当該オープニング期間を経て大当り遊技の１ラウンド目が開始される。尚、特別図柄の停止表示時間は「０．５秒〜１.０秒」とされるのが一般的で、本実施例では「０．６秒」としている。
【００５２】
図４に示すとおり、第１特別図柄表示器４１ａは、「ｉ〜ｐ」で示す８個のＬＥＤで構成されており、第１特別図柄当否判定の結果に応じた特別図柄を表示する。本実施例では、第１特別図柄当否判定の結果として「１６Ｒ第１大当り」、「６Ｒ第２大当り」および「６Ｒ第３大当り」の３種類の大当りが設けられており（図８を参照）、第１特別図柄表示器４１ａのＬＥＤは、それら３種類の大当りの各々に応じた表示態様（特定態様、特定表示結果）を採ることが可能となっている。具体的には、第１特別図柄当否判定の結果が１６Ｒ第１大当りとなった場合には「ｉｊｎ」の３個のＬＥＤを点灯させて残りを消灯させ（１６Ｒ第１大当り図柄）、６Ｒ第２大当りとなった場合には「ｉｎｏ」の３個のＬＥＤを点灯させて残りを消灯させ（６Ｒ第２大当り図柄）、６Ｒ第３大当りとなった場合には「ｉｎｐ」の３個のＬＥＤを点灯させて残りを消灯させる（６Ｒ第３大当り図柄）。また、外れとなった場合には、「ｌｏ」の２個のＬＥＤを点灯させて残りを消灯させる（外れ図柄）。
【００５３】
また、第２特別図柄表示器４１ｂは、「ａ〜ｈ」で示す８個のＬＥＤで構成されており、第２特別図柄当否判定の結果に応じた特別図柄を表示する。本実施例では、第２特別図柄当否判定の結果として「１６Ｒ第４大当り」および「１６Ｒ第５大当り」の２種類の大当りが設けられており（図８を参照）、第２特別図柄表示器４１ｂのＬＥＤは、それら２種類の大当りの各々に応じた表示態様（特定態様、特定表示結果）を採ることが可能となっている。具体的には、第２特別図柄当否判定の結果が１６Ｒ第４大当りとなった場合には「ａｂｄ」の３個のＬＥＤを点灯させて残りを消灯させ（１６Ｒ第４大当り図柄）、１６Ｒ第５大当りとなった場合には「ａｂｇ」の３個のＬＥＤを点灯させて残りを消灯させる（１６Ｒ第５大当り図柄）。また、外れとなった場合には、「ｅｈ」の２個のＬＥＤを点灯させて残りを消灯させる（外れ図柄）。
【００５４】
尚、特別図柄の停止表示態様（停止図柄）や大当りの種類（ラウンド数の種類、大当りの数など）は、これらに限定されるものではなく、任意に設定することができる。また、特別図柄が停止表示される前には所定の変動時間にわたって特別図柄の変動表示がなされるが、その変動表示の態様は、例えば、予め定められた順序で光が左から右へ繰り返し流れるように各ＬＥＤを点灯させる態様とすることができる。
【００５５】
本パチンコ遊技機１では、第１始動口２０または第２始動口２１への遊技球の入球があると、その入球に基づいて特別図柄当否判定用乱数等の各種情報（「取得情報」ともいう）を取得し、取得した各種情報は、主制御部のＲＡＭに形成される特図保留記憶部（図示せず）に一旦記憶される。詳細には、第１始動口２０への入球であれば第１特図保留として第１特図保留記憶部（図示せず）に記憶され、第２始動口２１への入球であれば第２特図保留として第２特図保留記憶部（図示せず）に記憶される。各々の特図保留記憶部に記憶可能な特図保留（取得情報）の数は所定数までとされており、本実施例におけるその上限値はそれぞれ「４」となっている。これら第１特図保留記憶部および第２特図保留記憶部を、夫々「第１取得情報記憶手段」および「第２取得情報記憶手段」ともいい、総じて「取得情報記憶手段」ともいう。
【００５６】
特図保留記憶部に記憶された特図保留は、その特図保留に基づく特別図柄の変動表示が可能となったときに消化される。特図保留の消化とは、その特図保留に対応する特別図柄当否判定用乱数等を判定して、その判定結果を示すための特別図柄の変動表示を実行することをいう。従って、本パチンコ遊技機１では、第１始動口２０または第２始動口２１への遊技球の入球に基づく特別図柄の変動表示がその入球時にすぐに実行できない場合、すなわち特別図柄の変動表示の実行中や特別遊技の実行中である場合であっても、所定数（本実施例では４）を上限として、その入球に対する特別図柄当否判定の権利を留保することが可能となっている。
【００５７】
特図保留記憶部に記憶された特図保留の数は、第１特図保留表示器４３ａおよび第２特図保留表示器４３ｂに表示される。具体的には、第１特図保留表示器４３ａは「ｕｖ」の２個のＬＥＤで構成されており、第１特図保留の数に応じてＬＥＤを表示制御することにより、第１特図保留の数を表示するものとなっている。例えば、保留数が「０」の場合は「ｕ□ｖ□」（例えば、□：消灯、●：赤点灯、▲：緑点灯とする）というように両ＬＥＤを消灯する表示態様とし、保留数が「１」の場合は「ｕ□ｖ●」というように「ｕ」のＬＥＤを消灯し「ｖ」のＬＥＤを赤色で点灯させる表示態様とし、保留数が「２」の場合は「ｕ●ｖ□」というように「ｕ」のＬＥＤを赤色で点灯させ「ｖ」のＬＥＤを消灯する表示態様とし、保留数が「３」の場合は「ｕ●ｖ●」というように両方のＬＥＤを赤色で点灯させる表示態様とし、保留数が「４（上限数）」の場合は「ｕ▲ｖ▲」というように両方のＬＥＤを緑色で点灯させ表示態様とすることができる。
【００５８】
また、第２特図保留表示器４３ｂは「ｗｘ」の２個のＬＥＤで構成されており、第２特図保留の数に応じてＬＥＤを表示制御することにより、第２特図保留の数を表示するものである。例えば、保留数が「０」の場合は「ｗ□ｘ□」（例えば、□：消灯、●：赤点灯、▲：緑点灯とする）というように両ＬＥＤを消灯する表示態様とし、保留数「１」〜「４」についても第１特図保留表示器４３ａと同様に定められている。
【００５９】
普通図柄の変動表示は、ゲート２８への遊技球の通過を契機として行われる。普通図柄表示器４２では、普通図柄を所定時間変動表示した後、停止表示し、停止表示された普通図柄（停止図柄）によって、ゲート２８への遊技球の通過に基づく普通図柄当否判定の結果を報知する。停止表示される普通図柄は、普通図柄当否判定によって複数種類の普通図柄の中から選択された一つの普通図柄である。停止表示された普通図柄が予め定めた特定普通図柄（当り普通図柄）である場合には、現在の遊技状態に応じた開放パターンにて第２始動口２１を開放させる補助遊技が行われる。尚、第２始動口２１の開放パターンについては後述する。
【００６０】
具体的には、図４に示す通り、普通図柄表示器４２は「ｓｔ」の２個のＬＥＤから構成されており、その点灯態様によって普通図柄当否判定の結果に応じた普通図柄を表示するものである。例えば、判定結果が当りである場合には、「ｓ■ｔ■」（例えば、■：点灯、□：消灯とする）というように両ＬＥＤが点灯した当り普通図柄を停止表示する。また判定結果が外れである場合には、「ｓ□ｔ■」というように「ｔ」のＬＥＤのみが点灯した態様の外れ普通図柄を表示する。尚、外れ普通図柄は、特定普通図柄ではない。普通図柄が停止表示される前には予め定められた所定の変動時間にわたって普通図柄の変動表示が実行されるが、その変動表示の態様は、例えば両ＬＥＤが交互に点灯・消滅を繰り返す態様である。
【００６１】
本パチンコ遊技機１では、ゲート２８への遊技球の通過があると、その通過に基づいて普通図柄当否判定用乱数等の各種情報（「取得情報」ともいう）を取得し、取得した各種情報は主制御部のＲＡＭに形成される普図保留記憶部（図示せず）に普図保留として一旦記憶される。普図保留記憶部に記憶可能な普図保留の数は所定数までとされており、本実施例におけるその上限値は「４」となっている。普図保留記憶部に記憶された普図保留は、その普図保留に基づく普通図柄の変動表示が可能となったときに消化される。普図保留の消化とは、その普図保留に対応する普通図柄当否判定用乱数を判定して、その判定結果を示すための普通図柄の変動表示を実行することをいう。従って、本パチンコ遊技機１では、ゲート２８への遊技球の通過に基づく普通図柄の変動表示がその通過時にすぐ実行できない場合、すなわち普通図柄の変動表示の実行中や補助遊技の実行中である場合であっても、所定個数を上限として、その通過に対する普通図柄当否判定の権利を留保することが可能となっている。
【００６２】
普図保留記憶部に記憶された普図保留の数は、普図保留表示器４４に表示される。具体的には、普図保留表示器４４は「ｑｒ」の２個のＬＥＤで構成されており、普図保留の数に応じてＬＥＤを点灯させることにより普図保留の数を表示するものである。例えば、保留数が「０」の場合は「ｑ□ｒ□」（例えば、□：消灯、●：赤点灯、▲：緑点灯とする）というように両ＬＥＤを消灯する表示態様とし、保留数が「１」の場合は「ｑ□ｒ●」というように「ｑ」のＬＥＤを消灯し「ｒ」のＬＥＤを赤色で点灯させる表示態様とすることができる。また、保留数「２」〜「４」についても第１特図保留表示器４３ａと同様に定められている。
【００６３】
次に図２及び図５に基づいて、本パチンコ遊技機１における電気的な構成を説明する。本実施例のパチンコ遊技機１は、特別図柄当否判定や普通図柄当否判定や遊技状態の移行など、遊技進行や遊技利益に関する制御を行う主制御基板８０（「主制御部」ともいい「遊技制御部」ともいう）、遊技の進行に伴って実行する演出に関する制御を行うサブ制御基板９０（「サブ制御部」ともいい「演出制御部」ともいう）、遊技球の払い出しに関する制御を行う払出制御基板１１０（「払出制御部」ともいう）、画像表示装置７や演出表示器１０２、演出第１特図保留表示器１０３ａおよび演出第２特図保留表示器１０３ｂ等の表示制御を行う画像制御基板１００（画像制御部）等を備えている。
【００６４】
また、図２に示すように、パチンコ遊技機１の後面側（裏面側）の略中央部には主制御基板８０を収納した主制御基板収納ケースが設けられ、この主制御基板ケースの上方には、音声制御基板１０６、ランプ制御基板１０７及び画像制御基板１００を収納した画像制御基板等収納ケースが設けられ、その画像制御基板等収納ケース上にはサブ制御基板９０を収納したサブ制御基板収納ケースが設けられている。また、主制御基板ケースの下方左側には、払出制御基板を収納する払出制御基板ケースが設けられ、その右側には、電源基板１０９を収納する電源基板ケースが設けられている。
【００６５】
主制御基板８０には、プログラムに従ってパチンコ遊技機１の遊技の進行を制御する遊技制御用ワンチップマイコン（以下「遊技制御用マイコン」）８１が実装されている。遊技制御用マイコン８１には、遊技の進行を制御するためのプログラム等を記憶したＲＯＭ、ワークメモリとして使用されるＲＡＭ、ＲＯＭに記憶されたプログラムを実行するＣＰＵが含まれている。遊技制御用マイコン８１は、入出力回路８７（Ｉ／Ｏポート部）を介して他の基板等とデータ（情報）の送受信を行う。入出力回路８７は、遊技制御用マイコン８１に内蔵されていてもよい。また、ＲＯＭは外付けであってもよい。遊技制御用マイコン８１のＲＡＭには、前述した特図保留記憶部（第１特図保留記憶部及び第２特図保留記憶部）と普図保留記憶部とが設けられている。また、主制御基板８０（遊技制御用マイコン８１）のＲＡＭ（主制御ＲＡＭ）の所定アドレスには、各種フラグや各種計数カウンタに用いるための記憶領域が確保されている。
【００６６】
主制御基板８０には、中継基板８８を介して各種センサやソレノイドが接続されている。そのため、主制御基板８０には各センサから信号が入力され、各ソレノイドには主制御基板８０から信号が出力される。具体的には、遊技球を検知可能なセンサ類として、第１始動口センサ２０ａ、第２始動口センサ２１ａ、ゲートセンサ２８ａ、大入賞口センサ３０ａおよび一般入賞口センサ２７ａが接続されている。これら各種センサのことを「検知センサ」や「検知手段」ともいう。
【００６７】
第１始動口センサ２０ａは、第１始動口２０内に設けられて第１始動口２０に入球した遊技球を検知するものである。第２始動口センサ２１ａは、第２始動口２１内に設けられて第２始動口２１に入球した遊技球を検知するものである。ゲートセンサ２８ａは、ゲート２８内に設けられてゲート２８を通過した遊技球を検知するものである。大入賞口センサ３０ａは、大入賞口３０内に設けられて大入賞口３０に入球した遊技球を検知するものである。一般入賞口センサ２７ａは、各一般入賞口２７内にそれぞれ設けられて一般入賞口２７に入球した遊技球を検知するものである。
【００６８】
また、ソレノイド類としては、第２始動口ソレノイド２４および大入賞口ソレノイド３３が接続されている。これら各種ソレノイドを「駆動手段」ともいう。第２始動口ソレノイド２４は、可変入賞装置２２の可動部材２３を駆動するためのものである。大入賞口ソレノイド３３は、大入賞装置３１の開閉部材３２を駆動するためのものである。
【００６９】
さらに、主制御基板８０には、第１特別図柄表示器４１ａ、第２特別図柄表示器４１ｂ、普通図柄表示器４２、第１特図保留表示器４３ａ、第２特図保留表示器４３ｂ、普図保留表示器４４、ラウンド表示器４５、遊技状態表示器４６、発射方向表示器４７および当り表示器４８が接続されている。すなわち、これらの主表示器４０の表示制御は、遊技制御用マイコン８１によりなされる。
【００７０】
また、主制御基板８０は、払出制御基板１１０に各種コマンドを送信するとともに、払い出し監視のために払出制御基板１１０から信号を受信する。払出制御基板１１０には、賞球や貸球を払い出す払出装置１２０、及びカードユニット１３５（パチンコ遊技機１に隣接して設置され、挿入されたプリペイドカード（遊技価値記憶媒体）等に記憶されている情報に基づいて球貸しを可能にするもの）が接続されているとともに、発射制御基板１１１（「発射制御部」ともいう）を介して発射装置１１２が接続されている。発射装置１１２には、発射ハンドル６０（図１を参照）が含まれる。
【００７１】
払出制御基板１１０は、所定のプログラムに従って遊技球の払い出しを制御する払出制御用ワンチップマイコン１１６（「払出制御用マイコン」ともいう）が実装されている。払出制御用マイコン１１６には、遊技球の払い出しを制御するためのプログラム等を記憶したＲＯＭ、ワークメモリとして使用されるＲＡＭ、ＲＯＭに記憶されたプログラムを実行するＣＰＵが含まれている。払出制御用マイコン１１６は、入出力回路１１７を介し、遊技制御用マイコン８１からの信号やパチンコ遊技機１に接続されたカードユニット１３５からの信号に基づいて、払出装置１２０の払出モータ１２１を駆動して賞球の払い出しを行ったり貸球の払い出しを行ったりする。払い出される遊技球は、その計数のため払出センサ１２２、１２３により検知される。遊技者による発射装置１１２の発射ハンドル６０の操作があった場合には、タッチスイッチ１１４が発射ハンドル６０への遊技者の接触を検知し、発射ボリューム１１５が発射ハンドル６０の回転量を検知する。そして、発射ボリューム１１５の検知信号の大きさに応じた強さで遊技球が発射されるよう発射モータ１１３が駆動制御されることとなる。尚、本実施例では、発射モータ１１３の駆動により発射装置１１２が連続して発射可能な遊技球の数は１分間で約１００個となっている。
【００７２】
また、主制御基板８０は、サブ制御基板９０に対し各種コマンドを送信する。主制御基板８０とサブ制御基板９０との接続は、主制御基板８０からサブ制御基板９０への信号の送信のみが可能な単方向通信接続となっている。すなわち、主制御基板８０とサブ制御基板９０との間には、通信方向規制手段としての図示しない単方向性回路（例えばダイオードを用いた回路）が介在している。
【００７３】
図５に示すように、サブ制御基板９０には、所定のプログラムに従ってパチンコ遊技機１の演出を制御する演出制御用ワンチップマイコン９１（「演出制御用マイコン」）が実装されている。演出制御用マイコン９１には、遊技の進行に伴って演出を制御するためのプログラム等を記憶したＲＯＭ、ワークメモリとして使用されるＲＡＭ、ＲＯＭに記憶されたプログラムを実行するＣＰＵが含まれている。演出制御用マイコン９１は、入出力回路９５を介して他の基板等とデータの送受信を行う。尚、入出力回路９５は演出制御用マイコン９１に内蔵されていてもよく、ＲＯＭは外付けであってもよい。また、サブ制御基板９０（演出制御用マイコン９１）のＲＡＭ（演出制御ＲＡＭ）の所定アドレスには、各種フラグや各種計数カウンタに用いるための記憶領域が確保されている。
【００７４】
サブ制御基板９０には、画像制御基板１００、音声制御基板１０６、ランプ制御基板１０７が接続されている。尚、サブ制御基板９０（サブ制御部）や画像制御基板１００（画像制御部）、音声制御基板１０６（音声制御部）、ランプ制御基板１０７（ランプ制御部）は、遊技の状況に応じて表示演出や音演出、ランプ演出（光演出）等の各種演出を、対応する演出用の装置や部材等（演出手段）に実行させる演出実行手段として機能するものである。また、例えば、チャンス目予告や保留変化予告、ステップアップ予告等の各種予告演出を実行させる予告演出実行手段としても機能する。
【００７５】
サブ制御基板９０の演出制御用マイコン９１は、主制御基板８０から受信したコマンドに基づいて、画像制御基板１００の画像制御用ワンチップマイコン１０１（「画像制御用マイコン」）のＣＰＵに、画像表示装置７、演出表示器１０２、演出第１特図保留表示器１０３ａおよび演出第２保留表示器１０３ｂの表示制御を行わせる。画像制御基板１００のＲＡＭは、画像データを展開するためのメモリである。画像制御基板１００のＲＯＭには、画像表示装置７に表示される静止画データや動画データ、具体的にはキャラクタ、アイテム、図形、文字、数字および記号等（演出図柄、保留図柄等を含む）や背景画像等の画像データが格納されている。画像制御用マイコン１０１は、演出制御用マイコン９１からの指令に基づいてＲＯＭから画像データを読み出す。そして、読み出した画像データに基づいて表示制御を実行する。
【００７６】
演出表示器１０２は、２個のＬＥＤからなり、演出図柄８の変動表示および停止表示に合わせて変動表示および停止表示を行い、２個のＬＥＤの点灯・消灯または色の組合せにより、演出図柄８の表示結果（特別図柄当否判定の結果）を示す表示態様で停止表示する。また、演出第１特図保留表示器１０３ａおよび演出第２保留表示器１０３ｂも同様に２個のＬＥＤからなる。そして、２個のＬＥＤの点灯・消灯または色の組合せにより、演出第１特図保留表示器１０３ａは第１演出保留表示領域９ｃに表示される保留個数および第１特図保留表示器４３ａで表示される保留個数と同じ保留個数を示す表示態様で表示制御される。また、演出第２特図保留表示器１０３ｂは第２演出保留表示領域９ｄに表示される保留個数および第２特図保留表示器４３ｂで表示される保留個数と同じ保留個数を示す表示態様で表示制御される。これは、キャラクタ図柄を表示画面７ａ（演出図柄表示部）の略全体に表示したり、可動装飾部材１４を動作させて表示画面７ａの演出図柄表示領域７ｂ（演出図柄表示部）の略全体を被覆したりすることで、演出図柄８や第１演出保留９ａ、第２演出保留９ｂ等、表示画面７ａに表示される各種画像の一部または全部が視認できない状態になることがあるため、この様な表示器が設けられている。尚、画像制御基板１００の画像制御用ワンチップマイコン１０１に換えて、または加えて、ＶＤＰ（Video Display Processor）を設けてもよい。
【００７７】
また、演出制御用マイコン９１は、主制御基板８０から受信したコマンドに基づいて、音声制御基板１０６を介してスピーカ６７から音声、楽曲、効果音等を出力する。スピーカ６７から出力する音声等の音データは、サブ制御基板９０のＲＯＭに格納されている。尚、音声制御基板１０６にＣＰＵを実装してもよく、その場合、そのＣＰＵに音声制御を実行させてもよい。さらにこの場合、音声制御基板１０６にＲＯＭを実装してもよく、そのＲＯＭに音データを格納してもよい。また、スピーカ６７を画像制御基板１００に接続し、画像制御用マイコン１０１に音声制御を実行させてもよい。この場合、画像制御基板１００のＲＯＭに音データを格納してもよい。
【００７８】
また、演出制御用マイコン９１は、主制御基板８０から受信したコマンドに基づいて、枠ランプ６６や盤面ランプ５等のランプの発光態様を決める発光パターンデータ（点灯/消灯や発光色等を決めるデータ、ランプデータともいう）を、ＲＯＭに格納されているデータから決定し、ランプ制御基板１０７を介して枠ランプ６６や盤面ランプ５等のランプ（ＬＥＤ）の点灯制御を行う。
【００７９】
さらに、演出制御用マイコン９１は、主制御基板８０から受信したコマンドに基づいて、ランプ制御基板１０７に中継基板１０８を介して接続された可動装飾部材１４を動作させる。前述したように、可動装飾部材１４は、センター装飾体１０の後方に設けられた可動式のいわゆるギミックのことである。演出制御用マイコン９１は、可動装飾部材１４を所定の動作態様で動作させるための動作パターンデータ（「駆動データ」ともいう）を、サブ制御基板９０のＲＯＭに格納されているデータから決定し、決定した動作パターンデータに基づいて可動装飾部材１４の動作を制御する。尚、ランプ制御基板１０７にＣＰＵを実装してもよく、その場合、そのＣＰＵにランプの点灯制御や可動装飾部材１４の動作制御を実行させてもよい。さらにこの場合、ランプ制御基板１０７にＲＯＭを実装してもよく、そのＲＯＭに発光パターンや動作パターンに関するデータを格納してもよい。
【００８０】
また、サブ制御基板９０には、第１演出ボタン６３ａまたは第２演出ボタン６３ｂ（図１を参照）が操作（押す、回転、引く等）されたことを検知する第１演出ボタン検知スイッチ６３ｃおよび第２演出ボタン検知スイッチ６３ｄが接続されている。従って、第１演出ボタン６３ａまたは第２演出ボタン６３ｂに対して遊技者が所定の入力操作を行うと、対応する演出ボタン検知スイッチからの信号がサブ制御基板９０に入力される。尚、第１演出ボタン検知スイッチ６３ｃおよび第２演出ボタン検知スイッチ６３ｄを総称して単に「演出ボタン検知スイッチ」ともいう。
【００８１】
次に、本実施例のパチンコ遊技機１における当否判定に係る制御（判定手段）について説明する。本実施例では、特別図柄当否判定の結果として「大当り」と「外れ」がある。「大当り」のときには特別図柄表示部４１に「大当り図柄」が停止表示され、「外れ」のときには特別図柄表示部４１に「外れ図柄」が停止表示される。特別図柄当否判定で大当りと判定されると、停止表示された特別図柄の種類（大当り種別）に応じた開放パターンにて大入賞口３０を開放する「特別遊技」が実行される。大当りとなって実行される特別遊技を「大当り遊技」ともいう。大当り遊技（特別遊技）は、大入賞口３０への遊技球の入球によって多量の賞球を得ることが可能な遊技者とって有利な遊技であり、当該大当り遊技が行われる遊技状態を「特別遊技状態」ともいう。
【００８２】
本実施例の大当りには複数の種別がある。具体的には、図６に示すように、大当りとして「１６Ｒ（ラウンド）第１大当り」、「６Ｒ第２大当り」、「６Ｒ第３大当り」、「１６Ｒ第４大当り」および「１６Ｒ第５大当り」の計５種類を設けている。これらの大当りのうち、「１６Ｒ第１大当り」、「６Ｒ第２大当り」および「６Ｒ第３大当り」は第１特別図柄に係る大当りであり、「１６Ｒ第４大当り」および「１６Ｒ第５大当り」は第２特別図柄に係る大当りである。特別図柄表示部４１には、これらの大当り種別に応じた大当り図柄が停止表示される。
【００８３】
具体的には、「１６Ｒ第１大当り」、「１６Ｒ第４大当り」および「１６Ｒ第５大当り」は、何れも、ラウンド数が「１６」、１ラウンドでの大入賞口３０の開放回数が「１回」、１ラウンドでの大入賞口３０の開放時間が「２５秒」の大当りである。また、「６Ｒ第２大当り」および「６Ｒ第３大当り」は、何れも、ラウンド数が「６」、１ラウンドでの大入賞口３０の開放回数が「１回」、１ラウンドでの大入賞口３０の開放時間が「２５秒」の大当りである。但し、大入賞口３０が開放して、その開放時間が経過する前に、予め定められた数（以下「規定数」ともいう。）の遊技球が大入賞口３０に入球した場合には、開放時間が経過していなくても、規定数の入球があった時点で、大入賞口３０は閉鎖する。本実施例では、その規定数が「１０個」となっている。
【００８４】
尚、大当り遊技を構成するラウンドのことを、単に「Ｒ」ともいい、「ラウンド遊技」ともいう。また、６Ｒ第２大当り及び６Ｒ第３大当りのことを総じて「６Ｒ大当り」ともいい、１６Ｒ第１大当り、１６Ｒ第４大当り及び１６Ｒ第５大当りのことを総じて「１６Ｒ大当り」ともいう。さらに、６Ｒ大当りに係る大当り遊技（６Ｒ大当り遊技）のことを「第１特別遊技」ともいい、１６Ｒ大当りに係る大当り遊技（１６Ｒ大当り遊技）のことを「第２特別遊技」ともいう。
【００８５】
本実施例のパチンコ遊技機１では、発生（当選）した大当りの種別に応じて、その大当り遊技の終了後の遊技状態を、後述の高確率状態や時短状態、高ベース状態等に移行させる。すなわち、特別図柄当否判定の結果が大当りで、その大当りの種別が前述の１６Ｒ第１大当り、６Ｒ第２大当り及び１６Ｒ第４大当りの何れかとなった場合には、大当り遊技終了後の遊技状態を後述の「高確率状態かつ時短状態かつ高ベース状態」とする。これに対して、特別図柄当否判定の結果が大当りで、その大当りの種別が前述の６Ｒ第３大当り及び１６Ｒ第５大当りの何れかとなった場合には、大当り遊技終了後の遊技状態を後述の「低確率状態かつ時短状態かつ高ベース状態」とする。このことから、１６Ｒ第１大当り、６Ｒ第２大当り及び１６Ｒ第４大当りは「確変大当り」として捉えることができ、６Ｒ第３大当り及び１６Ｒ第５大当りは「非確変大当り」（「通常大当り」または「時短大当り」ともいう。）として捉えることができる。
【００８６】
第１特別図柄（特図１）の当否判定にて大当りとなった場合における各大当りへの振分確率は、１６Ｒ第１大当りが５％、６Ｒ第２大当りが５０％、６Ｒ第３大当りが４５％となっている。これに対して、第２特別図柄（特図２）の当否判定にて大当りとなった場合における各大当りへの振分確率は、１６Ｒ第４大当りが５５％、１６Ｒ第５大当りが４５％となっている。すなわち、第２始動口２１への入球に基づく当否判定（特図２当否判定）により大当りとなった場合には、１６Ｒ大当りの出現率（振分確率）が１００％となっており、第１始動口２０への入球に基づく当否判定（特図１当否判定）により大当りとなった場合に比べ、１６Ｒ大当りの出現率（振分確率）が高くなっている。このように本パチンコ遊技機１では、第１始動口２０に遊技球が入球して行われる当否判定（特図１当否判定）において大当りとなるよりも、第２始動口２１に遊技球が入球して行われる当否判定（特図２当否判定）において大当りとなる方が、遊技者にとって有利となる可能性が高くなるように設定されている。このため、遊技者は、第２始動口２１への入球を期待して遊技を行う。特に第２始動口２１への入球頻度が高まる後述の開放延長機能の作動中（高ベース状態の発生中）においては顕著である。
【００８７】
ここで、本パチンコ遊技機１では、大当りか外れかの判定は「特別図柄当否判定用乱数（「当否判定用情報」ともいう）」に基づいて行われ、大当りとなった場合の大当りの種別の判定は「大当り種別決定用乱数（「図柄決定用乱数」、「図柄決定用情報」ともいう）」に基づいて行われる。図７（Ａ）に示すように、特別図柄当否判定用乱数は「０〜６２９」までの範囲で値をとり、大当り種別決定用乱数は「０〜９９」までの範囲で値をとる。また、第１始動口２０や第２始動口２１への入球に基づいて取得される乱数（取得情報）には、特別図柄当否判定用乱数および大当り種別決定用乱数の他に「変動パターン乱数（「変動パターン情報」ともいう）」がある。
【００８８】
変動パターン乱数は、変動時間を含む変動パターンを決めるための乱数であり、「０〜１９８」までの範囲で値をとる。また、ゲート２８の通過に基づいて取得される乱数には、図７（Ｂ）に示す普通図柄当否判定用乱数がある。普通図柄当否判定用乱数は、第２始動口２１を開放させる補助遊技を行うか否かの判定（普通図柄抽選）のための乱数であり、「０〜２４０」までの範囲で値をとる。
【００８９】
次に、本実施例のパチンコ遊技機１の遊技状態について説明する。本パチンコ遊技機１は、特別図柄および普通図柄に対する確率変動機能、変動時間短縮機能および開放延長機能の各機能が作動状態または非作動状態となる組合せにより、複数の遊技状態を有している。特別図柄（第１特別図柄及び第２特別図柄）について確率変動機能が作動している状態を「高確率状態」や「確変状態」といい、作動していない状態を「低確率状態」や「通常状態」という。高確率状態では、特別図柄当否判定において大当りと判定される確率が通常状態よりも高くなっている。すなわち、通常状態では通常状態用の大当り判定テーブルを用いて当否判定を行うものの、高確率状態では、大当りと判定される特別図柄当否判定用乱数の値が多い高確率状態用の大当り判定テーブルを用いて、当否判定を行う（図８（Ａ）を参照）。つまり、特別図柄の確率変動機能が作動すると、作動していないときに比して、特別図柄の変動表示の結果が大当りとなる（停止図柄が大当り図柄となる）確率が高くなる。尚、確率変動機能の作動・非作動の制御は、主制御基板８０（遊技制御用マイコン８１）によって行われる。したがって、主制御基板８０（遊技制御用マイコン８１）は、特別図柄当否判定の当選確率（大当り確率）を低確率（第１確率）または高確率（第２確率）に設定可能な確率設定手段として機能するものである。
【００９０】
また、特別図柄（第１特別図柄および第２特別図柄）について変動時間短縮機能が作動している状態を「時短状態」や「短縮変動状態」といい、作動していない状態を「非時短状態」や「通常変動状態」という。時短状態では、特別図柄の変動時間（変動表示の開始時から確定表示時までの時間）の平均値が、非時短状態における特別図柄の変動時間の平均値よりも短くなっている。すなわち、時短状態においては、変動時間の短い変動パターンが選択されることが非時短状態よりも多くなるように定められた変動パターンテーブルを用いて、変動パターンの判定を行う（図９を参照）。その結果、時短状態では、特図保留の消化のペースが速くなり、始動口への有効な入球（特図保留として記憶され得る入球）が発生しやすくなる。そのため、スムーズな遊技の進行のもとで大当りを狙うことができる。尚、変動時間短縮機能の作動・非作動の制御は、主制御基板８０（遊技制御用マイコン８１）によって行われる。したがって、主制御基板８０（遊技制御用マイコン８１）は、特別図柄の変動時間が通常よりも短くなる短縮変動状態を設定可能な短縮変動状態設定手段として機能するものである。
【００９１】
特別図柄（第１特別図柄および第２特別図柄）についての確率変動機能と変動時間短縮機能とは同時に作動することもあるし、片方のみが作動することもある。そして、普通図柄についての確率変動機能および変動時間短縮機能は、特別図柄の変動時間短縮機能に同期して作動するようになっている。すなわち、普通図柄の確率変動機能および変動時間短縮機能は、特別図柄の時短状態において作動し、非時短状態において作動しないものとなっている。このため、時短状態では、普通図柄当否判定における当り確率が非時短状態よりも高くなる。具体的に、時短状態では、当りと判定される普通図柄乱数（当り乱数）の値が非時短状態で用いる普通図柄当り判定テーブルよりも多い普通図柄当り判定テーブルを用いて、普通図柄当否判定（普通図柄の判定）を行う（図８（Ｃ）を参照）。
【００９２】
また時短状態では、普通図柄の変動時間が非時短状態よりも短くなっている。本実施例では、普通図柄の変動時間は非時短状態では３０秒であるが、時短状態では１秒である（図８（Ｄ）を参照）。さらに時短状態では、可変入賞装置２２（第２始動口２１）の開放時間延長機能が作動し、補助遊技における第２始動口２１の開放時間が、非時短状態よりも長くなっている。加えて時短状態では、可変入賞装置２２の開放回数増加機能が作動し、補助遊技における第２始動口２１の開放回数が非時短状態よりも多くなっている。具体的には、非時短状態において普通図柄当否判定の結果が当りになると、可変入賞装置２２（第２始動口２１）の可動部材２３が０．２秒の開放動作を１回行い、時短状態において普通図柄当否判定の結果が当りになると、可変入賞装置２２（第２始動口２１）の可動部材２３が２．０秒の開放動作を３回行うものとなっている。
【００９３】
普通図柄についての確率変動機能および変動時間短縮機能、並びに、可変入賞装置２２の開放時間延長機能および開放回数増加機能が作動している状況下では、これらの機能が作動していない場合に比して、第２始動口２１が頻繁に開放され、第２始動口２１へ遊技球の入球頻度が高くなる（「高頻度状態」ともいう）。その結果、発射球数に対する賞球数の割合であるベースが高くなる。従って、これらの機能が作動している状態を「高ベース状態」といい、作動していない状態を「低ベース状態」という。高ベース状態では、手持ちの遊技球（持ち球）を大きく減らすことなく大当りを狙うことができる。
【００９４】
高ベース状態（高頻度状態）は、上記の全ての機能が作動するものでなくてもよい。すなわち、普通図柄についての確率変動機能および変動時間短縮機能、並びに、可変入賞装置２２の開放時間延長機能および開放回数増加機能のうち少なくとも一つの機能の作動によって、その機能が作動していないときよりも第２始動口２１が開放され易く（入球頻度が高く）なっていればよい。また、高ベース状態は、特別図柄の時短状態に付随せずに独立して制御されるようにしてもよい。この様な高ベース状態を発生する機能を「高ベース発生機能」ということもできる。
【００９５】
本実施例のパチンコ遊技機１では、前述したように、１６Ｒ第１大当り、６Ｒ第２大当り及び１６Ｒ第４大当りの何れかの何れかになった場合の大当り遊技後（特別遊技後）の遊技状態は、特別図柄の高確率状態かつ特別図柄の時短状態かつ高ベース状態となる（図６を参照）。この遊技状態を特に「高確高ベース状態」という。高確高ベース状態は、予め定められた回数の特別図柄の変動表示が実行されるか、又は、大当りとなって大当り遊技が実行されることにより終了する。この高確高ベース状態は、遊技者にとってはいわゆる「確変状態」となる。
【００９６】
また、６Ｒ第３大当り及び１６Ｒ第５大当りの何れかになった場合の大当り遊技後（特別遊技後）の遊技状態は、特別図柄の通常状態（低確率状態）になるとともに、特別図柄の時短状態かつ高ベース状態となる（図６を参照）。この遊技状態を特に「低確高ベース状態」という。低確高ベース状態は、所定回数（例えば１００回）の特別図柄の変動表示が実行されるか、大当りに当選してその大当り遊技が実行されることにより終了する。
【００９７】
尚、本実施例のパチンコ遊技機１では、遊技状態として「低確低ベース状態」、「低確高ベース状態」、「高確高ベース状態」の３つの遊技状態を設定可能としているが、これに加え、特別図柄の高確率状態かつ特別図柄の非時短状態かつ低ベース状態、すなわち「高確低ベース状態」を設定可能としてもよい。
【００９８】
低確高ベース状態や高確高ベース状態といった高ベース状態では、右打ちにより右遊技領域３Ｂへ遊技球を進入させた方が有利に遊技を進行できる。高ベース状態では、低ベース状態と比べて第２始動口２１が開放されやすくなっており、第１始動口２０への入球よりも第２始動口２１への入球の方が容易となっている（第１始動口よりも第２始動口の方が遊技球の入球可能性が高くなる）からである。このため、普通図柄当否判定の契機となるゲート２８へ遊技球を通過させつつ、第２始動口２１へ遊技球を入球させるべく右打ちを行う。これにより、左打ちを行う場合に比べ、多数の始動入球（特別図柄当否判定の機会）を得ることができる。この状態のとき、発射方向表示器４７が所定の態様で点灯制御され、右遊技領域３Ｂを狙って遊技球を発射すべきことを報知する（右打ち指示報知）。
【００９９】
これに対して、低ベース状態（例えば低確低ベース状態）では、左打ちにより左遊技領域３Ａへ遊技球を進入させた方が有利に遊技を進行できる。低ベース状態では、高ベース状態と比べて第２始動口２１が開放されにくくなっており、第２始動口２１への入球よりも第１始動口２０への入球の方が容易となっている（第２始動口よりも第１始動口の方が遊技球の入球可能性が高くなる）からである。そのため、第１始動口２０へ遊技球を入球させるべく左打ちを行う。これにより、右打ちを行う場合に比べ、多数の始動入球（特別図柄当否判定の機会）を得ることができる。この状態のとき、発射方向表示器４７が所定の態様で点灯制御（表示制御）され、左遊技領域３Ａを狙って遊技球を発射すべきことを報知する（左打ち指示報知）。
【０１００】
ここで、発射方向表示器４７は「ｙｚ」の２個のＬＥＤで構成されており、遊技状態に応じてＬＥＤを点灯させることにより発射方向を示すものである。例えば、低ベース状態では、「ｙ□ｚ□」（例えば、□：消灯、■：点灯とする）というように両ＬＥＤを消灯する表示態様として左遊技領域へ発射すべきことを報知することができる。また、高ベース状態では、「ｙ■ｚ■」（例えば、□：消灯、■：点灯とする）というように両ＬＥＤを点灯する表示態様として右遊技領域へ発射すべきことを報知することができる。
【０１０１】
［主制御メイン処理］
次に、図１０〜図３６に基づいて遊技制御用マイコン８１の動作（主制御部８０による制御処理）について説明する。尚、遊技制御用マイコン８１の動作説明にて登場するカウンタ、フラグ、ステータス、バッファ、タイマ等は、主制御基板８０のＲＡＭに設けられている。主制御基板８０に備えられた遊技制御用マイコン８１は、パチンコ遊技機１の電源がオンされると、主制御基板８０のＲＯＭから図１０に示す主制御メイン処理のプログラムを読み出して実行する。同図に示すように、主制御メイン処理では、まず、初期設定を行う（S101）。初期設定では、例えば、スタックの設定、定数設定、割り込み時間の設定、主制御基板８０のＣＰＵの設定、ＳＩＯ、ＰＩＯ、ＣＴＣ（割り込み時間用コントローラ）の設定や、各種のフラグ、ステータス及びカウンタのリセット等を行う。フラグの初期値は「０」つまり「ＯＦＦ」であり、ステータスの初期値は「１」であり、カウンタの初期値は「０」である。初期設定（S101）は、電源投入後に一度だけ実行され、それ以降は実行されない。
【０１０２】
初期設定（S101）に次いで、割り込みを禁止し（S102）、普通図柄・特別図柄主要乱数更新処理（S103）を実行する。この普通図柄・特別図柄主要乱数更新処理（S103）では、図７に示した種々の乱数カウンタの値を１加算する更新を行う。各乱数カウンタの値は上限値に至ると「０」に戻って再び加算される。尚、各乱数カウンタの初期値は「０」以外の値であってもよく、ランダムに変更されるものであってもよい。更新された乱数カウンタ値は主制御基板８０のＲＡＭの所定の更新値記憶領域（図示せず）に逐次記憶される。
【０１０３】
普通図柄・特別図柄主要乱数更新処理（S103）が終了すると、割り込みを許可する（S104）。割り込み許可中は、割り込み処理（S105）の実行が可能となる。この割り込み処理（S105）は、例えば４ｍｓ周期で主制御基板８０のＣＰＵに繰り返し入力される割り込みパルスに基づいて実行される。そして、割り込み処理（S105）が終了してから、次に割り込み処理（S105）が開始されるまでの間に、普通図柄・特別図柄主要乱数更新処理（S103）による各種カウンタ値の更新処理が繰り返し実行される。尚、割り込み禁止状態のときにＣＰＵに割り込みパルスが入力された場合は、割り込み処理（S105）はすぐには開始されず、割り込み許可（S104）がされてから開始される。
【０１０４】
［割り込み処理］
次に、割り込み処理（S105）について説明する。図１１に示すように、割り込み処理（S105）では、まず、出力処理（S201）を実行する。出力処理（S201）では、以下に説明する各処理において主制御基板８０のＲＡＭに設けられた出力バッファにセットされたコマンド（制御信号）等を、サブ制御基板９０や払出制御基板１１０等に出力する。ここで出力するコマンド等には、遊技状態、特別図柄当否判定の結果、大当り種別としての図柄、変動パターン、各種入球口（始動口、大入賞口等）への遊技球の入球、ラウンド遊技の進行等に関する種々の情報が含まれる。尚、コマンドは、例えば２バイトの情報からなる。上位１バイトは、コマンドの種類に関する情報であり、下位１バイトはコマンドの内容に関する情報である。
【０１０５】
出力処理（S201）に次いで行われる入力処理（S202）では、主にパチンコ遊技機１に取り付けられている各種センサ（第１始動口センサ２０ａ、第２始動口センサ２１ａ、大入賞口センサ３０ａ等、図５を参照）が検知した検知信号を読み込み、賞球情報としてＲＡＭの出力バッファに記憶する。また、大入賞口センサ３０ａが遊技球を検知した場合、大入賞口入球コマンドをＲＡＭの出力バッファに記憶する。さらに、下皿６２の満杯を検知する下皿満杯検知センサ（図示せず）からの検知信号も取り込み、下皿満杯データとしてＲＡＭの出力バッファに記憶する。
【０１０６】
次に行われる普通図柄・特別図柄主要乱数更新処理（S203）は、図１０の主制御メイン処理で行う普通図柄・特別図柄主要乱数更新処理（S103）と同じである。即ち、図７に示した各種乱数カウンタ値（普通図柄乱数カウンタ値も含む）の更新処理は、タイマ割り込み処理（S105）の実行期間と、それ以外の期間（割り込み処理（S105）の終了後、次の割り込み処理（S105）が開始されるまでの期間）との両方で行われている。
【０１０７】
普通図柄・特別図柄主要乱数更新処理（S203）に次いで、後述する始動口センサ検知処理（S204）、始動入球時処理（S205）、普図動作処理（S206）、特図動作処理（S207）、保留球数処理（S208）および電源断監視処理（S209）を実行する。その後、本発明に深く関連しないその他の処理（S210）を実行して、割り込み処理（S105）を終了する。そして、次に主制御基板８０のＣＰＵに割り込みパルスが入力されるまでは主制御メイン処理のS102〜S104の処理が繰り返し実行され（図１０を参照）、割り込みパルスが入力されると（約４ｍｓ後）、再び割り込み処理（S105）が実行される。再び実行された割り込み処理（S105）の出力処理（S201）においては、前回の割り込み処理（S105）にてＲＡＭの出力バッファにセットされたコマンド等が出力される。
【０１０８】
［始動口センサ検知処理］
図１２に示すように、始動口センサ検知処理（S204）では、まず、遊技球がゲート２８を通過したか否か、即ち、ゲートセンサ２８ａによって遊技球が検知されたか否かを判定する（S301）。遊技球がゲート２８を通過していなければ（S301でNO）、S305の処理に移行し、ゲート２８を遊技球が通過していれば（S301でYES）、普通図柄保留球数（普図保留の数、具体的にはＲＡＭに設けた普図保留の数をカウントするカウンタの値）が４未満であるか否か判定する（S302）。
【０１０９】
普通図柄保留球数が４未満でなければ（S302でNO）、S305の処理に移行する。一方、普通図柄保留球数が４未満であれば（S302でYES）、普通図柄保留球数に「１」を加算し（S303）、普通図柄乱数取得処理（S304）を行う。普通図柄乱数取得処理（S304）では、ＲＡＭの更新値記憶領域（図示せず）に記憶されている普通図柄当否判定用乱数カウンタの値（ラベル−ＴＲＮＤ−Ｈ、図７（Ｂ）を参照）を取得し、その取得乱数値（取得情報）を、主制御基板８０のＲＡＭに設けられた普図保留記憶部のうち現在の普通図柄保留球数に応じたアドレス空間に格納する。
【０１１０】
S305では、第２始動口２１に遊技球が入球したか否か、即ち、第２始動口センサ２１ａによって遊技球が検知されたか否かを判定する（S305）。第２始動口２１に遊技球が入球していない場合（S305でNO）には、S309の処理に移行し、第２始動口２１に遊技球が入球した場合には（S305でYES）、特図２保留球数（第２特図保留の数、具体的には主制御部８０のＲＡＭに設けた第２特図保留の数をカウントするカウンタの数値）が４（上限数）未満であるか否か判定する（S306）。そして、特図２保留球数が４未満でない場合（S306でNO）には、S309の処理に移行し、特図２保留球数が４未満である場合には（S306でYES）、特図２保留球数に１を加算する（S307）。
【０１１１】
続いて特図２関係乱数取得処理（S308）を行う。特図２関係乱数取得処理（S308）では、ＲＡＭの更新値記憶領域（図示せず）に記憶されている特別図柄当否判定用乱数カウンタの値（ラベル−ＴＲＮＤ−Ａ）、大当り種別決定用乱数カウンタの値（ラベル−ＴＲＮＤ−ＡＳ）及び変動パターン乱数カウンタの値（ラベル−ＴＲＮＤ−Ｔ１）を取得し（つまり図７（Ａ）に示す乱数の値を取得し）、それら取得乱数値（取得情報）を第２特図保留記憶部８５ｂのうち現在の特図２保留球数に応じたアドレス空間に格納する。
【０１１２】
続いて第１始動口２０に遊技球が入球したか否か、即ち、第１始動口センサ２０ａによって遊技球が検知されたか否かを判定する（S309）。第１始動口２０に遊技球が入球していない場合（S309でNO）には処理を終えるが、第１始動口２０に遊技球が入球した場合には（S309でYES）、特図１保留球数（第１特図保留の数、具体的には主制御部８０のＲＡＭに設けた第１特図保留の数をカウントするカウンタの値）が４（上限数）未満であるか否か判定する（S310）。そして、特図１保留球数が４未満でない場合（S310でNO）には、処理を終えるが、特図１保留球数が４未満である場合には（S310でYES）、特図１保留球数に「１」を加算する（S311）。
【０１１３】
続いて特図１関係乱数取得処理（S312）を行う。特図１関係乱数取得処理（S312）では、特図２関係乱数取得処理（S308）と同様に、ＲＡＭの更新値記憶領域（図示せず）に記憶されている特別図柄当否判定用カウンタの値（ラベル−ＴＲＮＤ−Ａ）、大当り種別決定用乱数カウンタの値（ラベル−ＴＲＮＤ−ＡＳ）および変動パターン乱数カウンタの値（ラベル−ＴＲＮＤ−Ｔ１）を取得し（つまり図７（Ａ）に示す乱数値を取得し）、それら取得乱数値を第１特図保留記憶部のうち現在の特図１保留球数に応じたアドレス空間に格納する。
【０１１４】
［始動入球時処理］
図１１に示すように遊技制御用マイコン８１は、始動口センサ検知処理（S204）に次いで始動入球時処理（S205）を行う。図１３に示すように、始動入球時処理（S205）では、まず、特図２保留球数が「１」増加したか否かを判定する（S315）。そして、特図２保留球数が「１」増加したと判定した場合（S315でYES）、S316の処理に移行する。これは、第２始動口に遊技球が入球したことに基づいて、始動口センサ検知処理(S204)におけるS307で特図２保留球数に「１」を加算した場合が該当する。一方、特図２保留球数が増加していないと判定した場合(S315でNO)、S319の処理に移行する。
【０１１５】
S316では、直前の始動口センサ検知処理(S204)における特図２関係乱数取得処理（S308）で取得して第２特図保留記憶部に記憶した最新の取得乱数値（取得情報）を読み出す（S316）。次いで、読み出した第２特別図柄に係る取得乱数値を判定する（S317）。S317では、読み出した取得乱数値のうち、特別図柄当否判定用乱数カウンタの値（特別図柄当否判定用乱数値）については、現在の遊技状態（低確率状態か高確率状態か）に応じて大当りか外れかを判定し、当該判定の結果が大当りである場合には、さらに大当りの種別を判定する。このS317による判定は、特図２保留についての当否判定（大当りか否かの判定）を、後述の特図２当否判定処理（S1202）における当否判定（S1303,S1304）に先立って行う事前判定（所謂「保留先読み」）に相当するものである。
【０１１６】
尚、大当りか否かの事前判定は、大当り判定テーブル（図８（Ａ）を参照）、すなわち、高確率状態であれば高確率状態用の大当り判定テーブル、通常状態（低確率状態）であれば通常状態用の大当り判定テーブルに基づいて、大当り判定値と一致するか否かを判定することが可能である。また、他の事前判定態様として、変動パターン情報を判定可能な変動パターン情報判定テーブルとして、通常状態用（低確率状態用）の変動パターン情報判定テーブルと、高確率状態用（高確率状態用）の変動パターン情報判定テーブルと、を有するものとする。そして、事前判定においては、取得乱数値（特別図柄当否判定用乱数カウンタの値等）と、遊技状態に応じた変動パターン情報判定テーブルと、に基づいて、所定の変動パターン情報を選択するものとすることが可能である。そして、この選択した変動パターン情報から、大当りかどうかや大当り種別、大当り信頼度の高い遊技演出が実行されるかどうか等を識別可能とすることができる。
【０１１７】
次いでS318では、S317による事前判定の結果に係る遊技情報（事前判定情報）、具体的には、特別図柄当否判定用乱数値が大当り判定値と一致するか否かを示す情報（当否情報）や、大当り種別決定用乱数カウンタの値（大当り種別決定用乱数値）を示す情報、変動パターン乱数カウンタの値（変動パターン乱数値）を示す情報等を含むコマンドデータを、特図２始動入球コマンドとして生成し、当該コマンドをＲＡＭの出力バッファにセットする（S318）。尚、特図２始動入球コマンドとして、S316で読み出した特図２取得乱数の値の一部または全部を、そのままサブ制御基板に送信するようにしてもよいし、特図２取得乱数の値はそのまま送信せず、特図２取得乱数の値に基づいて取得した遊技情報（例えば、前述の変動パターン情報等）を送信するようにしてもよい。
【０１１８】
また、主制御部８０から送信した特図２始動入球コマンドをサブ制御部９０で解析することで、大当りに係る情報であるか、大当り種別は何れであるか、変動パターンは何れであるか等を、サブ制御部９０が識別できるものとされている。また、本実施例では、これに加えて、特図２始動入球コマンドを解析することで、取得した特図２取得乱数が高確率状態で判定した場合に大当りとなるかどうか、及び低確率状態で判定した場合に大当りとなるかどうか、を特定可能とされている。これにより、サブ制御部９０は、受信した特図２始動入球コマンドを保留（演出保留情報）として記憶し、特定のタイミングで当該演出保留情報を事前判定し、低確率状態で当否判定した場合に大当りと判定される演出保留情報が記憶されているかどうかを判定することが可能となる。
【０１１９】
尚、不正防止の観点から、S316で読み出した取得乱数値のうち特別図柄当否判定用乱数値を、そのままサブ制御部に送信することはせず、その他の大当り種別決定用乱数カウンタの値（大当り種別決定用乱数値）と変動パターン乱数カウンタの値（変動パターン乱数値）を示す情報と、事前判定の結果を示す情報とを含むコマンドデータを特図２始動入球コマンドとして生成し、これをセットすることが可能である。
【０１２０】
次いでS319では、前述の特図２に係る処理と同様に、特図１保留球数が「１」増加したか否かを判定する（S319）。そして、特図１保留球数が「１」増加したと判定した場合（S319でYES）、S320の処理に移行する。これは、第１始動口に遊技球が入球したことに基づいて、始動口センサ検知処理(S204)におけるS311で特図１保留球数に「１」を加算した場合が該当する。一方、S319で、特図１保留球数が増加していないと判定した場合（S319でNO）、そのまま処理を終える。
【０１２１】
S320では、時短フラグがＯＮであるか否かを判定し（S320）、時短フラグがＯＮである、すなわち高ベース状態であると判定した場合（S320でYES）、そのまま処理を終える。一方、S320で時短フラグがＯＦＦである、すなわち低ベース状態であると判定した場合（S320でNO）、S321以降の事前判定に係る処理に進む。ここで、時短フラグがＯＮである場合、すなわち現在の遊技状態が高ベース状態である場合、第２始動口２１への入球頻度が高まる開放延長機能が作動しており、特図２の当否判定（図８（Ｂ）を参照）が行われやすい状態となっている。また、本実施例では、後述するように特図２保留の消化（第２特別図柄の変動表示）を特図１保留の消化（第１特別図柄の変動表示）に優先して実行するもの（所謂特図２優先変動機）としている。このような構成において、例えば、特図１の事前判定を行い、その結果を予告等の演出により遊技者に報知し、その事前判定の結果が大当りであることが明示された場合、遊技者は、特図２保留消化の優先を利用して、任意のタイミングで特図２保留を意図的に無くして（「０」にして）、事前判定の結果が示された特図１に係る大当りを意図的に発生させるといった技術介入が可能となる。このように大当りの発生タイミングを遊技者が調整できることは、遊技の公平性の観点から好ましくない。このため、現在の遊技状態が低ベース状態でなく高ベース状態である場合には（S320でYES）、S321以降の特図１の事前判定に係る処理を行わず、本処理（始動入球時処理）を終えることとしている。
【０１２２】
S321〜S323の処理は、前述したS316〜S318と同様の処理を特図１について行うものである。すなわち、始動口センサ検知処理(S204)における特図１関係乱数取得処理（S312）で取得して第１特図保留記憶部に記憶した最新の取得乱数値（取得情報）を読み出し（S321）、読み出した取得乱数値について事前判定を行う（S322）。そして、この事前判定に係る遊技情報を含むコマンドデータを特図１始動入球コマンドとして生成し、当該コマンドをＲＡＭの出力バッファにセットする（S323）。尚、S322の事前判定（保留先読み）は、後述の特図１当否判定処理（S1207）における当否判定（S1603,S1604）に先立って行うものである。
【０１２３】
[普図動作処理]
遊技制御用マイコン８１は、始動入球時処理（S205）に次いで、図１４に示す普図動作処理（S206）を行う。普図動作処理（S206）では、普通図柄表示器４２及び可変入賞装置２２に関する処理を４つの段階に分け、それらの各段階に「普図動作ステータス１、２、３、４」を割り当てている。そして、「普図動作ステータス」が「１」である場合には（S401でYES）、普通図柄待機処理（S402）を行い、「普図動作ステータス」が「２」である場合には（S401でNO、S403でYES）、普通図柄変動中処理（S404）を行い、「普図動作ステータス」が「３」である場合には（S401、S403で共にNO、S405でYES）、普通図柄確定処理（S406）を行い、「普図動作ステータス」が「４」である場合には（S401、S403、S405の全てがNO）、普通電動役物処理（S407）を行う。尚、普図動作ステータスは、初期設定では「１」である。
【０１２４】
［普通図柄待機処理］
図１５に示すように、普通図柄待機処理（S402）では、まず、普通図柄の保留球数が「０」であるか否かを判定し（S501）、「０」であれば（S501でYES）、この処理を終える。一方「０」でなければ（S501でNO）、後述の普通図柄当否判定処理を行い（S502）、次いで、普通図柄変動パターン選択処理を行う（S503）。普通図柄変動パターン選択処理では、図８（Ｄ）に示す普通図柄変動パターン選択テーブルを参照して、遊技状態が時短状態であれば、普通図柄の変動時間が１秒の普通図柄変動パターンを選択する。一方、遊技状態が非時短状態であれば、普通図柄の変動時間が３０秒の普通図柄変動パターンを選択する。普通図柄変動パターン選択処理（S503）を終えたら、後述の普通図柄乱数シフト処理（S504）を行い、次いで、普通図柄変動開始処理（S505）を行い、処理を終える。普通図柄変動開始処理では、S503で選択した普通図柄変動パターンに基づいて普通図柄の変動表示を開始するとともに、普通動作ステータスを「２」にセットする。また、普通図柄変動開始処理では、サブ制御基板９０に普通図柄の変動開始を知らせるため、普通図柄変動開始コマンドをセットする。
【０１２５】
［普通図柄当否判定処理］
図１６に示すように、普通図柄当否判定処理（S502）では、まず、普図保留記憶部に格納されている普通図柄当否判定用乱数カウンタの値（ラベル−ＴＲＮＤ−Ｈ）を読み出す（S601）。次いで、時短フラグがＯＮであるか否か（すなわち遊技状態が時短状態であるか否か）を判定する（S602）。S602で、時短フラグがＯＮである、すなわち時短状態であると判定した場合（S602でYES）、図８（Ｃ）に示す普通図柄当り判定テーブルのうち時短状態用のテーブル（当り判定値が「０」〜「２３９」）に基づく高確率普図当否判定により、当りか否かを判定し（S604）、S605の処理に移行する。すなわち、読み出した普通図柄当否判定用乱数カウンタの値（ラベル−ＴＲＮＤ−Ｈ）が当り判定値の何れかと一致するか否かを判定する。一方、S602で、時短フラグがＯＮでない、すなわち、非時短状態であると判定した場合（S602でNO）、図８（Ｃ）に示す普通図柄当り判定テーブルのうち非時短状態用のテーブル（当り判定値が「０」、「１」）に基づく低確率普図当否判定により、当りか否かを判定し（S603）、S605の処理に移行する。そして、普図当否判定（S603,S604）の結果が、当り（普図当り）か否かを判定し（S605）、外れと判定された場合（S605でNO）、停止表示する外れ普通図柄（普図外れ図柄）を決定し（S606）、処理を終える。一方、S605で当り（普図当り）と判定された場合（S605でYES）、停止表示する当り普通図柄（普図当り図柄）を決定し（S607）、普図当りフラグをＯＮにして（S608）、処理を終える。
【０１２６】
［普通図柄乱数シフト処理］
図１７に示すように、普通図柄乱数シフト処理（S504）では、まず、普通図柄保留球数を１ディクリメントする（S701）。次いで、普図保留記憶部における各普図保留の格納場所を、現在の位置から読み出される側に一つシフトする（S702）。そして、普図保留記憶部における最上位の保留記憶の格納場所であるアドレス空間を空（「０」）にして、即ち普図保留の４個目に対応するＲＡＭ領域を０クリアして（S703）、処理を終える。このようにして、普図保留が保留順に消化されるようにしている。
【０１２７】
［普通図柄変動中処理］
図１８に示すように、普通図柄変動中処理（S404）では、まず、普通図柄の変動時間が経過したか否か判定し（S801）、経過していなければ（S801でNO）、処理を終える。一方、経過していれば（S801でYES）、普通図柄変動停止コマンドをセットする（S802）とともに、普図動作ステータスを「３」にセットする（S803）。そして、普通図柄の変動表示を、普通図柄当否判定用乱数の判定結果に応じた表示結果（当り普通図柄又は外れ普通図柄）で停止させる等のその他の処理を行って（S804）、この処理を終える。
【０１２８】
［普通図柄確定処理］
図１９に示すように、普通図柄確定処理（S406）では、まず、普図当りフラグがＯＮであるか否かを判定する（S901）。普図当りフラグがＯＮでなければ（S901でNO）、普図動作ステータスを「１」にセットして（S905）、この処理を終える。一方、普図当りフラグがＯＮであれば（S901でYES）、続いて時短フラグがＯＮであるか否か、すなわち時短状態中か否かを判定する（S902）。そして、時短状態中であれば（S902でYES）、可変入賞装置２２（第２始動口２１）の開放パターンとして時短状態中の開放パターンをセットする（S903）。時短状態中の開放パターンとは、前述の通り、２．０秒の開放を３回繰り返す開放パターンである。従って、第２始動口２１の開放回数をカウントする第２始動口開放カウンタに「３」をセットする。
【０１２９】
これに対して、非時短状態中であれば（S902でNO）、可変入賞装置２２（第２始動口２１）の開放パターンとして非時短状態中の開放パターンをセットする（S906）。非時短状態中の開放パターンとは、前述の通り、０．２秒の開放を１回行う開放パターンである。従って、第２始動口開放カウンタに「１」をセットする。そして、開放パターンのセット（S903、S906）に続いて、普図動作ステータスを「４」にセットし（S904）、この処理を終える。
【０１３０】
［普通電動役物処理］
図２０に示すように、普通電動役物処理（S407）では、まず、普図当り終了フラグがＯＮであるか否かを判定する（S1001）。普図当り終了フラグは、当りとなって実行された補助遊技において、第２始動口２１の開放が終了したことを示すフラグである。
【０１３１】
普図当り終了フラグがＯＮでなければ（S1001でNO）、第２始動口２１の開放中か否かを判定する（S1002）。開放中でなければ（S1002でNO）、第２始動口２１を開放させる時期（タイミング）に至ったか否かを判定し（S1003）、至っていなければ（S1003でNO）、処理を終え、至っていれば（S1003でYES）、第２始動口２１を開放させ（S1004）、処理を終える。一方、第２始動口２１の開放中であれば（S1002でYES）、第２始動口２１を閉鎖させる時期（タイミング）に至ったか否か（すなわち第２始動口２１を開放してから予め定められた開放時間が経過したか否か）を判定し（S1005）、至っていなければ（S1005でNO）処理を終え、至っていれば（S1005でYES）、第２始動口２１を閉状態（閉鎖）とする（S1006）。
【０１３２】
そして、第２始動口２１の閉鎖処理（S1006）に次いで、第２始動口開放カウンタの値を１ディクリメントし（S1007）、第２始動口開放カウンタの値が「０」であるか否か判定する（S1008）。「０」でなければ（S1008でNO）、再び第２始動口２１を開放させるためにそのまま処理を終える。一方「０」であれば（S1008でYES）、補助遊技を終了させる普図当り終了処理を行う（S1009）とともに、普図当り終了フラグをセットして（S1010）処理を終える。尚、第２始動口開放カウンタは、時短状態中であれば第２始動口２１の開放（可動部材２３の開放動作）が３回なされると「０」になり、非時短状態中であれば第２始動口２１の開放が１回なされると「０」になる。
【０１３３】
これに対して、S1001において普図当り終了フラグがＯＮであれば（S1001でYES）、S903またはS906にてセットされた回数の第２始動口２１の開放動作は終了しているので、普図当り終了フラグをＯＦＦにするとともに（S1011）、普図当りフラグをＯＦＦにし（S1012）、普図動作ステータスを「１」にセットして（S1013）処理を終える。これにより、次回の割り込み処理において、普図動作処理（図１３）として再び普通図柄待機処理（S402）が実行されることになる。
【０１３４】
［特図動作処理］
図１１に示すように遊技制御用マイコン８１は、普図動作処理（S206）に次いで特図動作処理（S207）を行う。特図動作処理（S207）では、図２１に示すように、特別図柄表示器４１および大入賞装置３１に関する処理を４つの段階に分け、それらの各段階に「特図動作ステータス１、２、３、４」を割り当てている。そして、「特図動作ステータス」が「１」である場合には（S1101でYES）、特別図柄待機処理（S1102）を行い、「特図動作ステータス」が「２」である場合には（S1101でNO、S1103でYES）、特別図柄変動中処理（S1104）を行い、「特図動作ステータス」が「３」である場合には（S1101,S1103で共にNO、S1105でYES）、特別図柄確定処理（S1106）を行い、「特図動作ステータス」が「４」である場合には（S1101,S1103,S1105の全てがNO）、大当り遊技としての特別電動役物処理（S1107）を行う。尚、特図動作ステータスは、初期設定では「１」である。
【０１３５】
［特別図柄待機処理］
図２２に示すように、特別図柄待機処理（S1102）では、まず、第２始動口２１の保留球数（即ち特図２保留球数）が「０」であるか否かを判定する（S1201）。特図２保留球数が「０」である場合（S1201でYES）、即ち、第２始動口２１への入球に起因して取得した乱数カウンタ値の記憶がない場合には、第１始動口２０の保留球数（即ち特図１保留球数）が「０」であるか否かを判定する（S1206）。そして、特図１保留球数も「０」である場合（S1206でYES）、即ち、第１始動口２０への入球に起因して取得した乱数カウンタ値の記憶もない場合には、画像表示装置７の表示画面７ａを待機画面とする処理中（客待ち用のデモ画面の実行中）であるか否かを判定し（S1211）、待機画面とする処理中であれば（S1211でYES）、処理を終え、待機画面とする処理中でなければ（S1211でNO）、待機画面を表示するために待機画面設定処理を実行する（S1212）。
【０１３６】
S1201において特図２保留球数が「０」でない場合（S1201でNO）、即ち、第２始動口２１への入球に起因して取得した乱数カウンタ値の記憶が１つ以上ある場合には、後述の特図２当否判定処理（S1202）、特図２変動パターン選択処理（S1203）、特図２乱数シフト処理（S1204）、特図２変動開始処理（S1205）をこの順に行う。また、特図２保留球数が「０」であるが特図１保留球数が「０」でない場合（S1201でYES、S1206でNO）、即ち、第２始動口２１に係る乱数カウンタ値の記憶はないが、第１始動口２０への入球に起因して取得した乱数カウンタ値の記憶が１つ以上ある場合には、後述の特図１当否判定処理（S1207）、特図１変動パターン選択処理（S1208）、特図１乱数シフト処理（S1209）、特図１変動開始処理（S1210）をこの順に行う。このように本実施例では、第１特図保留に基づく第１特別図柄の変動表示は、第２特図保留が「０」の場合（S1201でYES）に限って行われる。すなわち第２特図保留の消化（第２特別図柄の変動表示）は、第１特図保留の消化（第１特別図柄の変動表示）に優先して実行される。そして本実施例では、第２特図保留に基づく当否判定の方が、第１特図保留に基づく当否判定よりも、遊技者にとって利益の大きい大当りになりやすくなっている（図８（Ｂ）を参照）。
【０１３７】
［特図２当否判定処理］
図２３に示すように、特図２当否判定処理（S1202）では、まず、判定値として、ＲＡＭの第２特図保留記憶部８５ｂの最下位の領域（即ち第２特図保留の１個目に対応するＲＡＭ領域）に記憶されている（最も古い記憶の）特別図柄当否判定用乱数カウンタの値（ラベル−ＴＲＮＤ−Ａ）を読み出す（S1301）。次いで、確変フラグがＯＮであるか否か、すなわち高確率状態であるか否かを判定する（S1302）。そして、高確率状態でなければ（S1302でNO）、すなわち通常状態であれば、図８（Ａ）に示す大当り判定テーブルのうち通常状態用の大当り判定テーブル（大当り判定値が「３」及び「３９７」）に基づいて当否判定を行う（S1303）。一方、高確率状態であれば（S1302でYES）、大当り判定テーブルのうち高確率状態用の大当り判定テーブルに基づいて当否判定を行う（S1304）。高確率状態用の大当り判定テーブルでは、大当り判定値は、「３」、「５３」、「１１３」、「１７３」、「２２７」、「２８１」、「３３７」、「３９７」、「４４９」、「５０３」とされている。
【０１３８】
大当り判定（S1303,S1304）の結果が「大当り」であると判定した場合（S1305でYES）、大当り種別決定用乱数カウンタの値（ラベル−ＴＲＮＤ−ＡＳ）を読み出して、図８（Ｂ）に示す大当り種別判定テーブルに基づいて大当り種別を判定し（S1307）、当該大当り種別決定用乱数の値に基づいて大当り図柄を決定し（S1308）、大当りフラグをＯＮにして（S1309）、処理を終える。一方、大当り判定（S1303,S1304）の結果が「大当り」でないと判定した場合（S1305でNO）、外れ図柄を決定し（S1306）、処理を終える。尚、第１特別図柄に係る当否判定の場合は、第１特別図柄用の大当り種別判定テーブルを用いて大当り種別を判定し、第２特別図柄に係る当否判定の場合は、第２特別図柄用の大当り種別判定テーブルを用いて大当り種別を判定する。ここで、大当り判定（特別図柄当否判定）や大当り種別決定判定を、夫々「判定」といってもよいし、大当り判定を行い何れの大当り図柄となるかを含めて「判定」といってもよい。また、これらの結果を「判定結果」ということもある。
【０１３９】
ここで、ラウンド表示器４５は、６Ｒ用ランプ及び１６Ｒ用ランプの２個のＬＥＤで構成されている（図４を参照）。そして、例えば６Ｒ大当りになると、対応する大当り図柄が確定表示するタイミングで、６Ｒ用ランプが点灯表示される。具体的には、「６▲１６△」の様な表示態様となる。また、１６Ｒ大当りになると、対応する大当り図柄が確定表示するタイミングで、１６Ｒ用ランプが点灯表示される。具体的には、「６△１６▲」の様な表示態様となる。
【０１４０】
［特図２変動パターン選択処理］
特別図柄待機処理（図２２）では、特図２当否判定処理（S1202）に次いで、特図２変動パターン選択処理を行う（S1203）。図２４及び図２５に示すように、特図２変動パターン選択処理（S1203）では、まず、遊技状態が時短状態であるか否か（時短フラグがＯＮであるか否か）を判定する（S1401）。S1401で、時短状態でないと判定した場合（S1401でNO）、すなわち非時短状態であれば、次いで、大当りフラグがＯＮであるか否かを判定する（S1402）。S1402で、大当りフラグがＯＮであると判定した場合（S1402でYES）、非時短状態大当り用テーブル（図９に示す変動パターンテーブルのうち非時短状態かつ大当りに該当する部分）を参照して、変動パターン乱数カウンタ値（ラベル−ＴＲＮＤ−Ｔ１）に基づいて変動パターンを選択する（S1403）。本実施例では、変動パターンＰ１〜Ｐ３の何れかが選択される。尚、本実施例では、変動パターンが決まれば変動時間も決まるものとされている。次いで、S1404の処理に移行する。
【０１４１】
一方、S1402で、大当りフラグがＯＮでないと判定した場合（S1402でNO）、次いで第２特別図柄の保留数が「１」又は「２」であるか否かを判定する（S1405）。ここでいう保留数とは、本処理により変動パターンを決定している情報も含めた記憶数であるので、保留記憶の数は「１」〜「４」の何れかの値とされる。そして、S1405で、保留数が「１」又は「２」であると判定した場合（S1405でYES）、第１保留数外れ用テーブル（図９に示す変動パターンテーブルのうち非時短状態かつ外れかつ保留球数「１，２」に該当する部分）を参照して、変動パターン乱数カウンタ値（ラベル−ＴＲＮＤ−Ｔ１）に基づいて変動パターンを選択する（S1406）。本実施例では、変動パターンＰ４〜Ｐ７の何れかが選択される。一方、S1405で、保留数が「１」又は「２」でない、すなわち「３」又は「４」であると判定した場合（S1405でNO）、第２保留数外れ用テーブル（図９に示す変動パターンテーブルのうち非時短状態かつ外れかつ保留球数「３，４」に該当する部分）を参照して、変動パターン乱数カウンタ値（ラベル−ＴＲＮＤ−Ｔ１）に基づいて変動パターンを選択する（S1407）。本実施例では、変動パターンＰ８〜Ｐ１１の何れかが選択される。また、第１保留数外れ用テーブルは、第２保留数外れ用テーブルよりも、比較的長時間の変動時間の変動パターンを選択する可能性が高く設定されている。また、選択可能な最も短時間の変動時間（１２０００ｍｓ）も、第２保留数外れ用テーブルのもの（４０００ｍｓ）よりも長い時間とされている。
【０１４２】
また、S1401で、時短状態であると判定した場合（S1401でYES）、大当りフラグがＯＮであるか否かを判定する（S1408）。S1408で、大当りフラグがＯＮであると判定した場合（S1408でYES）、時短状態大当り用テーブル（図９に示す変動パターンテーブルのうち時短状態かつ大当りに該当する部分）を参照して、変動パターン乱数カウンタ値（ラベル−ＴＲＮＤ−Ｔ１）に基づいて変動パターンを選択する（S1409）。本実施例では、変動パターンＰ１２〜Ｐ１４の何れかが選択される。
【０１４３】
一方、S1408で、大当りフラグがＯＮでないと判定した場合（S1408でNO）、次いで保留数が「１」であるか否かを判定する（S1410）。ここでいう保留数も前述と同様であり、保留数は「１」〜「４」の何れかの値とされている。S1410で、保留数が「１」であると判定した場合（S1410でYES）、第３保留数外れ用テーブル（図９に示す変動パターンテーブルのうち時短状態かつ外れかつ保留球数「１」に該当する部分）を参照して、変動パターン乱数カウンタ値（ラベル−ＴＲＮＤ−Ｔ１）に基づいて変動パターンを選択する（S1411）。本実施例では、変動パターンＰ１５〜Ｐ１８の何れかが選択される。また、S1410で、保留数が「１」でない、すなわち、保留数が「２」〜「４」の何れかであると判定した場合（S1410でNO）、第４保留数外れ用テーブル（図９に示す変動パターンテーブルのうち時短状態かつ外れかつ保留球数「２〜４」に該当する部分）を参照して、変動パターン乱数カウンタ値（ラベル−ＴＲＮＤ−Ｔ１）に基づいて変動パターンを選択する（S1411）。本実施例では、変動パターンＰ１９〜Ｐ２２の何れかが選択される。ここで、時短状態でかつ外れの場合に選択される変動パターンは、非時短状態でかつ外れの場合に選択される変動パターンと比較して、短い変動パターンが選択される可能性が高くされている。これは、時短状態において変動時間の短い変動パターンがより多く選択されようにすることで、特図保留の消化スピードを早める（時短中の遊技を迅速に進行させる）ためである。
【０１４４】
前述のようにして変動パターンの選択を行った後は、図２４に示すその他の処理を行い（S1404）、処理を終える。その他の処理（S1404）では、選択した変動パターンに応じた変動パターン指定コマンドをＲＡＭの出力バッファにセットする等の処理を行う。また、この処理でセットされた変動パターン指定コマンドは、後述の変動開始コマンドに含められて、出力処理（S201）によりサブ制御部９０に送信される。
【０１４５】
［特図２乱数シフト処理］
図２６に示すように、特図２乱数シフト処理（S1204）では、まず、特図２保留球数を１ディクリメントする（S1501）。次いで、第２特図保留記憶部８５ｂにおける各種カウンタ値の格納場所を、１つ下位側（例えば第２特図保留記憶部８５ｂがアドレス「００００」〜「０００３」に対応するアドレス空間からなる場合、アドレス「００００」側）にシフトする（S1502）。そして、第２特図保留記憶部８５ｂの最上位のアドレス空間に「０」をセットして、即ち、（上限数まで記憶されていた場合）第２特図保留の４個目に対応するＲＡＭ領域を０クリアして（S1503）、この処理を終える。
【０１４６】
特図２乱数シフト処理（S1204）を実行した後は、図２２に示す特図２変動開始処理（S1205）を実行する。特図２変動開始処理（S1205）では、特図動作ステータスを「２」にセットすると共に、変動開始コマンドをＲＡＭの出力バッファにセットして、第２特別図柄の変動表示を開始する。
【０１４７】
図２２の特別図柄待機処理（S1102）において、特図２保留球数が「０」であり、かつ、特図１保留球数が「０」でない場合（S1201でYES、S1206でNO）には、特図１当否判定処理（S1207）、特図１変動パターン選択処理（S1208）、特図１乱数シフト処理（S1209）、特図１変動開始処理（S1210）をこの順に行う。
【０１４８】
［特図１当否判定処理］
図２７に示すように、特図１当否判定処理（S1207）では、図２３に示した特図２当否判定処理（S1202）と同様の流れで処理（S1601〜S1609）を行う。従って、本処理の詳細な説明は省略する。但し、本処理は特図１に関する処理であるので、S1601では、ＲＡＭの第１特図保留記憶部８５ａの最下位の領域（即ち第１特図保留の１個目に対応するＲＡＭ領域）に記憶されている特別図柄当否判定用乱数カウンタ値（ラベル−ＴＲＮＤ−Ａ）を読み出して処理を行う。
【０１４９】
［特図１変動パターン選択処理］
図２８及び図２９に示すように、特図１変動パターン選択処理（S1208）では、図２４及び図２５に示した特図２変動パターン選択処理（S1203）と同様の流れで処理（S1701〜S1712）を行う。従って本処理の詳細な説明は省略する。
【０１５０】
［特図１乱数シフト処理］
図３０に示すように、特図１乱数シフト処理（S1209）では、まず、特図１保留球数を１ディクリメントする（S1801）。次いで、第１特図保留記憶部における各種カウンタ値の格納場所を、１つ下位側にシフトする（S2002）。そして、第１特図保留記憶部の最上位のアドレス空間に「０」をセットして、即ち、（上限数まで記憶されていた場合）第１特図保留の４個目に対応するＲＡＭ領域を０クリアして（S1803）、この処理を終える。
【０１５１】
特図１乱数シフト処理（S1209）を実行した後は、図２２に示す特図１変動開始処理（S1210）を実行する。特図１変動開始処理（S1210）では、特図動作ステータスを「２」にセットすると共に、変動開始コマンドをＲＡＭの出力バッファにセットして、第１特別図柄の変動表示を開始する。
【０１５２】
［特別図柄変動中処理］
図３１に示すように、特別図柄変動中処理（S1104）では、まず、特別図柄の変動時間、すなわち、前述のS1203又はS1208で選択された変動パターンに応じて決まる変動時間（図９を参照）が経過したか否かを判定する（S1901）。変動時間が経過していないと判定した場合（S1901でNO）、処理を終える。これにより特別図柄の変動表示が継続される。
【０１５３】
一方、変動時間が経過したと判定した場合（S1901でYES）、変動停止コマンドをセットする（S1902）。そして、確変フラグがＯＮであるか否か判定し（S1903）、ＯＮであれば（S1903でYES）、確変カウンタを１減算し（S1904）、確変カウンタの値が「０」であるか否かを判定する（S1905）。S1905で確変カウンタが「０」であると判定した場合、確変フラグをＯＦＦし、S1907の処理に移行する。一方、確変フラグがＯＮでないと判定した場合と（S1903でNO）、確変カウンタが「０」でないと判定した場合には（S1905でNO）、S1907の処理に移行する。
【０１５４】
そしてS1907では、時短フラグがＯＮであるか否かを判定し（S1907）、時短フラグがＯＮであると判定した場合（S1907でYES）、時短状態中に実行した特別図柄の変動表示回数をカウントする時短カウンタの値を１減算し（S1908）、時短カウンタの値が「０」か否かを判定し（S1909）、「０」であれば（S1909でYES）、時短フラグをＯＦＦにし（S1910）、S1911の処理に進む。また、時短フラグがＯＮでないと判定した場合と（S1907でNO）時短カウンタの値が「０」でないと判定した場合には（S1909でNO）、S1911の処理に移行する。
【０１５５】
S1911では、特図動作ステータスを「３」にセットする（S1911）。そして、特別図柄の変動表示を、特別図柄当否判定乱数及び大当り種別決定用乱数の判定結果に応じた結果で停止させる等のその他の処理を行い（S1912）、この処理を終える。
【０１５６】
［特別図柄確定処理］
図３２に示すように、特別図柄確定処理（S1106）では、まず、大当りフラグがＯＮであるか否かを判定する（S2001）。大当りフラグがＯＮであれば（S2001でYES）、次いで確定した大当りの種別が１６Ｒ大当りであるか否かを判定し、１６Ｒ大当りであると判定した場合（S2002でYES）、大当り遊技中に実行するラウンドの回数をカウントするラウンドカウンタの値に「１６」をセットし（S2003）、S2009の処理に移行する。一方、S2002で、大当りの種別が１６Ｒ大当りでないと判定した場合（S2002でNO）、確定した大当りの種別は６Ｒ大当りであるため、ラウンドカウンタの値に「６」をセットし（S2004）、S2009の処理に移行する。
【０１５７】
S2009では、確定した大当りの種別（種類）に応じた大入賞口開放パターンをセットし（S2009）、S2010の処理に移行する。ここで、前述したように、大入賞口の開放パターンは、大当りの種別に応じて定められているので、今回確定した大当りに対応する大入賞口開放パターンをセットする（図６を参照）。そして、夫々の大当り遊技において、S2009でセットした大入賞口開放パターンに基づく大入賞口３０の開放動作が実行される。
【０１５８】
S2010では、大当り遊技を開始するべく、大当りのオープニングコマンドをセットする（S2010）。本実施例では、オープニングコマンドとして、１６Ｒ第１大当りに対応する第１オープニングコマンド、６Ｒ第２大当りに対応する第２オープニングコマンド、６Ｒ第３大当りに対応する第３オープニングコマンド、１６Ｒ第４大当りに対応する第４オープニングコマンドおよび１６Ｒ第５大当りに対応する第５オープニングコマンドの計５種類が設けられている。S2010では、今回確定した大当り（開始する大当り）の種別に応じたオープニングコマンドがセットされる。そして、主制御部８０（遊技制御用マイコン８１）は、セットしたオープニングコマンドを、出力処理（S201）により、所定のタイミングでサブ制御部９０に対して送信し、当該オープニングコマンドを受信したサブ制御部９０は、当該オープニングコマンドに基づいて所定の遊技演出の実行処理を行う。
【０１５９】
オープニングコマンドをセットしたら、大当り遊技のオープニング期間を開始し（S2011）、特図動作ステータスを「４」にセットする（S2012）。また、S2001において大当りフラグがＯＮでないと判定した場合（S2001でNO）、特図動作ステータスを「１」にセットし（S2013）、処理を終える。尚、オープニング期間は、大当り遊技における大入賞口の最初の開放動作を開始する前であって、特別図柄（演出図柄）の変動表示を実行不能とした後に設定される期間であり、「開始期間」ともいう。また、この「開始期間」において実行する演出を「開始演出（オープニング演出）」ともいう。本実施例では、確定した大当りの種別と、その大当りが確定したとき（つまり、大当り図柄が停止表示されたとき）の遊技状態とによって、オープニング期間（オープニング時間）が決まるものとなっており、前述のオープニングコマンドによってオープニング期間が特定可能となっている。よって、オープニングコマンドを受信したサブ制御部９０は、当該オープニングコマンドにより特定される大当り種別およびオープニング期間に基づいて、オープニング演出を行うことが可能となっている。
【０１６０】
［特別電動役物処理（大当り遊技）］
図３３に示すように、特別電動役物処理（S1107）ではまず、確変フラグがＯＮであるか否かを判定し（S2101）、確変フラグがＯＮであると判定した場合（S2101でYES）、確変フラグをＯＦＦにし（S2102）、次いで、時短フラグがＯＮであるか否かを判定する（S2103）。S2103で、時短フラグがＯＮであると判定した場合（S2103でYES）、時短フラグをＯＦＦにし（S2104）、S2105の処理に移行する。尚、S2101で確変フラグがＯＮでないと判定した場合（S2101でNO）、S2102の処理を行うことなくS2103の処理に移行し、S2103で時短フラグがＯＮでないと判定した場合（S2103でNO）、S2104の処理を行うことなくS2105の処理に移行する。つまり、大当り遊技の実行中は、低確率状態かつ非時短状態に制御される。本実施例では、非時短状態中は常に低ベース状態であるので、大当り遊技の実行中は低ベース状態に制御されることにもなる。
【０１６１】
次に、大当り終了フラグがＯＮであるか否かを判定する（S2105）。大当り終了フラグは、大当り遊技において大入賞装置３１の動作処理（大入賞口３０の開放処理）が全て終了（大当り遊技が終了）したことを示すフラグである。大当り終了フラグがＯＮでなければ（S2105でNO）、次いでラウンドの開始時期であるか否かを判定する（S2106）。これは、前述した大当り種別毎に設定した大入賞口開放パターンに基づいて判定する。例えば、１ラウンド目の開始前であれば、オープニング期間が終了して１ラウンド目の最初の開放処理を実行するタイミングであるか否かによって判定する。また、既に１ラウンド目を開始した後であれば、前のラウンドが終了し、かつ、所定のインターバル期間が終了（インターバル時間が経過）している否かによって判定する。
【０１６２】
S2106においてラウンド開始時期であると判定した場合（S2106でYES）、対応するラウンドのラウンド開始コマンドをセットし（S2107）、大入賞口開放処理を行う（S2108）。S2107では、１ラウンド目の開始であれば「１Ｒ開始コマンド」、２ラウンド目の開始であれば「２Ｒ開始コマンド」のように、開始するラウンドを特定可能なラウンド開始コマンドがセットされる。セットされたラウンド開始コマンドは、S201の出力処理により、サブ制御部９０に送信される。また、S2108では、主に、大入賞口センサ３０ａによる遊技球の検知を有効化する処理と、前述のS2009でセットした大入賞口開放パターンに基づいて大入賞口３０を開放させるべく、開閉部材３２を開動作させる処理を行い、一のラウンド遊技を開始させる。
【０１６３】
ここで、大入賞口センサ３０ａによる遊技球の検知に関し、「有効（有効化）」とは、大入賞口センサ３０ａによる遊技球の検知が発生した場合、その検知を、大入賞口３０への正常な入球として扱う（処理する）ことを意味する。これに対し、「無効（無効化）」とは、大入賞口センサ３０ａによる遊技球の検知が発生した場合、その検知を、大入賞口３０への異常入球（大入賞口エラー）として扱う（処理する）ことを意味する。本実施例では、大入賞口センサ３０ａによる遊技球の検知が有効とされるのは、原則、ラウンド遊技の開始から当該ラウンド遊技終了後、所定時間（本実施例では１秒）が経過するまでの期間であり、当該期間が、大入賞口センサ３０ａによる遊技球検知の有効期間として設定される。このような大入賞口センサ３０ａによる遊技球検知の有効期間を設定に係る処理を行う遊技制御用マイコン８１は「有効期間設定手段」として機能するものである。尚、有効期間でないとき（無効期間）に、大入賞口センサ３０ａが遊技球を検知した場合、当該検知は無効となり、大入賞口３０への異常入球（大入賞口エラー）が発生した旨を示すコマンド（大入賞口エラーコマンド）が主制御部８０からサブ制御部９０に送信される。これを受けて、サブ制御部９０では、大入賞口３０への異常入球（大入賞口エラー）の発生を外部に知らせるエラー報知の実行に係る処理が行われる。
【０１６４】
一方、S2106で、ラウンド開始時期でないと判定した場合（S2106でNO）、S2112の処理に移行する。ここで、ラウンド開始時期でないと判定する場合として、例えば、１ラウンド開始前のオープニング期間中やラウンド遊技中、ラウンド遊技終了後のインターバル期間中（大入賞口閉鎖処理中）等を挙げることができる。
【０１６５】
S2112では、大入賞口開放動作の実行中であるか否か、すなわち、S2108の処理によって開放された大入賞口が未だ開放中（ラウンド遊技中）であるか否かを判定する（S2112）。その結果、大入賞口開放動作の実行中（ラウンド遊技中）でないと判定した場合（S2112でNO）、S2116の処理に移行し、大入賞口開放動作の実行中（ラウンド遊技中）であると判定した場合（S2112でYES）、実行中のラウンド遊技の終了条件（ラウンド終了条件）が成立したか否かを判定する（S2113）。
【０１６６】
ここで、本実施例のラウンド終了条件として、（１）実行中のラウンド遊技において定められた大入賞口の開放時間（例えば「２５秒」）、つまりラウンド遊技の実行時間が経過したこと、（２）実行中のラウンド遊技において大入賞口に予め定められた規定数（例えば「１０個」）の遊技球が入球したこと、の２つの条件が定められている。そして、何れか一方の条件が先に成立すると、当該先に成立した条件に基づいてラウンド終了条件が成立したこととなる。尚、大当り遊技中（ラウンド遊技中）において、遊技球の発射が不能になるエラーやトラブル等が発生することなく、遊技球発射が滞りなく行われる限り、（２）の条件の成立によりラウンド終了条件が成立するのが通常である。
【０１６７】
S2113にて、ラウンド終了条件が成立していないと判定した場合（S2113でNO）、処理を終え、ラウンド終了条件が成立したと判定した場合（S2113でYES）、対応するラウンドのラウンド終了コマンドをセットし（S2114）、大入賞口閉鎖処理を行う（S2115）。S2114では、１ラウンド目の終了であれば「１Ｒ終了コマンド」、２ラウンド目の終了であれば「２Ｒ終了コマンド」のように、終了するラウンドを特定可能なラウンド終了コマンドがセットされる。セットされたラウンド終了コマンドは、S201の出力処理により、サブ制御部９０に送信される。
【０１６８】
次いで、S2116でインターバル時間が経過したか否かを判定し（S2116）、経過していない（インターバル期間中である）と判定した場合（S2116でNO）、処理を終える。一方、S2116でインターバル時間が経過したと判定した場合（S2116でYES）、ラウンドカウンタの値を１ディクリメントし（S2117）、ラウンドカウンタの値が「０」であるか否かを判定する（S2118）。S2118で、ラウンドカウンタの値が「０」でないと判定した場合（S2118でNO）、処理を終える。一方、ラウンドカウンタの値が「０」であると判定した場合（S2118でYES）、大当り遊技を終了させる大当り終了処理として、大当りのエンディングコマンドをセットすると共に（S2119）、大当りのエンディング期間を開始し（S2120）、大当り終了フラグをＯＮにし（S2121）、処理を終える。尚、ラウンドカウンタの値は、実行する大当り遊技における全てのラウンド遊技を終了すると「０」になる。
【０１６９】
S2119では、予め定められた複数のエンディングコマンドの中から、今回の大当り発生時の遊技状態や今回の大当りの種別、大当り遊技後の遊技状態等に応じたエンディングコマンドが選択され、当該選択されたコマンドがセットされる。こうしてセットされるエンディングコマンドの種類によって、実行される（設定される）エンディング期間（エンディング時間）が決まるものとなっている。エンディング期間は、大当り遊技における大入賞口３０の全ての開放動作を終了した後であって、特別図柄（演出図柄）の変動表示を実行可能とする前に設定される期間であり、「終了期間」ともいう。エンディング期間（終了期間）では、大入賞口３０は閉鎖状態とされている。この「終了期間」に実行する演出を「終了演出（エンディング演出）」ともいう。
【０１７０】
そして、主制御部８０（遊技制御用マイコン８１）は、S2119でセットしたエンディングコマンドを、出力処理（S201）により、所定のタイミングでサブ制御部９０に対して送信し、当該エンディングコマンドを受信したサブ制御部９０は、当該エンディングコマンドに基づいて所定のエンディング演出の実行処理を行う。
【０１７１】
また、S2105において、大当り終了フラグがＯＮであると判定した場合（S2105でYES）、大当り遊技における最終ラウンドが終了しているので、大当りのエンディング時間が経過したか否か、すなわち、前述のS2120の処理で開始したエンディング期間の終了タイミングか否かを判定し（S2122）、エンディング時間が経過していないと判定した場合（S2122でNO）、処理を終える。一方、エンディング時間が経過したと判定した場合（S2122でYES）、大当り終了フラグをＯＦＦにし（S2123）、後述する遊技状態設定処理（S2124）を行う。次いで、大当りフラグをＯＦＦにし（S2125）、特図動作ステータスを「１」にセットし（S2126）、処理を終える。これにより、次回の割り込み処理において、特図動作処理（図２１）として再び特別図柄待機処理（S1102）が実行されることになる。尚、以上の特別電動役物処理（S1107）を実行する遊技制御用マイコン８１は「特別遊技実行手段」および「ラウンド遊技実行手段」として機能するものである。
【０１７２】
［遊技状態設定処理］
図３４に示すように、遊技状態設定処理（S2124）ではまず、今回終了した大当り遊技が確変大当りに係るものであるか否かを判定する（S2201）。本実施例では、前述したように、１６Ｒ第１大当り、６Ｒ第２大当り及び１６第４大当りの３種類を確変大当りとしていることから、S2201では、それら３種類のうちの何れかに該当するか否かを判定する。そして、今回終了したのが確変大当りであると判定した場合（S2201でYES）、確変フラグをＯＮにするとともに（S2202）、確変カウンタに「１０，０００」をセットし（S2203）、さらに時短フラグをＯＮにするとともに（S2204）、時短カウンタに「１０，０００」をセットして（S2205）、処理を終える。
【０１７３】
ここで、確変カウンタにセットする値は、高確率における特別図柄当否判定を実行可能な回数である。本実施例においてセットする「１０，０００」という値（１０，０００回）は、高確率状態における大当り確率や遊技店の１日の営業時間、当該営業時間内に実行可能な特図当否判定の回数等を考慮すると、実質的には次回の大当りが発生するまで又は営業時間が終了するまで、高確率状態を保証しているのと同じことである。従って、遊技状態が高確率状態に設定された場合には、次回の大当りが発生するまで高確率状態が保証されるといってもよい（実質的に同義である）。また、確変フラグがＯＮの場合には、時短カウンタにも同様に「１０，０００」がセットされるため、この高確率状態が設定されている間、時短状態（開放延長状態）も共に設定されるといってよい。つまり、確変大当りに係る大当り遊技が終了すると、遊技状態が「高確高ベース状態」となる。尚、本実施例の様に、確変カウンタおよび時短カウンタに「１０，０００」の値を設定して、実質的に次回大当りまで高確高ベース状態を設定するようにしてもよいし、確変フラグおよび時短フラグがＯＮの場合には、カウンタに値をセットすることなく、次回大当りが発生するまで高確高ベース状態を設定する様な制御を採用してもよい。
【０１７４】
一方、S2201で、確変大当りでないと判定した場合（S2201でNO）、すなわち、今回終了したのが非確変大当り（通常大当り）に係る大当り遊技である場合、確変フラグをＯＮにすることなく、時短フラグをＯＮにするとともに（S2206）、時短カウンタに「１００」をセットして（S2207）、処理を終える。本実施例では、前述したように、６Ｒ第３大当り及び１６Ｒ第５大当りの２種類を非確変大当り（通常大当り）としているので、これら２種類のうちの何れかに係る大当り遊技が終了すると、遊技状態が「低確高ベース状態」となる。この低確高ベース状態は、特別図柄の変動表示が１００回行われること（特別図柄当否判定が１００回行われること）、及び次の大当りが発生すること、の何れかの条件の成立により終了する。尚、時短カウンタおよび確変カウンタは、第１特別図柄の変動表示回数と第２特別図柄の変動表示回数とを合算した回数を計数するものである。尚、以上の遊技状態設定処理（S2124）を実行する遊技制御用マイコン８１は「遊技状態設定手段」として機能するものである。
【０１７５】
［保留球数処理］
図１１に示すように遊技制御用マイコン８１は、特図動作処理（S207）に次いで、保留球数処理（S208）を行う。図３５に示すように、保留球数処理（S208）では、まず、主制御基板８０のＲＡＭに記憶されている特図１保留球数、特図２保留球数および普通図柄保留球数を読み出す（S2501）。次いで、その保留球数のデータ（その保留球数情報をサブ制御基板９０等に送信するための保留球数コマンド）を、ＲＡＭの出力バッファにセットする（S2502）。この保留球数に係るデータ（保留球数コマンド）は、次回の割り込み処理（S105）での出力処理（S201）によって出力され、割り込み処理毎に、保留球数に係るデータ（保留球数コマンド）の出力バッファへのセット（S2502）と、出力処理（S201）とが順次行われる。当該保留球数コマンドを受信したサブ制御部９０は、受信した保留球数コマンドに基づいて特図保留球数に増減が生じたと判断した場合、これに応じて、画像表示装置７の表示画面７ａにおける演出保留表示領域（第１演出保留表示領域９ｃ、第２演出保留表示領域９ｄ）の表示内容を更新する。具体的には、例えば、特図１保留球数が「３」から「４」に１増加した場合、その増加した分の特図１保留球数「４」に対応する第１演出保留９ａを第１演出保留表示領域９ｃに追加表示する。また、特図１保留球数が「２」から「１」に１減少した場合（つまり、第１特図保留が消化された場合）、第１演出保留表示領域９ｃの左端（特図１保留球数「１」に対応する箇所、図３を参照）に表示されている第１演出保留９ａを変動保留表示領域９ｅ（図３を参照）に移動するとともに、これに伴って第１演出保留表示領域９ｃに表示されている第１演出保留９ａを左側に１つ移動（シフト）する。
【０１７６】
尚、特図保留球数が加算された際の特図保留球数のデータ、すなわち始動入球（始動入賞）の発生に伴う特図保留球数のデータについては、前述の始動入球コマンドに含めるか、加算後（始動入球後）の特図保留球数を示す保留球数コマンドを始動入球コマンドとともに出力バッファにセットするものとしてもよい。また、特図保留球数が減算された際の保留球数のデータ、すなわち特別図柄の変動開始（特図保留の消化）に伴う特図保留球数のデータについては、前述の変動開始コマンドに含めるか、減算後（特図保留消化後）の特図保留球数を示す保留球数コマンドを変動開始コマンドとともに出力バッファにセットするものとしてもよい。
【０１７７】
［電源断監視処理］
図１１に示すように遊技制御用マイコン８１は、保留球数処理（S208）に次いで電源断監視処理（S209）を行う。図３６に示すように、電源断監視処理（S209）では、まず、電源断信号の入力の有無を判定し（S2601）、入力がなければ（S2601でNO）、処理を終了する。一方、電源断信号の入力があれば（S2601でYES）、現在の遊技機の状態（確変か否か、当り遊技中か否か、保留球数はいくつか、確変・時短の残り変動回数はいくつか等）に関するデータをＲＡＭに記憶するとともに（S2602）、電源断フラグをＯＮにし（S2603）、その後は割り込み処理（図１１）に戻ることなくループ処理をする。
【０１７８】
［サブ制御メイン処理］
次に、図３７〜図４３に基づいて、演出制御用マイコン９１の動作（サブ制御部９０による制御処理）について説明する。尚、演出制御用マイコン９１の動作説明にて登場するカウンタ、フラグ、ステータス、バッファ、タイマ等は、サブ制御基板９０（サブ制御部）のＲＡＭに設けられている。サブ制御基板９０に備えられた演出制御用マイコン９１は、パチンコ遊技機１の電源がオンされると、サブ制御基板９０のＲＯＭから図３７に示すサブ制御メイン処理のプログラムを読み出して実行する。同図に示すように、サブ制御メイン処理では、まず、ＣＰＵ初期化処理を行う（S4001）。ＣＰＵ初期化処理（S4001）では、スタックの設定、定数設定、ＣＰＵ９２の設定、ＳＩＯ、ＰＩＯ、ＣＴＣ（割り込み時間用コントローラ）等の設定や各種のフラグ、ステータス及びカウンタのリセット等を行う。
【０１７９】
続いて、S4002で、電源断信号がＯＮでかつサブ制御基板９０のＲＡＭの内容が正常であるか否かを判定する（S4002）。そして、この判定結果がＮＯであれば（S4002でNO）、サブ制御基板９０のＲＡＭの初期化をし（S4003）、S4004に進む。一方、判定結果がＹＥＳであれば（S4002でYES）、サブ制御基板９０のＲＡＭを初期化することなくS4004に進む。すなわち、電源断信号がＯＮでない場合、又は電源断信号がＯＮであってもＲＡＭの内容が正常でない場合には（S4002でNO）、サブ制御基板９０のＲＡＭを初期化するが、停電などで電源断信号がＯＮとなったがＲＡＭの内容が正常に保たれている場合には（S4002でYES）、ＲＡＭを初期化しない。ＲＡＭを初期化すれば、各種のフラグ、ステータス及びカウンタの値はリセットされる。尚、このS4001〜S4003は、電源投入後に（電源投入に際して）一度だけ実行され、それ以降は実行されない。また、本実施例では、演出制御用マイコン９１においても、図１１に示す遊技制御用マイコン８１による電源断監視処理（S209）と同様の処理を行うこととしており、停電などで電源断信号がＯＮになると、そのときの演出制御に係るデータがサブ制御基板９０のＲＡＭに記憶されるものとなっている。つまり、停電などの電源断発生時における演出制御に係るデータがバックアップされるものとなっている。このため、停電等の電源断から復帰した後の電源投入時（電断復帰時）に、サブ制御基板９０のＲＡＭの初期化（S4003）が行われない限り、演出制御用マイコン９１による演出制御の状態は電源断発生前の状態に復帰する。
【０１８０】
S4004では、割り込みを禁止する。次いで、乱数シード更新処理を実行する（S4005）。乱数シード更新処理（S4005）では、種々の演出決定用乱数カウンタの値を更新する。更新された乱数カウンタ値は、サブ制御基板９０のＲＡＭの所定の更新値記憶領域（図示せず）に逐次記憶される。演出決定用乱数には、実行する演出図柄遊技演出の態様（変動演出パターン）を決定する変動演出決定用乱数や、予告演出を決定する予告演出決定用乱数、演出図柄を決定する演出図柄決定用乱数等がある。乱数の更新方法は、前述の主制御基板８０が行う乱数更新処理と同様の方法をとることができる。尚、乱数の更新に際して、乱数値を１ずつ加算するのではなく、２ずつ加算するなどしてもよい。演出決定用乱数は、予め定められたタイミングで取得される。このタイミングとしては、例えば主制御基板８０から始動入球があった旨を通知する制御信号（始動入球コマンド）が送信されてきたときや、主制御基板８０から変動開始を通知する制御信号（変動開始コマンド）が送信されてきたときや、後述の変動演出パターンを決定するときなどとすることができる。取得した演出決定用乱数の格納場所は、サブ制御基板９０のＲＡＭの所定の乱数カウンタ値記憶領域（図示せず）である。
【０１８１】
乱数シード更新処理（S4005）が終了すると、コマンド送信処理を実行する（S4006）。コマンド送信処理では、サブ制御基板９０のＲＡＭ内の出力バッファ（「サブ出力バッファ」ともいう）に格納されている各種のコマンド（制御信号）を、画像制御基板１００、音声制御基板１０６およびランプ制御基板１０７のうち、対応するコマンド送信先となる制御基板に送信する。コマンドを受信した各制御基板（各制御部）は、受信したコマンドに従い各種の演出装置（画像表示装置７、スピーカ６７、盤面ランプ５、枠ランプ６６及び可動装飾部材１４等）を用いて各種の演出（演出図柄遊技演出や、大当り遊技に係る特別遊技演出等）を実行する。演出制御用マイコン９１は続いて、割り込みを許可する（S4007）。以降、S4004〜S4007をループさせる。割り込み許可中においては、受信割り込み処理（S4008）、２ｍｓタイマ割り込み処理（S4009）、及び１０ｍｓタイマ割り込み処理（S4010）の実行が可能となる。これらの制御処理を実行することで、画像表示装置７の表示画面７ａ（演出図柄表示領域７ｂ）上で実行される演出図柄等の表示制御や、各種ランプの点灯制御や、可動装飾部材の動作制御や、スピーカからの音声出力制御等を行うことが可能となる。
【０１８２】
［受信割り込み処理］
受信割り込み処理（S4008）では、図３８に示すように、ストローブ信号（ＳＴＢ信号）がＯＮか否か、すなわち主制御基板８０から送られたストローブ信号が演出制御用マイコン９１の外部ＩＮＴ入力部に入力されたか否かを判定する（S4101）。そして、S4101で、ストローブ信号がＯＮでないと判定した場合（S4101でNO）、処理を終える。一方、S4101で、ストローブ信号がＯＮであると判定した場合（S4101でYES）、主制御基板８０から送信されてきた各種のコマンドをサブ制御基板９０のＲＡＭに格納し（S4102）、処理を終える。この受信割り込み処理（S4008）は、他の割り込み処理（S4009、S4010）に優先して実行される処理である。
【０１８３】
［２ｍｓタイマ割り込み処理］
２ｍｓタイマ割り込み処理（S4009）は、サブ制御基板９０に２ｍｓｅｃ周期の割り込みパルスが入力する度に実行する処理である。図３９に示すように、２ｍｓタイマ割り込み処理（S4009）では、まず、演出ボタン検知スイッチ６３ｃ、６３ｄからの検知信号に基づいてスイッチデータ（エッジデータ及びレベルデータ）を作成する入力処理を行う（S4201）。次いで、枠ランプ６６や盤面ランプ５等のランプを発光させるためのランプデータを出力するランプデータ出力処理（S4202）と、可動装飾部材１４（電気的駆動源）を駆動するための駆動データを出力する駆動データ出力処理（S4203）とを行う。尚、ランプデータおよび駆動データは、後述の１０ｍｓタイマ割り込み処理で作成される。そして、ウォッチドッグタイマのリセット処理を行うウォッチドッグタイマ処理を行う（S4204）。
【０１８４】
［１０ｍｓタイマ割り込み処理］
１０ｍｓタイマ割り込み処理（S4010）は、サブ制御基板９０に１０ｍｓｅｃ周期の割り込みパルスが入力する度に実行する処理である。図４０に示すように、１０ｍｓタイマ割り込み処理（S4010）では、まず、後述する受信コマンド解析処理（S4302）を行う。次いで、２ｍｓタイマ割り込み処理で作成したスイッチデータを１０ｍｓタイマ割り込み処理用のスイッチデータとしてサブ制御基板９０のＲＡＭに格納するスイッチ状態取得処理を行い（S4303）、当該スイッチ状態取得処理にて格納したスイッチデータに基づいて表示画面７ａの表示内容等を設定するスイッチ処理を行う（S4304）。その後、ランプデータ（盤面ランプ５や枠ランプ６６の点灯を制御するデータ）を作成したり、演出決定用乱数を更新したりするなどのその他の処理を実行する（S4305）。
【０１８５】
［受信コマンド解析処理］
図４１に示すように、受信コマンド解析処理（S4302）では、まず、主制御基板８０から始動入球コマンドを受信したか否かを判定し（S4395）、始動入球コマンドを受信していないと判定した場合（S4395でNO）、S4401の処理に移行し、始動入球コマンドを受信したと判定した場合（S4395でYES）、演出保留情報記憶処理（S4400）を行って、S4401の処理に移行する。演出保留情報記憶処理（S4400）は、S4395で受信した始動入球コマンド（特図１始動入球コマンド又は特図２始動入球コマンド）に含まれる各種情報（事前判定結果、大当り種別決定用乱数値、変動パターン乱数値等の遊技情報）を、特別図柄の種類（第１特別図柄、第２特別図柄）及び始動入球コマンドの送受信時（コマンド生成時）の特図保留球数に応じて、シフトメモリ形式でサブ制御基板９０のＲＡＭの所定の演出保留情報記憶領域に記憶する。例えば、受信した始動入球コマンドが特図１の保留球数「４」に対応する特図１始動入球コマンドである場合、その特図１始動入球コマンドに含まれる事前判定結果や当り種別等の情報を、特図１演出保留情報記憶領域のうち保留数４に対応する領域に、特図１演出保留情報として記憶する。こうして記憶される演出保留情報は、後述する変動演出や予告演出、演出モード等の各種演出の実行に用いられる。サブ制御基板９０における演出保留情報記憶領域の記憶内容（演出保留情報）は、前述の主制御基板（主制御部）８０における特図保留記憶部（第１特図保留記憶部、第２特図保留記憶部）の記憶内容（取得情報）と一致するものである。このことから、サブ制御基板９０の演出保留情報記憶領域も「取得情報記憶手段」といえる。
【０１８６】
次に、S4401では、主制御基板８０から変動開始コマンドを受信したか否かを判定し（S4401）、変動開始コマンドを受信したと判定した場合（S4401でYES）、後述する変動演出開始処理（S4402）を行って、S4403の処理に移行し、変動開始コマンドを受信していないと判定した場合（S4401でNO）、変動演出開始処理を行うことなく、S4406の処理に移行する。S4403では、主制御基板８０から変動停止コマンドを受信したか否かを判定し（S4403）、変動停止コマンドを受信したと判定した場合（S4403でYES）、演出図柄を停止表示して変動演出を終了させる変動演出終了処理を行う（S4404）。変動演出終了処理（S4404）では、演出図柄８を停止表示して変動演出を終了させるための変動演出終了コマンドをサブ出力バッファにセットする。セットした変動演出終了コマンドがコマンド送信処理（S4006）により画像制御基板１００に送信されると、画像制御用マイコン１０１は、画像表示装置７の表示画面７ａ上で変動表示していた演出図柄８を停止表示して、変動演出（演出図柄遊技演出）を終了させる。一方、S4403で、変動停止コマンドを受信していないと判定した場合（S4403でNO）、変動演出終了処理を行うことなく、S4405の処理に移行する。尚、変動演出とは、演出図柄８の変動表示やリーチ演出など、特別図柄の変動表示に合わせて行われる種々の演出を指す。
【０１８７】
続いて、S4405では、主制御基板８０から大当り遊技関連コマンドを受信したか否かを判定する（S4405）。ここで、大当り遊技関連コマンドとは、遊技制御用マイコン８１（主制御部８０）により制御される遊技状態が特別遊技状態となり、当該特別遊技状態における大当り遊技（ラウンド遊技）の実行にあたり、主制御基板８０から送信されるコマンドのことである。具体的には、大当り遊技（特別遊技状態）の開始に際して送信されるオープニングコマンド（S2010を参照）、ラウンドの開始に際して送信されるラウンド開始コマンド（S2107を参照）、ラウンドでの大入賞口３０への入球に基づき送信される大入賞口入球コマンド、ラウンドの終了に際して送信されるラウンド終了コマンド（S2114を参照）、大当り遊技（特別遊技状態）の終了に際して送信されるエンディングコマンド（S2119を参照）等が該当する。S4405では、これらの大当り遊技関連コマンドの何れかを受信したか否かを判定し、受信していなければ（S4405でNO）、S4407の処理に移行し、受信していれば（S4405でYES）、当該受信したコマンドの種類に応じた種々の大当り遊技演出の実行に係る大当り遊技関連演出処理を行う（S4406）。
【０１８８】
S4406では、例えば、受信した大当り遊技関連コマンドがオープニングコマンドであれば、当該コマンドに基づき特定される大当りの種別に応じたオープニング演出を指定するオープニング演出コマンドをサブ出力バッファにセットし、ラウンド開始コマンドであれば、当該コマンドに基づき特定されるラウンドの開始に応じた演出（ラウンド開始対応演出）を指定するラウンド開始演出コマンドをサブ出力バッファにセットし、大入賞口入球コマンドであれば、当該コマンドに基づき特定される大入賞口３０への遊技球の入球に応じた入球演出を指定する入球演出コマンドをサブ出力バッファにセットする。また、受信した大当り遊技関連コマンドがラウンド終了コマンドであれば、当該コマンドに基づき特定されるラウンドの終了に応じた演出（ラウンド終了対応演出）を指定するラウンド終了演出コマンドをサブ出力バッファにセットし、エンディングコマンドであれば、当該コマンドに基づき特定される大当りの種別に応じたエンディング演出を指定するエンディング演出コマンドをサブ出力バッファにセットする。
【０１８９】
こうしてサブ出力バッファにセットした大当り遊技関連コマンドがコマンド送信処理（S4006）により画像制御基板１００に送信されると、画像制御用マイコン１０１は、大当り遊技（特別遊技状態）やラウンドの進行状況に合わせて、オープニング演出やラウンド演出等の大当り遊技に関連する演出（大当り遊技演出）を画像表示装置７の表示画面７ａ上で実行する。
【０１９０】
最後にS4407の処理を行い、本処理（受信コマンド解析処理）を終える。S4407では、その他の処理として、前述した各種コマンドを除いた他の受信コマンド（例えば、普通図柄変動開始コマンドや普通図柄変動停止コマンド）に基づく処理を行う。
【０１９１】
［変動演出開始処理］
次に、受信コマンド解析処理（S4302）にて実行される変動演出開始処理（S4402）について説明する。図４２に示すように、変動演出開始処理（S4402）では、まず、変動演出決定用乱数や予告演出決定用乱数、演出図柄決定用乱数等の各種演出決定用乱数を取得する演出決定用乱数処理（S4501）を行う。本実施例では、主制御部８０から変動開始コマンドを受信したタイミングでS4501の処理を行い、夫々の乱数から所定の値（取得情報）を取得する。この取得した値（取得情報）に基づいて、実行する演出図柄遊技演出（変動演出）の態様や予告演出の態様、停止表示する演出図柄等を決定する。
【０１９２】
次いで、S4502では、受信した変動開始コマンドを解析する（S4502）。変動開始コマンドには、第１特別図柄または第２特別図柄の変動パターン選択処理で選択された変動パターンを指定する変動パターン指定コマンド（変動パターンを指定する情報）が含まれている。そして、変動パターンを指定する情報には、図９に示す変動パターン情報（Ｐ１〜Ｐ２２）や現在の遊技状態を指定する遊技状態情報、第１特別図柄当否判定または第２特別図柄当否判定の判定結果、大当り種別を指定する図柄情報等が含まれている（図８を参照）。また、変動パターン指定コマンドには、第１特別図柄に対応するものと第２特別図柄に対応するものとが存在することから、変動パターン指定コマンドを解析することで、今回開始する演出図柄遊技演出（演出図柄の変動表示）が特図１に係るものなのか特図２に係るものなのかを判別することが可能となる。尚、変動パターン情報や遊技状態情報、図柄情報等は、これ以降に実行する変動演出開始処理以外の他の処理においても利用可能である。
【０１９３】
次いで、S4503では、演出制御用マイコン９１が現在のモードステータスを参照する（S4503）。モードステータスは、実行する演出モードを決めるためのものである。モードステータスは「１」〜「５」までの何れかの値とされ、各値は演出モードＡ〜Ｅに対して割り当てられている。具体的には、モードステータス「１」が演出モードＡに対応し、モードステータス「２」が演出モードＢに対応し、モードステータス「３」が演出モードＣに対応し、モードステータス「４」が演出モードＤに対応し、モードステータス「５」が演出モードＥに対応する。現在のモードステータスを参照することで、現在の演出モードを特定することが可能である。
【０１９４】
ここで演出モードとは、画像表示装置７における演出の態様であり、演出モードが異なると、予告演出やリーチ演出等の遊技演出の演出態様の一部又は全部が異なるものとされる。具体的に、演出図柄８の表示態様（例えば、図柄デザイン、数字デザインなど）が異なったり、登場するキャラクタ、アイテム、背景画像が異なったりする等、画像表示装置７に表示される演出画像が演出モードによって異なるものとされる。また、演出図柄遊技演出や大当り遊技演出も演出モードに応じた態様で実行されるものとすることができ、複数の遊技演出（予告演出やリーチ演出、ラウンド演出等）を設ける場合に、演出モードによって異なる遊技演出を実行可能とすることができる。
【０１９５】
本実施例では、演出モードＡおよび演出モードＢを遊技状態が低確低ベース状態である場合に実行可能な演出モードとし、演出モードＣを遊技状態が低確高ベース状態である場合に実行可能な演出モードとし、演出モードＤを遊技状態が高確高ベース状態である場合に実行可能な演出モードとし、演出モードＥを遊技状態が低確高ベース状態と高確高ベース状態の何れの場合においても実行可能な演出モードとしている。従って、演出モードが「Ａ〜Ｄ」の何れかである場合、遊技者は演出モードを確認することで、現在の遊技状態が低確低ベース状態であるのか高確高ベース状態（確変遊技状態）であるのかを把握することができる。一方、演出モードが「Ｅ」である場合、遊技者は演出モードを確認しても、現在の遊技状態が低確高ベース状態（時短状態）であるのか高確高ベース状態（確変遊技状態）であるのかを把握（判別）することは困難（不可能）である。その意味において演出モードＥは「確率非報知モード」といえる。
【０１９６】
次いで、S4504では、画像表示装置７、盤面ランプ５、可動装飾部材１４等を用いて行う変動演出のパターン（変動演出パターン）を決めるための図示しない変動演出パターン決定テーブルをセットする（S4504）。具体的には、S4503で参照したモードステータス（現在の演出モード）と主制御部８０から受信した変動パターン指定コマンドに基づいて、使用する変動演出パターン決定テーブルをセットする。例えば、受信した変動パターン指定コマンドが指定する変動パターン情報が「Ｐ１（変動パターンＰ１）」（図９を参照）であった場合、変動演出パターン決定テーブルとして、現在の演出モードに対応した大当り時変動演出パターン決定テーブルがセットされる。変動演出パターン決定テーブルは、主に、演出図柄遊技演出の実行態様（演出図柄の変動態様等）を決定するためのもので、演出モード（モードステータス）に対応する複数の変動演出パターン決定テーブル（図示せず）がサブ制御基板９０のＲＯＭに予め格納されている。S4504では、それらの変動演出パターン決定テーブルの中から、S4503で参照したモードステータス（現在の演出モード）に対応するテーブルが選択されてセットされる。
【０１９７】
次いで、S4505では、S4501において取得した変動演出決定用乱数およびS4504においてセットした変動演出パターン決定テーブルに基づいて、指定された変動パターンに適合した変動演出パターンを選択し、これを設定する（S4505）。変動演出パターンとしては、演出図柄表示領域７ｂで表示される演出図柄８の変動態様（演出図柄遊技演出の実行態様）が設定される。これにより、演出図柄遊技演出（変動演出）において、リーチ演出を実行する場合（リーチ有演出図柄遊技演出）や、特定のキャラクタを用いて行うキャラクタ演出を実行する場合（キャラクタ演出図柄遊技演出）、リーチ演出やキャラクタ演出を実行しない場合（リーチ無演出図柄遊技演出）等が決定される。尚、リーチ演出とは、例えば、特別図柄当否判定の結果が大当りであることを示す場合の演出図柄８の表示態様として、３個の演出図柄８Ｌ、８Ｃ、８Ｒがすべて同一（ゾロ目）となる態様（大当り態様、特定態様）を設けている場合において、３個の演出図柄８Ｌ、８Ｃ、８Ｒのうちの２個が大当り態様を構成する図柄で停止表示（仮停止）され、残り１個が変動表示を続けている状態で、残り１個の演出図柄が大当り態様を完成させる図柄で停止表示されるか否かを示す演出のことをいう。
【０１９８】
また、S4505では、S4501において取得した演出図柄決定用乱数および図示しない停止図柄決定テーブルに基づいて、停止表示する演出図柄８（「停止演出図柄」ともいう）を決定し、これを設定する。演出図柄遊技演出の結果として停止表示される演出図柄８は、特別図柄当否判定の結果が外れであって、リーチ有り外れの場合は「７８７」等の３個の演出図柄８Ｌ，８Ｃ，８Ｒのうち１個の演出図柄が他の演出図柄と異なるバラケ目とされ、リーチ無し外れのときは「６３５」等の３個の演出図柄８Ｌ，８Ｃ，８Ｒのうち少なくとも１個の演出図柄が他の演出図柄が異なるバラケ目とされる。一方、特別図柄当否判定の結果が大当りであって、１６Ｒ第１大当り又は１６Ｒ第４大当りの場合は「７７７」のゾロ目とされ、それ以外の大当りの場合は「７７７」以外の数字図柄のゾロ目とされる。尚、前述した演出図柄８の停止表示態様は一例であり、大当りとなったときに停止演出図柄として何を停止表示するかは適宜変更可能である。
【０１９９】
本実施例のパチンコ遊技機１には、演出図柄８の変動態様（変動演出パターン）として、リーチＡ、リーチＢ、リーチＣ、スーパーリーチ（「ＳＰリーチ」ともいう）Ａ、スーパーリーチＢ、スーパーリーチＣ、キャラクタ演出等が設定されており、S4505で、変動演出パターン決定テーブルに基づいて、これらのうち何れの演出を行うか、又はこれらの演出を行わない（これを「ノーマル変動」ともいう）かが決定される。そして、リーチ有演出図柄遊技演出が実行される場合には、変動パターン指定コマンド及び変動演出パターン決定テーブルに基づいて、何れかのリーチ演出が設定される。ここで、演出図柄遊技演出として、スーパーリーチ演出が実行される場合には、ノーマルリーチ演出が実行される場合と比較して、大当りとなる可能性が高くなるように設定されている。すなわち、スーパーリーチ演出はリーチ（ノーマルリーチ）演出と比較して大当り信頼度（大当りとなる可能性）の高い遊技演出であるといえる。尚、リーチ演出は、主として、変動時間が３００００ｍｓ以上の変動パターン（図９を参照）を指定する変動パターン指定コマンドを受信した場合に設定（実行）され得る。
【０２００】
次いで、S4506では、予告演出の設定に係る処理（予告演出設定処理）を行う（S4506）。本実施例では、S4400で記憶した演出保留情報（事前判定結果）に基づく予告演出（保留先読み予告）や、現在の特図変動表示（変動演出）に係る予告演出（当該変動予告）など、種々の予告演出が実行可能となっていることから、S4506では、各予告演出について、実行するか否か（実行有無）を判定したり、実行する予告演出の実行パターン（予告演出パターン）を設定したりする。具体的には、S4501において取得した予告演出決定用乱数と、サブ制御基板９０のＲＯＭに記憶された予告演出決定テーブルとに基づいて、予告演出の実行有無や予告演出パターンを決定し、この決定結果に基づいて予告演出パターンを設定する。
【０２０１】
ここで、本実施例では、演出図柄８（演出図柄８Ｌ，８Ｃ，８Ｒ）が変動表示を開始してから、全図柄の変動表示速度が高速で略一定となった後に減速して第１停止図柄（左演出図柄８Ｌ）または第２停止図柄（右演出図柄８Ｒ）が停止表示（仮停止）するまでの期間（以下「第１期間」ともいう。）と、リーチ成立から所定のリーチ演出を経て３つ演出図柄８Ｌ，８Ｃ，８Ｒが一旦仮停止（仮停止表示）するまでの期間（以下「第２期間」ともいう。）と、３つ演出図柄８Ｌ，８Ｃ，８Ｒが一旦仮停止の後に変動表示を再開してから確定停止（確定停止表示）するまでの期間（以下「第３期間」ともいう。）と、の各タイミングで、当該変動表示に関する予告演出（当該変動予告）を実行することが可能となっている。この第１期間から第３期間のうち、第１期間にて実行する予告演出のことを「第１期間予告」や「変動序盤予告」ともいい、第２期間にて実行する予告演出のことを「第２期間予告」や「変動中盤予告」ともいい、第３期間にて実行する予告演出のことを「第３期間予告」や「変動終盤予告」ともいう。
【０２０２】
これらの各種予告演出のうち、変動序盤予告（第１期間予告）に係る予告演出決定用乱数として、「基本予告振り分け乱数」、「背景予告決定用乱数」、「基本予告決定用乱数」、「主予告決定用乱数」および「副予告決定用乱数」が設けられている。これらの予告決定用乱数は、いずれも「０〜９９」の範囲で値をとるものであり、前述のS4501において取得される。S4506では、その取得した各乱数を用いた判定（乱数抽選）の結果に基づいて、変動序盤予告の実行有無を決定したり、実行する場合の予告演出パターンを決定（設定）したりするものとなっている。変動序盤予告についての詳細は後述する。
【０２０３】
尚、S4400で記憶される演出保留情報の記憶内容（演出保留情報記憶領域の記憶内容）や、S4502での変動開始コマンドの解析結果により特定される特別図柄当否判定の結果（今回の特図変動表示に係る当否判定の結果）、同じく変動開始コマンドの解析結果により特定される特別図柄の変動パターン情報（今回の特図変動表示に係る変動パターンや停止図柄）によって、S4506で設定する予告演出パターン、すなわち、実行する予告演出の種類（予告種）や態様、予告演出の有無等は、異なるものとなる。また、予告演出を実行する場合、複数の予告演出のうち、一の予告演出（一種類の予告演出）を行うこともあれば、二以上の予告演出（複数種の予告演出）を複合して行うこと、すなわち、一の変動表示中（変動演出中）に複数種の予告演出を各々の実行タイミングで行うこともある。
【０２０４】
次いで、S4507では、S4505で設定した変動演出パターンおよびS4506で設定した予告演出パターンに基づいて演出図柄遊技演出（変動演出、予告演出等）を開始するための変動演出開始コマンドをサブ出力バッファにセットし（S4507）、変動演出開始処理を終える。S4507でセットされた変動演出開始コマンドが、コマンド送信処理（S4006）により画像制御基板１００に送信されると、画像制御用マイコン１０１は、変動演出開始コマンドに基づき特定される変動演出パターン、すなわちS4505で設定された変動演出パターンに対応する所定の変動演出用画像データ（演出図柄８の変動開始、変動中、変動停止等を示す画像データ）と、変動演出開始コマンドに基づき特定される予告演出パターン、すなわちS4506で設定された予告演出パターンに対応する所定の予告演出用画像データを画像制御基板１００のＲＯＭから読み出して、該読み出した画像データによる変動演出や予告演出等を画像表示装置７の表示画面７ａ上で実行する。また、演出表示器１０２での２個のＬＥＤによる変動表示（点滅表示）も実行する。
【０２０５】
［変動序盤予告］
次に、演出図柄８の変動表示の開始から終了（確定停止）までのうち、前述の第１期間において実行される変動序盤予告について説明する。変動序盤予告は、遊技状態が低ベース状態の場合と高ベース状態の場合との何れにおいても実行され得る予告演出であるが、以下では、低ベース状態での変動序盤予告を例に説明する。
【０２０６】
本実施例の変動序盤予告は、主に、画像表示装置７の表示画面７ａに所定の予告画像を表示して行う予告演出表示であり、大別すると、変動序盤予告の主たる予告演出を構成する基本予告と、表示画面７ａの背景画像変化による背景予告とからなる。この基本予告や背景予告（つまり、変動序盤予告）は、現在実行中の演出図柄８の変動表示（特別図柄の変動表示）の表示結果が大当り態様（特定表示結果）となる可能性、すなわち、大当り信頼度を示唆するものである。
【０２０７】
基本予告の種類（基本予告種）は、「コメント予告」、「ステップアップ予告」および「画面歪み予告」の３種類となっており、これら３種類のうちの何れか１種類が行われる場合と、これら３種類のうち２種類が複合して（同時期に）行われる場合とがある。また、背景予告の種類（背景予告種）は、「夜」、「雨」および「稲妻」の３種類となっており、基本予告の何れか１種類と複合して（同時期に）行われる場合と、基本予告と複合せず単独で行われる場合とがある。本実施例では、低ベース状態の演出モード（演出モードＡまたはＢ）で表示画面７ａに表示される背景画像には青空が描かれており、この青空を含む背景画像が基本背景となっている。したがって、背景予告は、青空の基本背景が「夜空」や「雨降り」、「落雷による稲妻発生」の何れかの態様に変化するもの（背景変化）となっている。
【０２０８】
変動序盤予告の実行有無や、実行する場合の予告演出パターンの決定は、次のようにして行う。すなわち、演出制御用マイコン９１は、前述した予告演出設定処理（S4506）におけるサブルーチンの１つとして、図４３に示す変動序盤予告設定処理（S4600）を行う。変動序盤予告設定処理（S4600）では、まず、基本予告に関し、実行対象とする基本予告種を決定するための基本予告振り分け処理を行う（S4601）。この基本予告振り分け処理は、前述の基本予告振り分け乱数と、図４４（ａ）に示す基本予告振り分けテーブルとに基づいて行う。尚、基本予告振り分けテーブルを含め、以下の説明で登場する変動序盤予告についての決定に関する各種テーブルは、何れもサブ制御基板９０のＲＯＭに記憶されているものであり、予告演出決定テーブルの一種である。
【０２０９】
図４４（ａ）に示すように、本実施例の基本予告振り分けテーブルは、前述のS4502での変動開始コマンドの解析結果により特定される特別図柄の変動パターン（ここではＰ１〜Ｐ１１）と、前述のS4501で取得される基本予告振り分け乱数とに基づいて、実行対象とする基本予告種を「コメント予告」、「ステップアップ予告」、「画面歪み予告」および「複合」の何れかに決定することが可能なデータ構造となっている。具体的には、特別図柄の大当り変動パターン「Ｐ１〜Ｐ３」と、外れ変動パターン「Ｐ４〜Ｐ１０」及び「Ｐ１１」について（図９を参照）、基本予告振り分け乱数値（０〜９９）を、「コメント予告」、「ステップアップ予告」、「画面歪み予告」および「複合」に割り当てたものとなっている。
【０２１０】
本実施例の基本予告振り分けテーブルでは、特別図柄の変動パターンが大当り変動パターン（Ｐ１〜Ｐ３）である場合には、「複合」の選択率（選択される可能性）が最も高くなっており、以下、「ステップアップ予告」、「コメント予告」の順で選択率が低くなる。一方、特別図柄の変動パターンが外れ変動パターン（Ｐ４〜Ｐ１１）である場合には、「コメント予告」の選択率が最も高くなっており、以下、「ステップアップ予告」、「画面歪み予告」、「複合」の順で選択率が低くなる。また、外れ変動パターンＰ１１については「複合」が選択されないもの（選択率ゼロ）となっている。したがって、「コメント予告」、「ステップアップ予告」、「画面歪み予告」および「複合」の基本予告種についての大当り信頼度は、「複合」が最も高く、以下、「画面歪み予告」、「ステップアップ予告」、「コメント予告」の順で低くなる（ランクＫ４→Ｋ３→Ｋ２→Ｋ１）。尚、図４４および図４５に示す各テーブルにおいて、乱数範囲の後のかっこ書きは乱数の個数を示している。また、「−」は乱数値を割り当てていないことを示しているもので、この部分は選択対象とならない（選択されない）。さらに、図４４に示す各テーブルにおける「ランク」とは大当り信頼度を示しており、当該ランクで示す値が大きいほど、大当り信頼度が高いことを示している。
【０２１１】
次いで、S4602では、S4601における基本予告振り分け処理の結果、選択された基本予告種が「複合」であるか否かを判定し（S4602）、「複合」でない場合（S4602でNO）、すなわち、選択された基本予告種が「コメント予告」、「ステップアップ予告」、「画面歪み予告」の何れかである場合、S4603およびS4604の処理を行い、「複合」である場合（S4602でYES）、S4605およびS4606の処理を行う。
【０２１２】
S4603では、S4602の処理にて選択された基本予告種（コメント予告、ステップアップ予告または画面歪み予告）に対応する予告決定テーブルをサブ制御基板９０のＲＯＭから読み出し、該読み出したテーブルと前述の基本予告決定用乱数とに基づいて、基本予告の演出パターン（基本予告演出パターン）を選択して設定する（S4603）。具体的に、S4602で選択された基本予告種が「コメント予告」である場合には、図４４（ｃ）に示すコメント予告決定テーブルを用いてコメント予告の演出パターンを選択し、S4602で選択された基本予告種が「ステップアップ予告」である場合には、図４４（ｄ）に示すステップアップ予告決定テーブルを用いてステップアップ予告の演出パターンを選択し、S4602で選択された基本予告種が「画面歪み予告」である場合には、図４４（ｅ）に示す画面歪み予告決定テーブルを用いて画面歪み予告の演出パターンを選択する。
【０２１３】
ここで、基本予告を構成する「コメント予告」、「ステップアップ予告」および「画面歪み予告」の実行態様について説明する。まず、本実施例の「コメント予告」は、図４６（ａ）に示すように、画像表示装置７の表示画面７ａ上において、演出図柄８の変動表示の開始から間もなくしてキャラクタが出現し、このキャラクタが所定の動作を経て当該変動表示に関するコメントを発する予告演出である。具体的には、図４８（ａ）に示すように、演出図柄８の変動表示の開始から１秒が経過したタイミングで表示画面７ａ上に所定のキャラクタが登場するシーンが表示され、その後、７秒（変動表示の開始から８秒）が経過したタイミングで、そのキャラクタが何らかのコメントを発する様子が表示される。そして、コメント表示から２秒（変動表示の開始から１０秒）が経過したタイミングで、演出図柄８の変動表示の速度が減速され、第１停止図柄（左演出図柄８Ｌ）、第２停止図柄（右演出図柄８Ｒ）の順で演出図柄８の停止表示が開始される。この後、３つの演出図柄８Ｌ，８Ｃ，８Ｒが確定停止するか、第１停止図柄（左演出図柄８Ｌ）と第２停止図柄（右演出図柄８Ｒ）が同一図柄で停止してリーチ成立となり、リーチ演出に発展する（第２期間へ進む）。このように、本実施例のコメント予告でキャラクタが発するコメントの内容（コメント予告の演出内容）は、「・・・」、「ファイト！」、「リーチ！？」、「チャンス」および「激熱」の５種類となっており、これら５種類のコメントのうち何れかを、図４４（ｃ）に示すコメント予告決定テーブルを用いて選択（決定）することが可能となっている。
【０２１４】
図４４（ｃ）に示すように、本実施例のコメント予告決定テーブルは、前述のS4502での変動開始コマンドの解析結果により特定される特別図柄の変動パターン（ここではＰ１〜Ｐ１１）と、前述のS4501で取得される基本予告決定用乱数とに基づいて、コメント予告の演出内容（コメント予告演出パターン）を、「・・・」、「ファイト！」、「リーチ！？」、「チャンス」および「激熱」の何れかに決定することが可能なデータ構造となっている。具体的には、特別図柄の変動パターン「Ｐ１」、「Ｐ２」、「Ｐ３」、「Ｐ４，Ｐ８」、「Ｐ５，Ｐ９」、「Ｐ６，Ｐ１０」、「Ｐ７」および「Ｐ１１」の各々について、基本予告決定用乱数値（０〜９９）を、「・・・」、「ファイト！」、「リーチ！？」、「チャンス」および「激熱」に割り当てたものとなっている。
【０２１５】
本実施例のコメント予告決定テーブルにて選択可能な演出内容（コメント予告演出パターン）、すなわち、５種類のコメントのうち、「・・・」は特別図柄の全変動パターンで選択され得るものとなっており、大当り変動パターン（Ｐ１〜Ｐ３）に比べ外れ変動パターン（Ｐ４〜Ｐ１１）の方が、選択率が高くなっている。この「・・・」は、変動表示に関して何ら情報を示すものではなく、コメントの内容が無いに等しいものである。したがって、「・・・」についての大当り信頼度は「なし」となっている。尚、外れ変動パターン「Ｐ５〜Ｐ７」および「Ｐ９〜Ｐ１１」については、各変動パターンにおいて「・・・」の選択率が最も高くなっている。
【０２１６】
また、５種類のコメントのうち、「・・・」以外のコメントについては、特別図柄の変動パターンが大当り変動パターン（Ｐ１〜Ｐ３）である場合には、「激熱」の選択率が最も高くなっており、以下、「チャンス」、「リーチ！？」、「ファイト！」の順で低くなる。一方、特別図柄の変動パターンが外れ変動パターン（Ｐ４〜Ｐ１１）である場合には、「ファイト！」の選択率が最も高くなっており、以下、「リーチ！？」、「チャンス」、「激熱」の順で低くなる。さらに、外れ変動パターン「Ｐ７」については「チャンス」および「激熱」が選択されないものとなっており、外れ変動パターン「Ｐ１１」については「リーチ！？」、「チャンス」および「激熱」が選択されないものとなっている。したがって、コメント予告の演出内容（コメント予告演出パターン）についての大当り信頼度は、「激熱」が最も高く、以下、「チャンス」、「リーチ！？」、「ファイト！」、「・・・」の順で低くなる（ランクＣ４→Ｃ３→Ｃ２→Ｃ１→なし）。
【０２１７】
次に、本実施例の「ステップアップ予告」は、図４６（ｂ）に示すように、画像表示装置７の表示画面７ａに予告用の演出画像が段階的に表示されていくもので、段階毎（ステップ毎）に所定のキャラクタが表示される予告演出（キャラクタステップアップ予告）である。具体的に、本実施例では、ステップ１から最大ステップ５（以下「ステップ」を「ＳＵ」と表記することもある。図面も同じ。）まで進行し得るものとなっており、図４８（ｂ）に示すように、演出図柄８の変動表示の開始から１秒が経過したタイミングで「ＳＵ１」の演出（例えばキャラクタＡの表示）が実行され、ＳＵ１の実行（発生）から１．５秒（変動表示の開始から２．５秒）が経過したタイミングで「ＳＵ２」の演出（例えばキャラクタＢの表示）が実行され、以後、前のステップの実行（発生）から１．５秒が経過する毎にＳＵ３、ＳＵ４、ＳＵ５とステップ（段階）が進むように構成されている。そして、ステップアップ予告が所定のステップで終了する場合には、当該終了となる最終ステップで表示した演出画像が、その表示開始から所定時間（ＳＵ１〜ＳＵ４の場合は約１．３秒、ＳＵ５の場合は約２．７秒）が経過したタイミングで表示画面７ａ上から消去される。その後、演出図柄８の変動表示の開始から１０秒が経過したタイミングで、演出図柄８の変動表示の速度が減速され、第１停止図柄（左演出図柄８Ｌ）、第２停止図柄（右演出図柄８Ｒ）の順で演出図柄８の停止表示が開始される。この後、３つの演出図柄８Ｌ，８Ｃ，８Ｒが確定停止するか、リーチ成立となってリーチ演出に発展する（第２期間へ進む）。
【０２１８】
このように、本実施例のステップアップ予告はＳＵ１からＳＵ５までの最大５段階で構成されており、５段階（ＳＵ１〜ＳＵ５）のうち最終段階（最終ステップ）が何段階のステップアップ予告を行うのか、あるいは、ステップアップ予告を行わないのかを、図４４（ｄ）に示すステップアップ予告決定テーブルを用いて選択（決定）することが可能となっている。
【０２１９】
図４４（ｄ）に示すように、本実施例のステップアップ予告決定テーブルは、前述のS4502での変動開始コマンドの解析結果により特定される特別図柄の変動パターン（ここではＰ１〜Ｐ１１）と、前述のS4501で取得される基本予告決定用乱数とに基づいて、ステップアップ予告の演出内容（ステップアップ予告演出パターン）を、「なし（実行しない）」、「ＳＵ１」、「ＳＵ２」、「ＳＵ３」、「ＳＵ４」および「ＳＵ５」の何れかに決定することが可能なデータ構造となっている。具体的には、特別図柄の変動パターン「Ｐ１」、「Ｐ２」、「Ｐ３」、「Ｐ４，Ｐ８」、「Ｐ５，Ｐ９」、「Ｐ６，Ｐ１０」、「Ｐ７」および「Ｐ１１」の各々について、基本予告決定用乱数値（０〜９９）を、「なし（実行しない）」、「ＳＵ１」、「ＳＵ２」、「ＳＵ３」、「ＳＵ４」および「ＳＵ５」に割り当てたものとなっている。尚、図４４（ｄ）に示すステップアップ予告決定テーブルの演出内容のうち、「ＳＵ１」は最終ステップがＳＵ１のステップアップ予告演出パターンであり、「ＳＵ２」は最終ステップがＳＵ２のステップアップ予告演出パターンであり、「ＳＵ３」は最終ステップがＳＵ３のステップアップ予告演出パターンであり、「ＳＵ４」は最終ステップがＳＵ４のステップアップ予告演出パターンであり、「ＳＵ５」は最終ステップがＳＵ５のステップアップ予告演出パターンである。
【０２２０】
本実施例のステップアップ予告決定テーブルにて選択可能な演出内容（ステップアップ予告演出パターン）のうち、「なし（実行しない）」は特別図柄の全変動パターンで選択され得るものとなっており、大当り変動パターン（Ｐ１〜Ｐ３）に比べ外れ変動パターン（Ｐ４〜Ｐ１１）の方が、選択率が高くなっている。「なし（実行しない）」が選択された場合には、前述のS4601にて実行対象の基本予告種がステップアップ予告に決定されたものの、ステップアップ予告（基本予告）は最終的に実行されないこととなる。したがって、ステップアップ予告の演出内容「なし」についての大当り信頼度は「なし」となっている。尚、外れ変動パターン「Ｐ６，Ｐ１０」、「Ｐ７」および「Ｐ１１」については、「なし（実行しない）」の選択率が最も高くなっている。
【０２２１】
また、「ＳＵ１」〜「ＳＵ５」については、特別図柄の変動パターンが大当り変動パターン（Ｐ１〜Ｐ３）である場合には、「ＳＵ５」の選択率が最も高くなっており、以下、「ＳＵ４」、「ＳＵ３」、「ＳＵ２」の順で低くなる。尚、大当り変動パターン「Ｐ１」については「ＳＵ１」および「ＳＵ２」が選択されないものとなっており、大当り変動パターン「Ｐ２」および「Ｐ３」については「ＳＵ１」が選択されないものとなっている。一方、特別図柄の変動パターンが外れ変動パターン（Ｐ４〜Ｐ１１）である場合には、各変動パターンにて選択可能なステップ（段階）のうち、ステップの値（ステップ数）が小さくなる程、選択率が高くなっており、換言すると、ステップ数が大きくなる程、選択率が低くなっている。尚、外れ変動パターン「Ｐ４，Ｐ８」については「ＳＵ１」および「ＳＵ２」が選択されないものとなっており、外れ変動パターン「Ｐ５，Ｐ９」については「ＳＵ１」が選択されないものとなっており、外れ変動パターン「Ｐ７」については「ＳＵ３」〜「ＳＵ５」が選択されないものとなっており、外れ変動パターン「Ｐ１１」については「ＳＵ２」〜「ＳＵ５」が選択されないものとなっている。したがって、ステップアップ予告の演出内容（ステップアップ予告演出パターン）についての大当り信頼度は、「ＳＵ５」が最も高く、以下、「ＳＵ４」、「ＳＵ３」、「ＳＵ２」、「ＳＵ１」の順で低くなる（ランクＳ５→Ｓ４→Ｓ３→Ｓ２→Ｓ１）。
【０２２２】
最後に、本実施例の「画面歪み予告」は、図４７に示すように、画像表示装置７の表示画面７ａに表示される演出図柄８や背景画像等の変動演出画像（変動演出画面）に歪みが生じ（図４７（ａ），（ｂ）を参照）、その後、変動演出画像が画面上から消失するか（４７（ｄ），（ｅ）を参照）、消失することなく元の状態（正常状態）に復帰する（４７（ｃ）を参照）予告演出である。具体的には、図４８（ｃ）に示すように、演出図柄８の変動表示の開始から１．５秒が経過したタイミングで、変動演出画像の周縁（画面周縁）が波打つように揺れ始め（図４７（ａ）を参照）、当該揺れ始めから２．５秒（変動表示の開始から４秒）が経過したタイミングで、変動演出画像の周縁４辺がそれぞれ内側に湾曲して小さな歪みが発生し（図４７（ｂ）を参照）、そこから更に２秒（変動表示の開始から６秒）が経過したタイミングで、変動演出画像の歪みが無くなって画面周縁の揺れも無い元の変動演出画像に復帰するか（図４７（ｃ）を参照）、歪みがさらに大きくなる（図４７（ｄ）を参照）。そして、歪みが無くなって元の変動演出画像に復帰した場合には、演出図柄８の変動表示の開始から１０秒が経過したタイミングで、演出図柄８の変動表示の速度が減速され、第１停止図柄（左演出図柄８Ｌ）、第２停止図柄（右演出図柄８Ｒ）の順で演出図柄８の停止表示が開始された後、３つの演出図柄８Ｌ，８Ｃ，８Ｒが確定停止するか、リーチ成立となってリーチ演出に発展する（第２期間へ進む）。一方、変動演出画像の歪みが大きくなった場合には、演出図柄８の変動表示の開始から９秒が経過したタイミングで、変動演出画像が表示画面７ａ上から消失して表示画面７ａがブラックアウトした状態となり（図４７（ｅ）を参照）、その後、リーチ演出に発展するか、３つの演出図柄８Ｌ，８Ｃ，８Ｒが仮停止を経て再度変動表示を開始する（第２期間へ進む）。
【０２２３】
このように、本実施例の画面歪み予告は、変動演出画像（変動演出画面）の周縁（画面周縁）が揺れ始めて小さな歪みが発生した後、元の変動演出画像に復帰するパターン（復帰パターン）と、歪みがさらに大きくなって変動演出画像が表示画面７ａ上から消失するパターン（消失パターン）の２種類によって構成されており、復帰パターンと消失パターンのうち何れのパターンで画面歪み予告を行うのか、あるいは、画面歪み予告を行わないのかを、図４４（ｅ）に示す画面歪み予告決定テーブルを用いて選択（決定）することが可能となっている。
【０２２４】
図４４（ｅ）に示すように、本実施例の画面歪み予告決定テーブルは、前述のS4502での変動開始コマンドの解析結果により特定される特別図柄の変動パターン（ここではＰ１〜Ｐ１１）と、前述のS4501で取得される基本予告決定用乱数とに基づいて、画面歪み予告の演出内容（画面歪み予告演出パターン）を、「なし（実行しない）」、「画面歪み→復帰（復帰パターン）」および「画面歪み→消失（消失パターン）」の何れかに決定することが可能なデータ構造となっている。具体的には、特別図柄の変動パターン「Ｐ１」、「Ｐ２」、「Ｐ３」、「Ｐ４，Ｐ８」、「Ｐ５，Ｐ９」、「Ｐ６，Ｐ１０」、「Ｐ７」および「Ｐ１１」の各々について、基本予告決定用乱数値（０〜９９）を、「なし（実行しない）」、「画面歪み→復帰（復帰パターン）」および「画面歪み→消失（消失パターン）」に割り当てたものとなっている。
【０２２５】
本実施例の画面歪み予告決定テーブルにて選択可能な演出内容（画面歪み予告演出パターン）のうち、「なし（実行しない）」は特別図柄の全変動パターンで選択され得るものとなっており、大当り変動パターン（Ｐ１〜Ｐ３）に比べ外れ変動パターン（Ｐ４〜Ｐ１１）の方が、選択率が高くなっている。「なし（実行しない）」が選択された場合には、前述のS4601にて実行対象の基本予告種が画面歪み予告に決定されたものの、画面歪み予告（基本予告）は最終的に実行されないこととなる。したがって、画面歪み予告の演出内容「なし」についての大当り信頼度は「なし」となっている。尚、外れ変動パターン「Ｐ７」および「Ｐ１１」については、「なし（実行しない）」の選択率が最も高くなっている。
【０２２６】
また、「画面歪み→復帰」については、特別図柄の全変動パターンで選択され得るものとなっており、大当り変動パターン「Ｐ１」の場合は、「なし（実行しない）」と同じ選択率となっており、大当り変動パターン「Ｐ２」、「Ｐ３」と、外れ変動パターン「Ｐ４，Ｐ８」、「Ｐ５，Ｐ９」、「Ｐ６，Ｐ１０」の場合は、「なし（実行しない）」よりも選択率が高くなっており、外れ変動パターン「Ｐ７」、「Ｐ１１」の場合は、「なし（実行しない）」よりも選択率が低くなっている。
【０２２７】
さらに、「画面歪み→消失」については、特別図柄の大当り変動パターン「Ｐ１」、「Ｐ２」と、外れ変動パターン「Ｐ４，Ｐ８」、「Ｐ５，Ｐ９」で選択され得るものとなっており、これ以外の変動パターンでは選択されないものとなっている。そして、大当り変動パターン「Ｐ１」、「Ｐ２」については、それぞれ「画面歪み→消失」の選択率が最も高くなっており、外れ変動パターン「Ｐ４，Ｐ８」、「Ｐ５，Ｐ９」については、それぞれ「画面歪み→消失」の選択率が最も低くなっている。したがって、画面歪み予告の演出内容（画面歪み予告演出パターン）についての大当り信頼度は、「画面歪み→消失」の方が「画面歪み→復帰」よりも高くなる（ランクＧ２→Ｇ１）。
【０２２８】
S4603では、以上の３つの基本予告種（コメント予告、ステップアップ予告または画面歪み予告）のうちの何れかについて、対応する予告決定テーブルに基づいて演出内容（予告演出パターン）を選択して設定する（S4603）。次いで、S4604では、背景予告決定テーブルをサブ制御基板９０のＲＯＭから読み出し、該読み出したテーブルと前述の背景予告決定用乱数とに基づいて、背景予告の演出パターン（予告演出パターン）を選択して設定する（S4604）。
【０２２９】
本実施例の背景予告は、前述したように、画像表示装置７の表示画面７ａに表示される青空の基本背景が夜空に変化する「夜パターン」、雨降り（雨模様）に変化する「雨パターン」、落雷による稲妻発生に変化する「稲妻パターン」の３種類によって構成されており、これら３種類のパターンのうち何れのパターンで背景予告を行うのか、あるいは、背景予告を行わないのかを、図４４（ｂ）に示す背景予告決定テーブルを用いて選択（決定）することが可能となっている。尚、本実施例の背景予告は、演出図柄８の変動表示の開始から１秒が経過したタイミングで開始され、その後、３つの演出図柄８Ｌ，８Ｃ，８Ｃがリーチ成立とならずに確定停止表示するか（完全バラケ目）、リーチ成立となってリーチ演出に発展する直前（第２期間へ移行する直前）まで行われる。
【０２３０】
図４４（ｂ）に示すように、本実施例の背景予告決定テーブルは、前述のS4502での変動開始コマンドの解析結果により特定される特別図柄の変動パターン（ここではＰ１〜Ｐ１１）と、前述のS4501で取得される背景予告決定用乱数とに基づいて、背景予告の演出内容（背景予告演出パターン）を、「なし（実行しない）」、「夜」、「雨」および「稲妻」の何れかに決定することが可能なデータ構造となっている。具体的には、特別図柄の大当り変動パターン「Ｐ１〜Ｐ３」と、外れ変動パターン「Ｐ４〜Ｐ１０」及び「Ｐ１１」について、背景予告決定用乱数値（０〜９９）を、「なし（実行しない）」、「夜」、「雨」および「稲妻」に割り当てたものとなっている。
【０２３１】
本実施例の背景予告決定テーブルにて選択可能な演出内容（背景予告演出パターン）のうち、「なし（実行しない）」は特別図柄の全変動パターンで選択され得るものとなっており、大当り変動パターン（Ｐ１〜Ｐ３）に比べ外れ変動パターン（Ｐ４〜Ｐ１１）の方が、選択率が高くなっている。「なし（実行しない）」が選択された場合には、背景予告は実行されないこととなる。したがって、背景予告の演出内容「なし」についての大当り信頼度は「なし」となっている。尚、外れ変動パターン「Ｐ４〜Ｐ１０」および「Ｐ１１」については、それぞれ「なし（実行しない）」の選択率が最も高くなっている。
【０２３２】
また、「夜」、「雨」、「稲妻」については、特別図柄の変動パターンが大当り変動パターン（Ｐ１〜Ｐ３）である場合には、「稲妻」の選択率が最も高くなっており、以下、「雨」、「夜」の順で低くなる。一方、特別図柄の変動パターンが外れ変動パターン（Ｐ４〜Ｐ１１）である場合には、「夜」の選択率が最も高くなっており、以下、「雨」、「稲妻」の順で低くなる。尚、外れ変動パターン「Ｐ１１」については「雨」および「稲妻」が選択されないものとなっている。したがって、背景予告の演出内容（背景予告演出パターン）についての大当り信頼度は、「稲妻」が最も高く、以下、「雨」、「夜」の順で低くなる（ランクＨ３→Ｈ２→Ｈ１）。
【０２３３】
以上のS4603およびS4604の処理を行った後、当該処理により設定した予告演出パターンに基づく予告演出を含む演出図柄遊技演出の開始コマンド（変動演出開始コマンド）が、前述のS4507の処理によりサブ出力バッファにセットされ、画像制御基板１００に送信されることで、当該コマンドに基づく演出表示（変動演出、基本予告、背景予告等）が画像表示装置７の表示画面７ａで行われる。このとき、S4603で基本予告の演出パターンが設定されるとともにS4604で背景予告の演出パターンが設定されていれば、画像表示装置７の表示画面７ａでは基本予告と背景予告が複合して行われる。例えば、基本予告としてステップアップ予告の「ＳＵ３」が設定され、背景予告として「雨」が設定された場合、表示画面７ａでは、雨の背景画像をバックに「ＳＵ１」〜「ＳＵ３」までのステップアップ予告が行われる。また、S4603で基本予告の演出パターンが設定されて、S4604で背景予告が非実行（なし）となった場合、表示画面７ａでは設定された基本予告演出パターンに基づく基本予告だけが行われ、S4603で基本予告が非実行（なし）となって、S4604で背景予告の演出パターンが設定された場合、表示画面７ａでは設定された背景予告演出パターンに基づく背景予告だけが行われる。さらに、S4603とS4604で基本予告と背景予告の双方が非実行（なし）となった場合、表示画面７ａでは基本予告も背景予告も行われず、変動序盤予告は行われないこととなる。
【０２３４】
一方、前述のS4602にて、S4601における基本予告振り分け処理の結果が「複合」であると判定した場合（S4602でYES）、S4605およびS4606の処理を行う。ここで、S4601における基本予告振り分け処理の結果が「複合」である場合、３種類の基本予告（コメント予告、ステップアップ予告、画面歪み予告）のうち１種類を主予告、他の１種類を副予告として、これら主予告と副予告の双方を、第１期間において並行して（重複して）実行することとしている。主予告と副予告の区別は、予告演出の終了タイミング（終期）の違いによるもので、副予告として行う予告演出の方が、主予告として行う予告演出よりも早く（先に）終了するものとしている。このように基本予告を主予告と副予告とに区別して、主予告と副予告を並行して（重複して）行う変動序盤予告（第１期間予告）のことを「複合予告」ともいう。
【０２３５】
複合予告は、画像表示装置７の表示画面７ａ上で並行して（重複して）実行される２種類の予告演出のうち、どちらの予告演出がより長く行われるか（続くか）を遊技者に注目させる予告演出であり、相対的に大当り信頼度の高い予告演出が長く行われること（相対的に大当り信頼度の低い予告演出が先に終了すること）を遊技者に期待させて、大当りに対する期待感を煽る演出となっている。したがって、遊技者から見て、複合予告を構成する予告演出（基本予告）の開始当初は、実行されている予告が主予告なのか副予告なのかを判別することは困難（略不可能）となっている。このような複合予告の演出パターンを決定するための処理として、S4605およびS4606の処理を行うのである。
【０２３６】
S4605では、基本予告の中から主予告として実行する予告演出の内容（主予告演出パターン）を決定するための主予告決定テーブルをサブ制御基板９０のＲＯＭから読み出し、該読み出したテーブルと前述の主予告決定用乱数とに基づいて、主予告の演出パターンを選択して設定する（S4605）。本実施例では、主予告として実行可能な予告演出の内容（主予告内容、主予告演出パターン）を、コメント予告のうち「ファイト！」、「リーチ！？」、「チャンス」および「激熱」の４種類と、ステップアップ予告のうち最終ステップが「ＳＵ２」〜「ＳＵ５」の４種類と、画面歪み予告のうち「画面歪み→消失（消失パターン）」の１種類の計９種類としており、これら９種類のうち何れを主予告として行うのかを、図４５（ａ）に示す主予告決定テーブルを用いて選択（決定）することが可能となっている。
【０２３７】
ここで、コメント予告の「・・・」、ステップアップ予告の「ＳＵ１」および画面歪み予告の「画面歪み→復帰」（復帰パターン）を主予告としての選択対象（実行対象）から除外しているのは、複合予告は、前述のように、副予告として行う予告演出の方が、主予告として行う予告演出よりも早く終了するものであって、換言すると、主予告として行う予告演出の方が、副予告として行う予告演出よりも後に終了するものであるため、主予告として行う予告演出の実行期間（実行時間）は比較的長めで、大当り信頼度も比較的高めの方が望ましいからである。尚、主予告として行う基本予告の実行態様は、前述のコメント予告、ステップアップ予告および画面歪み予告（消失パターン）の各々を単独で行う場合の実行態様（図４６から図４８を参照）と同様である。
【０２３８】
図４５（ａ）に示すように、本実施例の主予告決定テーブルは、前述のS4502での変動開始コマンドの解析結果により特定される特別図柄の変動パターン（ここではＰ１〜Ｐ１０）と、前述のS4501で取得される主予告決定用乱数とに基づいて、主予告の演出内容（主予告演出パターン）を、前述した９種類の何れかに決定することが可能なデータ構造となっている。具体的には、特別図柄の大当り変動パターン「Ｐ１〜Ｐ３」と、外れ変動パターン「Ｐ４〜Ｐ１０」について、主予告決定用乱数値（０〜９９）を、前述した９種類の基本予告の内容（主予告内容）に割り当てたものとなっている。尚、前述の基本予告振り分け処理（S4601）において、特別図柄の変動パターンが外れ変動パターン「Ｐ１１」である場合、当該振り分け処理の結果が「複合」となることはないので（図４４（ａ）のテーブルを参照）、主予告決定テーブルでは外れ変動パターン「Ｐ１１」を除いている。これは、外れ変動パターン「Ｐ１１」に基づく特別図柄の変動時間が４０００ｍｓ（４秒）という短時間であり、複合予告の実行時間としては不十分だからである。
【０２３９】
本実施例の主予告決定テーブルでは、コメント予告に係る４種類の演出内容（「ファイト！」、「リーチ！？」、「チャンス」、「激熱」）、ステップアップ予告に係る４種類の演出内容（「ＳＵ２」〜「ＳＵ５」）および画面歪み予告に係る１種類の演出内容（「画面歪み→消失」）のうち、特別図柄の変動パターンが大当り変動パターン（Ｐ１〜Ｐ３）である場合には、相対的に大当り信頼度（図４４（ｃ）〜（ｅ）の各テーブルのランクを参照）の高い演出内容の選択率が高くなっており、外れ変動パターン（Ｐ１〜Ｐ１０）である場合には、相対的に大当り信頼度の低い演出内容の選択率が高くなっている。尚、大当り変動パターン「Ｐ１」については、コメント予告の「ファイト！」とステップアップ予告の「ＳＵ２」が選択されないものとなっており、大当り変動パターン「Ｐ３」については、画面歪み予告（消失パターン）が選択されないものとなっている。また、外れ変動パターン「Ｐ４，Ｐ８」については、ステップアップ予告の「ＳＵ２」が選択されないものとなっており、外れ変動パターン「Ｐ６，Ｐ１０」については、画面歪み予告（「画面歪み→消失」）が選択されないものとなっており、外れ変動パターン「Ｐ７」については、コメント予告の「チャンス」および「激熱」と、ステップアップ予告の「ＳＵ３」〜「ＳＵ５」と、画面歪み予告（消失パターン）が選択されないものとなっている。このような主予告決定テーブルにより、元々の基本予告の大当り信頼度（ランク）が大きく崩れるのを回避しつつ、特別図柄の変動パターン（大当り又は外れ、変動時間）に適した主予告演出パターンを選択することが可能となっている。
【０２４０】
次いで、S4606では、基本予告の中から副予告として実行する予告演出の内容（副予告演出パターン）を選択して設定する（S4606）。S4606における副予告演出パターンの選択は、先のS4605で設定（決定）した主予告の内容（主予告演出パターン）に基づいて行うものとなっている。すなわち、S4605で設定（決定）した主予告の内容がコメント予告またはステップアップ予告に係る演出内容であれば、副予告として画面歪み予告に係る演出内容を決定するための図４５（ｂ）に示す副予告決定テーブルＡをサブ制御基板９０のＲＯＭから読み出し、該読み出したテーブルに基づいて副予告の演出パターンを選択して設定する（S4606）。一方、S4605で設定（決定）した主予告の内容が画面歪み予告に係る演出内容であれば、副予告としてコメント予告またはステップアップ予告に係る演出内容を決定するための図４５（ｃ）に示す副予告決定テーブルＢをサブ制御基板９０のＲＯＭから読み出し、該読み出したテーブルと前述の副予告決定用乱数とに基づいて、副予告の演出パターンを選択して設定する（S4606）。
【０２４１】
本実施例では、実行する主予告の内容（主予告演出パターン）がコメント予告またはステップアップ予告に係る演出内容である場合、副予告として実行可能な予告演出の内容（副予告内容、副予告演出パターン）を「画面歪み→復帰」（画面歪み予告の復帰パターン）としており、この「画面歪み→復帰」に係る副予告演出パターンとして、画面歪み予告の開始後、変動表示画像が元の状態（正常状態）に復帰するタイミングが異なる複数のパターン（本例では４種類のパターン）を設けてある。これら複数のパターンのうち何れを副予告として行うのかを、図４５（ｂ）に示す副予告決定テーブルＡを用いて選択（決定）することが可能となっている。
【０２４２】
図４５（ｂ）に示すように、副予告決定テーブルＡは、図４５（ａ）に示す主予告決定テーブルにより選択（決定）可能な主予告演出パターン（主予告内容）のうち、コメント予告（全４種類）、ステップアップ予告の「ＳＵ２」、「ＳＵ３」、「ＳＵ４」および「ＳＵ５」の各々について、一の副予告演出パターン（４種類の「画面歪み→復帰」の何れか）を割り当てたものとなっており、主予告演出パターンと副予告演出パターンとが１対１の関係で定められている。但し、主予告がコメント予告である場合とステップアップ予告の「ＳＵ５」である場合については、副予告演出パターンを同じパターン（「画面歪み→復帰（通常）」としている。このような副予告決定テーブルＡを用いて副予告演出パターンを選択（決定）する場合、副予告決定用乱数による乱数抽選ではなく、S4605で設定（決定）した主予告演出パターン（主予告内容）の種類によって一の副予告演出パターンが必然的に決まることとなる。尚、図４５（ｂ）では、選択（決定）可能な副予告演出パターンを「○」で表している。
【０２４３】
ここで、主予告がコメント予告またはステップアップ予告である場合の複合予告の実行態様について、対応する副予告演出パターンと併せて説明する。図４５（ｂ）に示すように、主予告がコメント予告である場合、すなわち、コメント予告演出パターンの「ファイト！」、「リーチ！？」、「チャンス」および「激熱」の何れかである場合、副予告演出パターンとして「画面歪み→復帰（通常）」が選択される。主予告としての「コメント予告」と副予告としての「画面歪み→復帰（通常）」との組合せによる複合予告は、画像表示装置７の表示画面７ａにおいて、前述のようにコメント予告（主予告）が図４８（ａ）に示すタイムチャートにしたがって実行されるとともに、これと並行して、「画面歪み→復帰（通常）」の副予告演出パターンに基づく画面歪み予告（副予告）が実行される。
【０２４４】
「画面歪み→復帰（通常）」の副予告演出パターンに基づく画面歪み予告（副予告）は、前述のS4603にて基本予告演出パターンとして「画面歪み→復帰」（図４４（ｅ）を参照）が設定されたことにより行われる画面歪み予告（図４７（ａ）〜（ｃ）、図４８（ｃ）を参照）と同じ態様（通常態様）の画面歪み予告（復帰パターン）となっている。このため、主予告としての「コメント予告」と副予告としての「画面歪み→復帰（通常）」の組合せによる複合予告が画像表示装置７の表示画面７ａにて行われると、コメント予告におけるコメント表示のタイミングよりも前に、画面歪み予告における変動演出画像の元の状態への復帰が行われ（図４８（ａ）、（ｃ）を参照）、画面歪み予告（副予告）がコメント予告（主予告）よりも先に終了することとなる。
【０２４５】
具体的に、画像表示装置７の表示画面７ａでは、演出図柄８の変動表示の開始から１秒が経過したタイミングでコメント予告によるキャラクタ登場シーンが表示され（図４６（ａ）、図４８（ａ）を参照）、そこから０．５秒（変動表示の開始から１．５秒）が経過したタイミングで、表示画面７ａ上の変動演出画像の周縁（画面周縁）が揺れ始める（図４７（ａ）、図４８（ｃ）を参照）。そして、当該揺れ始めから２．５秒（変動表示の開始から４秒）が経過したタイミングで、変動演出画像に小さな歪みが発生し（図４７（ｂ）、図４８（ｃ）を参照）、そこから更に２秒（変動表示の開始から６秒）が経過したタイミングで、変動演出画像の歪みが無くなって元の変動演出画像に復帰する（図４７（ｃ）、図４８（ｃ）を参照）。この時点で画面歪み予告（副予告）は終了となる。ここから更に２秒（変動表示の開始から８秒）が経過したタイミングで、キャラクタによるコメントの発表（コメント表示）が行われ、これにより、コメント予告（主予告）が終了して、複合予告の終了となる。この後、３つの演出図柄８Ｌ，８Ｃ，８Ｒが確定停止するか、第２期間へ進む。
【０２４６】
一方、図４５（ｂ）に示すように、主予告がステップアップ予告演出パターン「ＳＵ２」によるステップアップ予告である場合、副予告演出パターンとして「画面歪み→復帰（ステップ２開始時）」が選択され、主予告がステップアップ予告演出パターン「ＳＵ３」によるステップアップ予告である場合、副予告演出パターンとして「画面歪み→復帰（ステップ３開始時）」が選択され、主予告がステップアップ予告演出パターン「ＳＵ４」によるステップアップ予告である場合、副予告演出パターンとして「画面歪み→復帰（ステップ４開始時）」が選択され、主予告がステップアップ予告演出パターン「ＳＵ５」によるステップアップ予告である場合、副予告演出パターンとして「画面歪み→復帰（通常）」が選択される。
【０２４７】
主予告としての「ステップアップ予告」と副予告としての「画面歪み→復帰」（画面歪み予告の復帰パターン）の組合せによる複合予告は、画像表示装置７の表示画面７ａにおいて、前述のようにステップアップ予告（主予告）が図４８（ｂ）に示すタイムチャートにしたがって実行されるとともに、これと並行して、「画面歪み→復帰」の副予告演出パターンに基づく画面歪み予告（副予告）が実行される。ここで、前述したように、ステップアップ予告は、演出図柄８の変動表示の開始後、１秒が経過したタイミングで「ＳＵ１」の演出が実行され（発生し）、以後、１．５秒が経過する毎に次のステップの演出が実行され、最大で「ＳＵ５」まで実行され得るものとなっている（図４８（ｂ）を参照）。このことに対応して、主予告として行われるステップアップ予告の最終ステップに係る演出の完了前（先）に、副予告としての画面歪み予告が終了するように、副予告に係る画面歪み予告の演出パターンとして、「画面歪み→復帰（ステップ２開始時）」、「画面歪み→復帰（ステップ３開始時）」、「画面歪み→復帰（ステップ４開始時）」、「画面歪み→復帰（通常）」の４種類のパターンを設けてある。
【０２４８】
そのうち「画面歪み→復帰（ステップ２開始時）」のパターンは、演出図柄８の変動表示の開始後、１．５秒が経過したタイミングで変動演出画像の周縁（画面周縁）が揺れ始め（図４７（ａ）、図４８（ｃ）を参照）、そこから１秒（変動表示の開始から２．５秒）が経過したタイミング、すなわち、ステップアップ予告のＳＵ２の開始タイミングで、変動演出画像の周縁（画面周縁）の揺れが無くなって元の変動演出画像に復帰する態様となっている。
【０２４９】
したがって、主予告が「ＳＵ２」のステップアップ予告であり副予告が「画面歪み→復帰（ステップ２開始時）」の画面歪み予告（復帰パターン）である場合、画像表示装置７の表示画面７ａでは、演出図柄８の変動表示の開始から１秒が経過したタイミングでステップアップ予告のＳＵ１の演出が実行され（図４６（ｂ）のＳＵ１、図４８（ｂ）を参照）、当該ＳＵ１の演出開始から０．５秒（変動表示の開始から１．５秒）が経過したタイミングで、表示画面７ａ上の変動演出画像の周縁（画面周縁）が揺れ始める（図４７（ａ）、図４８（ｃ）を参照）。そして、当該揺れ始めから１秒（変動表示の開始から２．５秒）が経過したタイミングで、ステップアップ予告のＳＵ２の演出が実行されるとともに（図４６（ｂ）のＳＵ２、図４８（ｂ）を参照）、当該ＳＵ２の演出開始時に変動演出画像の周縁（画面周縁）の揺れが無くなって元の変動演出画像に復帰する。このＳＵ２の演出開始時点で画面歪み予告（副予告）は終了となる。その後、ＳＵ２の演出画像が所定時間（本例では約１．３秒）表示された後、当該演出画像が表示画面７ａ上から消去されて、ステップアップ予告（主予告）がＳＵ２で終了する。これにより、複合予告の終了となる。この後、３つの演出図柄８Ｌ，８Ｃ，８Ｒが確定停止するか、第２期間へ進む。
【０２５０】
また「画面歪み→復帰（ステップ３開始時）」のパターンは、演出図柄８の変動表示の開始後、１．５秒が経過したタイミングで変動演出画像の周縁（画面周縁）が揺れ始め（図４７（ａ）、図４８（ｃ）を参照）、当該揺れ始めから２．５秒（変動表示の開始から４秒）が経過したタイミング、すなわち、ステップアップ予告のＳＵ３の開始タイミングで、変動演出画像の周縁（画面周縁）の揺れが無くなって元の変動演出画像に復帰する態様となっている。
【０２５１】
したがって、主予告が「ＳＵ３」のステップアップ予告であり副予告が「画面歪み→復帰（ステップ３開始時）」の画面歪み予告（復帰パターン）である場合、画像表示装置７の表示画面７ａでは、演出図柄８の変動表示の開始から１秒が経過したタイミングでステップアップ予告のＳＵ１の演出が実行され（図４６（ｂ）のＳＵ１、図４８（ｂ）を参照）、当該ＳＵ１の演出開始から０．５秒（変動表示の開始から１．５秒）が経過したタイミングで、表示画面７ａ上の変動演出画像の周縁（画面周縁）が揺れ始める（図４７（ａ）、図４８（ｃ）を参照）。そして、当該揺れ始めから１秒（変動表示の開始から２．５秒）が経過したタイミングで、ステップアップ予告のＳＵ２の演出が実行され（図４６（ｂ）のＳＵ２、図４８（ｂ）を参照）、当該ＳＵ２の演出開始から１．５秒（変動表示の開始から４秒）が経過したタイミングで、ステップアップ予告のＳＵ３の演出が実行されるとともに（図４６（ｂ）のＳＵ３、図４８（ｂ）を参照）、当該ＳＵ３の演出開始時に変動演出画像の周縁（画面周縁）の揺れが無くなって元の変動演出画像に復帰する。このＳＵ３の演出開始時点で画面歪み予告（副予告）は終了となる。その後、ＳＵ３の演出画像が所定時間（本例では約１．３秒）表示された後、当該演出画像が表示画面７ａ上から消去されて、ステップアップ予告（主予告）がＳＵ３で終了する。これにより、複合予告の終了となる。この後、第２期間へ進む。
【０２５２】
さらに「画面歪み→復帰（ステップ４開始時）」のパターンは、演出図柄８の変動表示の開始後、１．５秒が経過したタイミングで変動演出画像の周縁（画面周縁）が揺れ始め（図４７（ａ）、図４８（ｃ）を参照）、当該揺れ始めから２．５秒（変動表示の開始から４秒）が経過したタイミングで変動演出画像に小さな歪みが発生し（図４７（ｂ）、図４８（ｃ）を参照）、当該歪みの発生から１．５秒（変動表示の開始から５．５秒）が経過したタイミング、すなわち、ステップアップ予告のＳＵ４の開始タイミングで（開始時に）、変動演出画像の歪みが無くなって画面周縁の揺れも無い元の変動演出画像に復帰する態様となっている。
【０２５３】
したがって、主予告が「ＳＵ４」のステップアップ予告であり副予告が「画面歪み→復帰（ステップ４開始時）」の画面歪み予告（復帰パターン）である場合、画像表示装置７の表示画面７ａでは、演出図柄８の変動表示の開始から１秒が経過したタイミングでステップアップ予告のＳＵ１の演出が実行され（図４６（ｂ）のＳＵ１、図４８（ｂ）を参照）、当該ＳＵ１の演出開始から０．５秒（変動表示の開始から１．５秒）が経過したタイミングで、表示画面７ａ上の変動演出画像の周縁（画面周縁）が揺れ始め（図４７（ａ）、図４８（ｃ）を参照）、当該揺れ始めから１秒（変動表示の開始から２．５秒）が経過したタイミングで、ステップアップ予告のＳＵ２の演出が実行され（図４６（ｂ）のＳＵ２、図４８（ｂ）を参照）、当該ＳＵ２の演出開始から１．５秒（変動表示の開始から４秒）が経過したタイミングで、ステップアップ予告のＳＵ３の演出が実行されるとともに（図４６（ｂ）のＳＵ３、図４８（ｂ）を参照）、変動演出画像に小さな歪みが発生する（図４７（ｂ）、図４８（ｃ）を参照）。そして、当該歪みの発生（ＳＵ３の演出開始）から１．５秒（変動表示の開始から５．５秒）が経過したタイミングで、ステップアップ予告のＳＵ４の演出が実行されるとともに（図４６（ｂ）のＳＵ４、図４８（ｂ）を参照）、当該ＳＵ４の演出開始時に変動演出画像の歪みが無くなって画面周縁の揺れも無い元の変動演出画像に復帰する。このＳＵ４の演出開始時点で画面歪み予告（副予告）は終了となる。その後、ＳＵ４の演出画像が所定時間（本例では約１．３秒）表示された後、当該演出画像が表示画面７ａ上から消去されて、ステップアップ予告（主予告）がＳＵ４で終了する。これにより、複合予告の終了となる。この後、第２期間へ進む。
【０２５４】
また「画面歪み→復帰（通常）」のパターンは、前述した主予告がコメント予告である場合に副予告として行う画面歪み予告（復帰パターン）と同様のパターンであり、S4603にて基本予告演出パターンとして「画面歪み→復帰」（図４４（ｅ）を参照）が設定されたことにより行われる画面歪み予告（図４７（ａ）〜（ｃ）、図４８（ｃ）を参照）と同じ態様（通常態様）となっている。
【０２５５】
したがって、主予告が「ＳＵ５」のステップアップ予告であり副予告が「画面歪み→復帰（通常）」の画面歪み予告（復帰パターン）である場合、画像表示装置７の表示画面７ａでは、演出図柄８の変動表示の開始後、図４６（ｂ）に示す「ＳＵ１〜ＳＵ５までのステップアップ予告」と、図４７（ａ）〜（ｃ）に示す「画面周縁の揺れ開始から歪み消滅（復帰）までの画面歪み予告」とが、図４８（ｂ）および（ｃ）に示す２つのタイムチャート（時間軸）にしたがって並行して（重複して）行われる。この場合、ステップアップ予告のＳＵ５の演出実行タイミングよりも前に、画面歪み予告における変動演出画像の元の状態への復帰が行われ（図４８（ｂ）、（ｃ）を参照）、画面歪み予告（副予告）がステップアップ予告（主予告）よりも先に終了することとなる。そして、ステップアップ予告がＳＵ５まで行われてＳＵ５の演出が完了すると、複合予告の終了となり、この後、第２期間へ進む。
【０２５６】
以上までが、主予告がコメント予告またはステップアップ予告であり（S4605）、副予告が画面歪み予告（復帰パターン）である場合（S4606）についての説明である。これに対して、S4605で設定（決定）した主予告演出パターンが画面歪み予告の「画面歪み→消失」である場合、すなわち、実行する主予告が画面歪み予告（消失パターン）である場合、副予告として実行可能な予告演出の内容（副予告演出パターン）を、コメント予告の「ファイト！」、「リーチ！？」、「チャンス」および「激熱」の４種類と、ステップアップ予告の最終ステップが「ＳＵ２」〜「ＳＵ５」の４種類との計８種類の中から選択して設定する（S4606）。この場合の副予告演出パターンは、図４５（ｃ）に示す副予告決定テーブルＢを用いて選択（決定）することが可能となっている。尚、副予告として実行可能な４種類のコメント予告および４種類のステップアップ予告は、S4603の処理を経て、３種類の基本予告のうちの１種類を行う場合の通常のコメント予告やステップアップ予告と異なるものとなっており、具体的には、予告演出の実行時間（実行期間）が通常よりも短い、複合予告対応の演出パターン（ショートパターン）となっている。これは、副予告として行うコメント予告やステップアップ予告の方が、主予告として行う画面歪み予告（消失パターン）に比べて早く終了することを、より際立たせるためである。この点については後述する。
【０２５７】
図４５（ｃ）に示すように、本実施例の副予告決定テーブルＢは、前述のS4605にて主予告演出パターンが画面歪み予告（消失パターン）に設定（決定）される契機となる特別図柄の変動パターンと（図４５（ａ）を参照）、前述のS4501で取得される副予告決定用乱数とに基づいて、前述した８種類の何れかに決定することが可能なデータ構造となっている。具体的には、特別図柄の大当り変動パターン「Ｐ１」、「Ｐ２」、「Ｐ４，Ｐ８」および「Ｐ５，Ｐ９」について、副予告決定用乱数値（０〜９９）を、前述した８種類の副予告の内容に割り当てたものとなっている。
【０２５８】
本実施例の副予告決定テーブルでは、副予告として実行可能なコメント予告（ショートパターン）に係る４種類の演出内容（「ファイト！」、「リーチ！？」、「チャンス」、「激熱」）と、副予告として実行可能なステップアップ予告（ショートパターン）に係る４種類の演出内容（「ＳＵ２」〜「ＳＵ５」）のうち、特別図柄の変動パターンが大当り変動パターン（Ｐ１，Ｐ２）である場合には、相対的に大当り信頼度（図４４（ｃ），（ｄ）の各テーブルのランクを参照）の高い演出内容の選択率が高くなっており、外れ変動パターン（Ｐ４，Ｐ５，Ｐ８，Ｐ９）である場合には、相対的に大当り信頼度の低い演出内容の選択率が高くなっている。尚、大当り変動パターン「Ｐ１」と外れ変動パターン「Ｐ４，Ｐ８」については、コメント予告の「ファイト！」とステップアップ予告の「ＳＵ２」が選択されないものとなっている。これは、元々の基本予告の大当り信頼度（ランク）が大きく崩れるのを回避しつつ、特別図柄の変動パターン（大当り又は外れ、変動時間）に適した態様で、副予告としてのコメント予告またはステップアップ予告を実行可能とするためである。
【０２５９】
ここで、主予告が画面歪み予告（消失パターン）である場合の複合予告の実行態様について説明する。主予告としての「画面歪み予告（消失パターン）」と、副予告としての「コメント予告」または「ステップアップ予告」との組合せによる複合予告は、画像表示装置７の表示画面７ａにて、演出図柄８の変動表示の開始後、画面歪み予告の「画面歪み→消失」（主予告）と、副予告演出パターンに基づくコメント予告（副予告）またはステップアップ予告（副予告）とが、図４９のタイムチャートに示すように並行して（重複して）実行される。尚、主予告が画面歪み予告（消失パターン）である場合の複合予告では、副予告が主予告よりも先に開始され、また、副予告が主予告よりも先に終了する。
【０２６０】
副予告としてのコメント予告は、その実行時間（実行期間）が、先に説明した通常のコメント予告の実行時間（実行期間）に比べて短いものとなっている。具体的に、通常のコメント予告は、図４８（ａ）に示すように、演出図柄８の変動表示の開始から８秒（キャラクタ登場から７秒）が経過したタイミングでコメント表示を実行する態様となっているのに対し、副予告としてのコメント予告は、図４９の中段に示すように、演出図柄８の変動表示の開始から７秒（キャラクタ登場から６秒）が経過したタイミングでコメント表示を実行する態様となっている。
【０２６１】
また、副予告としてのステップアップ予告も、その実行時間（実行期間）が、先に説明した通常のステップアップ予告の実行時間（実行期間）に比べて短いものとなっている。具体的に、通常のステップアップ予告は、図４８（ｂ）に示すように、ＳＵ１〜ＳＵ５の各ステップに係る演出を１．５秒間隔で実行する態様となっているのに対し、副予告としてのステップアップ予告は、図４９の下段に示すように、ＳＵ１〜ＳＵ５の各ステップに係る演出を１．３秒間隔で実行する態様となっている。
【０２６２】
したがって、主予告が「画面歪み予告（消失パターン）」であり副予告が「コメント予告」または「ステップアップ予告」である場合、画像表示装置７の表示画面７ａでは、図４９に示すように、演出図柄８の変動表示の開始から１秒が経過したタイミングでキャラクタ登場シーンが表示されるか（コメント予告）、ＳＵ１の演出が実行され（ステップアップ予告）、そこから０．５秒（変動表示の開始から１．５秒）が経過したタイミングで、表示画面７ａ上の変動演出画像の周縁（画面周縁）が揺れ始める（画面歪み予告）。以後、図４９に示すように、演出図柄８の変動表示（変動演出）の進行に伴って主予告および副予告が展開され、変動演出画像が表示画面７ａ上から消失するまで（主予告が終了を迎えるまで）には、副予告としてのコメント予告またはステップアップ予告は完結するものとなっている。そして、演出図柄８の変動表示の開始から９秒が経過したタイミングで変動演出画像が消失して表示画面７ａがブラックアウトして（図４７（ｅ）を参照）、これにより、画面歪み予告（主予告）が終了して、複合予告の終了となる。この後、第２期間へ進む。
【０２６３】
以上のS4605およびS4606の処理を行った後、当該処理により設定した予告演出パターンに基づく予告演出を含む演出図柄遊技演出の開始コマンド（変動演出開始コマンド）が、前述のS4507の処理によりサブ出力バッファにセットされ、画像制御基板１００に送信されることで、当該コマンドに基づく演出表示（変動演出、複合予告等）が画像表示装置７の表示画面７ａで行われる。
【０２６４】
ここで、「主予告」（主予告として行われる予告演出）のことを「第１予告演出」ともいい、「副予告」（副予告として行われる予告演出）のことを「第２予告演出」ともいい、複合予告を構成し得る「基本予告種」のことを「特定予告種」ともいい、「背景予告種」のことを「他の予告種」ともいう。
【０２６５】
［実施例の作用効果］
以上に説明した本実施例のパチンコ遊技機１では、演出図柄８（演出図柄８Ｌ，８Ｃ，８Ｒ）が変動表示を開始してから、全図柄の変動表示速度が高速で略一定となった後に減速して第１停止図柄（左演出図柄８Ｌ）または第２停止図柄（右演出図柄８Ｒ）が停止表示（仮停止）するまでの期間（第１期間）において、当該変動表示に関する予告演出として変動序盤予告を実行することが可能となっている。変動序盤予告には、基本予告と背景予告があり、基本予告には３種類の予告種（コメント予告、ステップアップ予告、画面歪み予告）があり、背景予告にも３種類の予告種（夜、雨、稲妻）がある（図４４を参照）。そして、変動序盤予告の実行に際しては、３種類の基本予告種（特定予告種）のうちの何れか１種類を実行する場合、３種類の背景予告種（他の予告種）のうちの何れか１種類を実行する場合、３種類の基本予告種（特定予告種）のうちの何れか１種類と３種類の背景予告種（他の予告種）のうちの何れか１種類とを並行して（複合させて）実行する場合、または、３種類の基本予告種（特定予告種）のうちの何れか２種類を並行して（複合させて）実行する場合がある。
【０２６６】
これにより、一の変動表示の開始当初（序盤）に、１種類の予告演出が実行される場合もあれば、複数種の予告演出が同時期に実行される場合もあるため、変動序盤予告の多様化を図り、遊技者の興味を惹きつけることが可能となる。特に、本実施例では、２種類の予告演出が複合する場合の態様として、１種類の基本予告と１種類の背景予告とが複合する一般的な態様だけでなく、２種類の基本予告を主予告と副予告とに区別して、これら主予告（第１予告演出）と副予告（第２予告演出）が複合する特異な態様（複合予告）も備えている。これにより、同時期に実行される２種類の基本予告（主予告と副予告）に遊技者の興味を惹きつけることが可能となり、遊技興趣を向上させることが可能となる。
【０２６７】
また、本実施例のパチンコ遊技機１では、複合予告の実行に際し、主予告が「コメント予告」または「ステップアップ予告」であり、副予告が「画面歪み予告（復帰パターン）」である場合には、「コメント予告」または「ステップアップ予告」が「画面歪み予告」よりも先に開始されるとともに、「画面歪み予告」が「コメント予告」または「ステップアップ予告」よりも先に終了するものとなっている。また、主予告が「画面歪み予告（消失パターン）」であり、副予告が「コメント予告」または「ステップアップ予告」である場合には、「コメント予告」または「ステップアップ予告」が「画面歪み予告」よりも先に開始されるとともに、「コメント予告」または「ステップアップ予告」が「画面歪み予告」よりも先に終了するものとなっている。つまり、複合予告を実行する場合、当該複合予告を構成する主予告（第１予告演出）と副予告（第２予告演出）のそれぞれの開始時期が異なるものとなっており、一方、終了時期に関しては、副予告（第２予告演出）が主予告（第１予告演出）よりも先に終了するものとなっている。
【０２６８】
このため、遊技者にしてみれば、複合予告の場合、副予告が主予告よりも先に終了するという仕様のもと、複合予告の開始当初は、主予告と副予告の一方の開始により、一の基本予告が開始されただけで複合予告であると認識することはできず、その後、他方の予告の開始により、複合予告（基本予告の複合）であることを認識することが可能となる。但し、２つの予告の開始当初（複合予告の開始当初）は、開始時期が前後した２つの予告（基本予告）のうち、どちらが主予告であって、どちらが副予告であるのかを、判別することは困難（不可能）であり、一方の予告が先に終了することで、その判別が可能となる。これにより、複合予告にて並行して（同時期に）実行される２つ基本予告のうち、どちらの予告がより長く行われるか（続くか）を遊技者に注目させることが可能となる。
【０２６９】
さらに、本実施例のパチンコ遊技機１では、３種類の基本予告について、大当り信頼度に差を設けており、「コメント予告」、「ステップアップ予告」、「画面歪み予告」の順で大当り信頼度が高くなっている（図４４（ａ）を参照）。また、各基本予告の演出内容（予告演出パターン）についても、大当り信頼度に差を設けてある（図４４（ｃ）〜（ｅ）を参照）。そして、複合予告を実行する場合、主予告が示唆する大当り信頼度と、副予告が示唆する大当り信頼度とが異なるものとなる。これにより、複合予告において並行して実行される２つ基本予告について、相対的に大当り信頼度の高い予告が長く行われること（相対的に大当り信頼度の低い予告が先に終了すること）を遊技者に期待させて、大当りに対する期待感を高めさせるといった演出効果を得ることが可能となり、延いては遊技者の興味を惹きつけることが可能となる。
【０２７０】
また、本実施例のパチンコ遊技機１では、複合予告の実行に際し、主予告演出パターンを先に決定し、その結果を基に、副予告演出パターンを決定するものとなっている（図４３のS4605,S4606を参照）。具体的に、例えば、主予告がコメント予告である場合には、副予告は画面歪み予告（復帰パターン）となってステップアップ予告になることがなく、主予告がステップアップ予告である場合には、副予告は画面歪み予告（復帰パターン）となってコメント予告になることがないものとなっている。図４６に示すようなコメント予告とステップアップ予告を並行して実行すると、画面上の表示態様が複雑化して予告の内容が分かり難くなる虞があるからである。一方、主予告が画面歪み予告（消失パターン）である場合には、副予告はコメント予告またはステップアップ予告となるものとなっている。この場合、前述のような表示態様の複雑化等の懸念が生ずる可能性は低いからである。このように、主予告演出パターンを先に決定し、その結果を基に、副予告演出パターンを決定するすることで、複合予告を構成する主予告と副予告との関係を適切なものとして、複合予告の表示態様が複雑化したり予告内容が分かり難くなったりすることを防止することが可能となる。
【０２７１】
さらに、本実施例のパチンコ遊技機１では、複合予告を実行しない場合には、基本予告と背景予告が複合し得るものとし（図４３のS4602でNO→S4603,S4604）、複合予告を実行する場合には、これに背景予告がさらに複合することはないものとしている（図４３のS4602でYES→S4605,S4606）。これにより、予告の実行態様の多様化を図りつつ、予告の実行に際して表示態様が複雑化したり予告内容が分かり難くなったりすることを防止することが可能となる。
【０２７２】
また、本実施例のパチンコ遊技機１では、コメント予告演出パターンのうち「ファイト！」、「リーチ！？」、「チャンス」および「激熱」と、ステップアップ予告演出パターンのうち「ＳＵ２」、「ＳＵ３」、「ＳＵ４」および「ＳＵ５」と、画面歪み予告演出パターンのうち「画面歪み→復帰（復帰パターン）」といって特定の予告演出パターンについては、基本予告単独もしくは複合予告の主予告として実行する場合のパターンと、複合予告の副予告として実行する場合のパターンとを設けており、何れのパターンも、基本予告や主予告、または副予告として実行することが可能となっている。これにより、特定の予告演出パターンが様々な予告として実行され得ることとなるので、実際に行われる予告に遊技者の興味を惹きつけることが可能となり、延いては遊技興趣を向上させることが可能となる。
【０２７３】
尚、基本予告種の数や背景予告種の数、基本予告として実行する予告演出の内容、複合予告を構成する予告演出の数や種類（組合せ）、複合予告の実行時期等は、本実施例に限定されるものではない。以下、本実施例と異なる他の形態について例示する。尚、以下では、実施例と共通する構成や作用効果等についての説明は省略する。
【０２７４】
［他の形態１］
前述の実施例では、変動序盤予告（第１期間予告）として複合予告を実行することが可能な構成としていたが、複合予告を、例えば、前述の変動中盤予告（第２期間予告）として実行したり、前述の変動終盤予告（第３期間予告）として実行したりすることも可能である。また、一の変動表示中における「変動序盤（第１期間）」、「変動中盤（第２期間）」および「変動終盤（第３期間）」のうち、２つの期間で複合予告を実行可能としたり、あるいは全ての期間で複合予告を実行可能としたりすることも可能である。これにより、変動表示中における様々なタイミングでの予告に対し遊技者の興味を惹きつけることが可能となり、また、複合予告の実行機会を増やすことが可能となる。
【０２７５】
［他の形態２］
前述の実施例では、基本予告種を３種類として、そのうちの２種類を並行して実行するものを複合予告としていた。これに対し、基本予告種を２種類とし、その２種類のうち一方を主予告、他方を副予告として、複合予告を実行するようにしてもよい。この場合、例えば、複合予告を行う場合の基本予告複合パターン（複合予告演出パターン）に応じて、主予告の内容と副予告の内容とが入れ替わるようにすることも可能である。
【０２７６】
［他の形態３］
前述の実施例では、基本予告種を３種類として、そのうちの２種類を並行して実行するものを複合予告としていた。これに対し、複合予告として、３種類の基本予告を並行して実行することも可能である。あるいは、基本予告種を４種類や５種類とったように４種類以上設け、そのうちの２種類あるいは３種類以上を並行して実行することも可能である。尚、３種類以上の基本予告を並行して実行する場合、そのうちの１種類の基本予告を主予告とし、他の複数種の基本予告を副予告とすればよい。この場合、複数の副予告が一の主予告よりも先に終了するものとし、また、複数の副予告については、それぞれ異なる時期に終了するものとしたり、複数の副予告のなかに同じ時期に終了するものを含めたりすることが可能である。尚、基本予告種の演出内容としては、前述の実施例の他、例えば、演出の進行に伴って変動演出画像の大きさ（サイズ）が伸縮して最終的に変動演出画像が元の状態に復帰するか小さく縮んで消失する伸縮予告や、演出の進行に伴って変動演出画像が上下あるいは左右に振動して最終的にその振動幅が小さくなって振動が収まるか大きくなって変動演出画像が破壊されてリーチ演出に発展する振動予告等を例示することができる。また、前述の実施例の背景予告を基本予告の一種とすることも可能である。
【０２７７】
［他の形態４］
前述の実施例では、基本予告種とは別の予告種（他の予告種）として背景予告を設けていたが、他の予告種として、背景予告以外の予告を設けることも可能である。例えば、演出ボタン６３の操作に基づき大当り信頼度等を示唆する演出を発生させるボタン予告や、大当り信頼度（ランク）が互いに異なる複数種のミニキャラクタ画像を設け、そのうちの何れかを変動表示の開始に伴い表示するミニキャラ予告等を、他の予告種として設けることも可能である。また、他の予告種を、例えば、背景予告種とボタン予告種、背景予告種とボタン予告種とミニキャラ予告種といったように複数設けた場合、複数の基本予告種のうちの１種類に基づく予告の実行に際し、複数の他の予告種のうち２種類以上を複合して行うことも可能である。これにより、予告の実行態様をより一層多様にすることが可能となる。
【０２７８】
［他の形態５］
前述の実施例では、複合予告を実行する場合、主予告と副予告を異なる時期に開始するものとなっていたが、主予告と副予告を同時期に開始することも可能である。また、基本予告複合パターン（主予告および副予告の内容、主予告として行う基本予告種と副予告として行う基本予告種との関係等）に応じて、主予告と副予告の開始時期を異ならせたり、同じとしたりすることも可能である。これにより、複合予告の実行態様をより一層多様にすることが可能となる。
【０２７９】
以上、本発明の実施形態として実施例および他の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することが可能である。
【０２８０】
例えば、前述の実施例では、低ベース状態での変動序盤予告として複合予告を実行する場合について説明したが、前述の複合予告は、高ベース状態での変動序盤予告としても実行することが可能である。この場合、高ベース状態において、例えば、特別図柄の変動パターンとして「変動時間３００００ｍｓ」以上の変動パターン（図９を参照）が選択されたことに基づいて、複合予告が実行され得るようにすればよい。こうすれば、複合予告の実行時間を確保して、複合予告による演出効果を得ることが可能となるからである。
【０２８１】
また、前述の実施例では、コメント予告の演出表示態様、ステップアップ予告の演出表示態様および画面歪み予告の演出表示態様を、それぞれ図４６（ａ）、図４６（ｂ）および図４７に示す態様としていたが、これら予告の演出表示態様はこれに限定されるものではなく、登場するキャラクタの種類や数、コメントの内容、変動演出画像の揺れや歪み、消失等を示す画像のデザインや種類、色等は、種々の態様を採ることが可能である。
【０２８２】
また、前述の実施例では、大当り遊技（特別遊技状態）において作動する大入賞装置（大入賞口）を１つ備えるパチンコ遊技機に本発明を適用したものを例示したが、本発明はこれに限定されるものではなく、大入賞装置（大入賞口）を複数（例えば２つ）備えるパチンコ遊技機にも本発明を適用することが可能である。
【０２８３】
また、前述の実施例では、始動入球に基づく事前判定について、特図保留記憶部に記憶した最新の取得乱数値（取得情報）を読み出して、当該読み出した取得乱数値（取得情報）を判定(事前判定)するものとしていたが（「始動入球時処理（S205）」。図１１、図１３等を参照）、事前判定の手法はこれに限定されるものではない。例えば、特図保留記憶部に加え、事前判定の対象となる取得情報（つまり、始動入球に基づいて取得された取得情報）を記憶する領域（取得情報記憶手段）を主制御部やサブ制御部のＲＡＭに設け、当該記憶領域（事前判定用記憶部）に記憶した取得情報を判定(事前判定)するものとしてもよい。この場合、事前判定の結果を主制御部やサブ制御部のＲＡＭに記憶することで、事前判定に用いた取得情報（別の記憶領域に記憶した取得情報）を消去することも可能である。
【０２８４】
また、前述の実施例では、第２特図保留を第１特図保留に優先して消化する制御処理、所謂特図２優先消化の制御処理としたが、これに限らず、第１特図保留を第２特図保留に優先して消化する制御処理、所謂特図１優先消化の制御処理としてもよい。また、第１特図保留の消化と第２特図保留の消化とに優先順位を設定せず、第１特図保留と第２特図保留のうち、最も古く記憶されたものから順に消化する制御処理、所謂入球順（記憶順）消化の制御処理としてもよい。また、第１特図保留の消化と第２特図保留の消化とを並行して実行可能な制御処理としてもよい。
【０２８５】
また、前述の実施例では、大当り図柄の種類に基づいて確率変動機能を作動させるか否かを決定する１種タイプのパチンコ遊技機に本発明を適用したものを例示したが、本発明はこれに限定されるものではない。例えば、大入賞口（Ｖアタッカー）に確変作動口としての特定領域（Ｖ領域）を備え、大当り遊技中に遊技球が特定領域を通過（Ｖ通過）したか否かに基づいて確率変動機能を作動させるか否かを決定する１種タイプのパチンコ遊技機（所謂「Ｖ確機」）にも本発明を適用することが可能である。あるいは、特別図柄当否判定の結果が小当りとなることで入球可能となる大入賞口に特定領域（Ｖ領域）を備え、小当り遊技の際にその大入賞口に入球した遊技球が特定領域を通過（Ｖ通過）すると大当りとなり、当該Ｖ通過に基づき大当り遊技が実行される１種２種タイプのパチンコ遊技機にも本発明を適用することも可能である。
【０２８６】
また、前述の実施例では、確率変動機能の非作動・作動により、大当り確率を低確率（第１確率）または高確率（第２確率）に設定可能としていたが、大当り確率の種類（数）はこれに限定されるものではなく、例えば、低確率（第１確率）よりも高く高確率（第２確率）よりも低い中確率（第３確率）等、３種類以上の確率を設定可能としてもよい。さらに、第１低確率と第１高確率（第１確率条件）、第２低確率と第２高確率（第２確率条件）、第３低確率と第３高確率（第３確率条件）など、低確率と高確率との関係を定めた複数種の確率条件を設け、当該複数種の確率条件のうちの何れかを、例えば、遊技機の電源投入時に任意に設定可能（選択可能）としてもよい。
【０２８７】
［その他］
以下、本明細書で開示した実施形態（実施例）に関連する発明を参考発明として開示しておく。
【０２８８】
（１−１）所定条件の成立に基づいて識別情報の変動表示を行い、前記識別情報の変動表示の表示結果が特定表示結果となることに基づいて、遊技者に所定の利益を付与し得る特別遊技が実行可能となる遊技機であって、
前記識別情報の変動表示に関する予告演出を実行可能な予告演出実行手段を備え、
前記予告演出として、少なくとも、第１予告演出と第２予告演出を有し、
前記予告演出実行手段は、前記識別情報の変動表示中に前記第１予告演出と前記第２予告演出を実行可能であり、
前記第１予告演出と前記第２予告演出が同時期に実行される場合がある
ことを特徴とする遊技機。
【０２８９】
上記（１−１）の遊技機では、識別情報の変動表示に関する予告演出として、少なくとも、第１予告演出と第２予告演出を有しており、識別情報の変動表示中に第１予告演出と第２予告演出が実行可能であって、夫々の予告演出が同時期に実行される場合があるものとなっている。これにより、同時期に実行される夫々の予告演出に遊技者の興味を惹きつけることが可能となり、延いては遊技興趣を向上させることが可能となる。
【０２９０】
尚、「第１予告演出と第２予告演出が同時期に実行される場合」の「同時期」とは、第１予告演出と第２予告演出の夫々の実行時期の一部または全部が重なったり、一方の予告演出の実行期間内に他方の予告演出の実行期間が収まったりする等、第１予告演出の実行時期と第２予告演出の実行時期とが重なることを意味する。
【０２９１】
（１−２）上記（１−１）の遊技機において、
前記予告演出実行手段は、前記識別情報の変動表示中に前記第１予告演出と前記第２予告演出を実行する場合、前記第１予告演出と前記第２予告演出をそれぞれ異なる時期に開始可能である
ことを特徴とする遊技機。
【０２９２】
上記（１−２）の遊技機では、識別情報の変動表示中に第１予告演出と第２予告演出を実行する場合、第１予告演出と第２予告演出をそれぞれ異なる時期に開始可能となっている。これにより、識別情報の変動表示中における第１予告演出と第２予告演出の開始時期にバラツキを持たせることが可能となり、夫々の予告演出に遊技者の興味を惹きつけることが可能となる。
【０２９３】
（１−３）上記（１−１）または（１−２）の遊技機において、
前記第１予告演出と前記第２予告演出が同時期に実行される場合、前記第２予告演出の方が前記第１予告演出よりも先に終了する
ことを特徴とする遊技機。
【０２９４】
上記（１−３）の遊技機では、識別情報の変動表示中に第１予告演出と第２予告演出が同時期に実行される場合、第２予告演出の方が第１予告演出よりも先に終了するものとなっている。これにより、遊技者にしてみれば、予告演出の終期の違いにより第１予告演出と第２予告演出の区別が可能となるため、同時期に実行される夫々の予告演出に遊技者の興味を惹きつけることが可能となる。
【０２９５】
（１−４）上記（１−１）から（１−３）の何れか一つの遊技機において、
前記第１予告演出および前記第２予告演出は、前記識別情報の変動表示の表示結果が特定表示結果となる可能性を示唆するものであり、
前記第１予告演出と前記第２予告演出が同時期に実行される場合、前記第１予告演出が示唆する前記可能性と、前記第２予告演出が示唆する前記可能性とが異なる
ことを特徴とする遊技機。
【０２９６】
上記（１−４）の遊技機では、第１予告演出および第２予告演出が、識別情報の変動表示の表示結果が特定表示結果となる可能性（信頼度）を示唆するものとなっており、第１予告演出と第２予告演出が同時期に実行される場合、第１予告演出が示唆する信頼度と、第２予告演出が示唆する信頼度とが異なるものとなっている。これにより、同時期に実行される夫々の予告演出に遊技者の興味を惹きつけることが可能となる。
【０２９７】
（１−５）上記（１−１）から（１−４）の何れか一つの遊技機において、
予告演出パターンを複数記憶する予告演出パターン記憶手段と、
前記予告演出実行手段が予告演出を実行する場合に、該実行する予告演出の演出パターンを、前記予告演出パターン記憶手段に記憶された予告演出パターンの中から選択する予告演出パターン選択手段と、を備え、
前記予告演出実行手段は、前記予告演出パターン選択手段により選択された予告演出パターンに基づいて予告演出を実行するものであり、
前記予告演出パターン選択手段は、前記予告演出実行手段が前記識別情報の変動表示中に前記第１予告演出と前記第２予告演出を実行する場合、前記第１予告演出の予告演出パターンを選択するとともに、該選択した予告演出パターンに基づいて前記第２予告演出の予告演出パターンを選択する
ことを特徴とする遊技機。
【０２９８】
上記（１−５）の遊技機では、予告演出の実行に際し、該実行する予告演出の演出パターンを、予告演出パターン記憶手段に記憶された複数の予告演出パターンの中から選択し、該選択した予告演出パターンに基づいて予告演出を実行するものとなっている。そして、識別情報の変動表示中に第１予告演出と第２予告演出を実行する場合、第１予告演出の予告演出パターンを選択するとともに、該選択した第１予告演出の予告演出パターンに基づいて、第２予告演出の予告演出パターンを選択するものとなっている。これにより、識別情報の変動表示中に第１予告演出と第２予告演出を実行する場合の夫々の予告演出パターンを適切なものとすることが可能となる。
【０２９９】
（１−６）上記（１−５）の遊技機において、
前記予告演出パターン記憶手段に記憶される予告演出パターンのうち特定の予告演出パターンには、前記第１予告演出に対応するパターンと前記第２予告演出に対応するパターンとがある
ことを特徴とする遊技機。
【０３００】
上記（１−６）の遊技機では、予告演出パターン記憶手段に記憶される予告演出パターンのうち特定の予告演出パターンには、第１予告演出に対応するパターンと第２予告演出に対応するパターンとが設けられている。このため、特定の予告演出パターンについては、第１予告演出として実行される場合と、第２予告演出として実行される場合とがある。これにより、識別情報の変動表示中に実行される予告演出に遊技者の興味を惹きつけることが可能となる。
【０３０１】
（１−７）上記（１−１）から（１−６）の何れか一つの遊技機において、
前記第１予告演出および前記第２予告演出は、前記識別情報の変動表示中であって該変動表示の開始から所定期間が経過するまでに実行可能な予告演出である
ことを特徴とする遊技機。
【０３０２】
上記（１−７）の遊技機では、第１予告演出および第２予告演出が、識別情報の変動表示中であって該変動表示の開始から所定期間が経過するまでに実行可能な予告演出となっている。これにより、変動表示の開始当初の興趣を向上させることが可能となる。
【０３０３】
（２−１）所定条件の成立に基づいて識別情報の変動表示を行い、前記識別情報の変動表示の表示結果が特定表示結果となることに基づいて、遊技者に所定の利益を付与し得る特別遊技が実行可能となる遊技機であって、
前記識別情報の変動表示に関する予告演出を実行可能な予告演出実行手段を備え、
前記予告演出として、少なくとも、第１予告演出と第２予告演出を有し、
前記予告演出実行手段は、前記識別情報の変動表示中に前記第１予告演出と前記第２予告演出の何れか一方を実行する場合と、前記識別情報の変動表示中に前記第１予告演出と前記第２予告演出の双方を実行する場合とがある
ことを特徴とする遊技機。
【０３０４】
上記（２−１）の遊技機では、識別情報の変動表示に関する予告演出として、少なくとも、第１予告演出と第２予告演出を有しており、識別情報の変動表示中に第１予告演出と第２予告演出の何れか一方を実行する場合と、第１予告演出と第２予告演出の双方を実行する場合とがあるものとなっている。これにより、識別情報の変動表示中における予告演出の実行態様に遊技者の興味を惹きつけることが可能となり、延いては遊技興趣を向上させることが可能となる。
【０３０５】
（２−２）上記（２−１）の遊技機において、
前記予告演出実行手段は、前記第１予告演出と前記第２予告演出を、それぞれ所定期間実行することが可能であり、
前記識別情報の変動表示中に前記第１予告演出と前記第２予告演出の双方を実行する場合、前記第１予告演出と前記第２予告演出の何れか一方の予告演出を開始した後、該一方の予告演出の実行期間中に他方の予告演出を開始する
ことを特徴とする遊技機。
【０３０６】
上記（２−２）の遊技機では、第１予告演出と第２予告演出を、それぞれ所定期間実行することが可能となっており、識別情報の変動表示中に第１予告演出と第２予告演出の双方を実行する場合、第１予告演出と第２予告演出の何れか一方の予告演出を開始した後、該一方の予告演出の実行期間中に他方の予告演出を開始するものとなっている。これにより、第１予告演出と第２予告演出の実行時期が重なって、各予告演出が同時期に実行されることとなるため、これらの予告演出に遊技者の興味を惹きつけることが可能となる。
【０３０７】
（２−３）上記（２−２）の遊技機において、
前記第２予告演出の方が前記第１予告演出よりも先に終了する
ことを特徴とする遊技機。
【０３０８】
上記（２−３）の遊技機では、識別情報の変動表示中に第１予告演出と第２予告演出の双方が実行される場合、第２予告演出の方が第１予告演出よりも先に終了するものとなっている。これにより、遊技者にしてみれば、予告演出の終期の違いにより第１予告演出と第２予告演出の区別が可能となるため、夫々の予告演出に遊技者の興味を惹きつけることが可能となる。
【０３０９】
（２−４）上記（２−１）から（２−３）の何れか一つの遊技機において、
前記第１予告演出および前記第２予告演出は、前記識別情報の変動表示の表示結果が特定表示結果となる可能性を示唆するものであり、
前記識別情報の変動表示中に前記第１予告演出と前記第２予告演出の双方を実行する場合、前記第１予告演出が示唆する前記可能性と、前記第２予告演出が示唆する前記可能性とが異なる
ことを特徴とする遊技機。
【０３１０】
上記（２−４）の遊技機では、第１予告演出および第２予告演出が、識別情報の変動表示の表示結果が特定表示結果となる可能性（信頼度）を示唆するものとなっており、識別情報の変動表示中に第１予告演出と第２予告演出の双方が実行される場合、第１予告演出が示唆する信頼度と、第２予告演出が示唆する信頼度とが異なるものとなっている。これにより、識別情報の変動表示中に実行される夫々の予告演出に遊技者の興味を惹きつけることが可能となる。
【０３１１】
（２−５）上記（２−１）から（２−４）の何れか一つの遊技機において、
予告演出パターンを複数記憶する予告演出パターン記憶手段と、
前記予告演出実行手段が予告演出を実行する場合に、該実行する予告演出の演出パターンを、前記予告演出パターン記憶手段に記憶された予告演出パターンの中から選択する予告演出パターン選択手段と、を備え、
前記予告演出実行手段は、前記予告演出パターン選択手段により選択された予告演出パターンに基づいて予告演出を実行するものであり、
前記予告演出パターン選択手段は、前記予告演出実行手段が前記識別情報の変動表示中に前記第１予告演出と前記第２予告演出の双方を実行する場合、前記第１予告演出の予告演出パターンを選択するとともに、該選択した予告演出パターンに基づいて前記第２予告演出の予告演出パターンを選択する
ことを特徴とする遊技機。
【０３１２】
上記（２−５）の遊技機では、予告演出の実行に際し、該実行する予告演出の演出パターンを、予告演出パターン記憶手段に記憶された複数の予告演出パターンの中から選択し、該選択した予告演出パターンに基づいて予告演出を実行するものとなっている。そして、識別情報の変動表示中に第１予告演出と第２予告演出の双方を実行する場合、第１予告演出の予告演出パターンを選択するとともに、該選択した第１予告演出の予告演出パターンに基づいて、第２予告演出の予告演出パターンを選択するものとなっている。これにより、識別情報の変動表示中に第１予告演出と第２予告演出の双方を実行する場合の夫々の予告演出パターンを適切なものとすることが可能となる。
【０３１３】
（２−６）上記（２−５）の遊技機において、
前記予告演出パターン記憶手段に記憶される予告演出パターンのうち特定の予告演出パターンには、前記第１予告演出に対応するパターンと前記第２予告演出に対応するパターンとがある
ことを特徴とする遊技機。
【０３１４】
上記（２−６）の遊技機では、予告演出パターン記憶手段に記憶される予告演出パターンのうち特定の予告演出パターンには、第１予告演出に対応するパターンと第２予告演出に対応するパターンとが設けられている。このため、特定の予告演出パターンについては、第１予告演出として実行される場合と、第２予告演出として実行される場合とがある。これにより、識別情報の変動表示中に実行される予告演出に遊技者の興味を惹きつけることが可能となる。
【０３１５】
（２−７）上記（２−１）から（２−６）の何れか一つの遊技機において、
前記第１予告演出および前記第２予告演出は、前記識別情報の変動表示中であって該変動表示の開始から所定期間が経過するまでに実行可能な予告演出である
ことを特徴とする遊技機。
【０３１６】
上記（２−７）の遊技機では、第１予告演出および第２予告演出が、識別情報の変動表示中であって該変動表示の開始から所定期間が経過するまでに実行可能な予告演出となっている。これにより、変動表示の開始当初の興趣を向上させることが可能となる。
【０３１７】
（３−１）所定条件の成立に基づいて識別情報の変動表示を行い、前記識別情報の変動表示の表示結果が特定表示結果となることに基づいて、遊技者に所定の利益を付与し得る特別遊技が実行可能となる遊技機であって、
前記識別情報の変動表示に関する予告演出を実行可能な予告演出実行手段を備え、
前記予告演出には、少なくとも、複数の予告演出からなる特定予告種の予告演出があり、
前記予告演出実行手段は、前記識別情報の変動表示中であって該変動表示の開始から所定期間が経過するまでに、前記特定予告種の２以上の予告演出を実行可能であり、
前記２以上の予告演出が同時期に実行される場合がある
ことを特徴とする遊技機。
【０３１８】
上記（３−１）の遊技機では、識別情報の変動表示に関する予告演出として、少なくとも、複数の予告演出からなる特定予告種の予告演出が設けられており、識別情報の変動表示中であって該変動表示の開始から所定期間が経過するまでに特定予告種の２以上の予告演出を実行可能であって、夫々の予告演出が同時期に実行される場合があるものとなっている。これにより、変動表示の開始当初において同時期に実行される特定予告種の２以上の予告演出に遊技者の興味を惹きつけることが可能となり、延いては遊技興趣を向上させることが可能となる。
【０３１９】
尚、「２以上の予告演出が同時期に実行される場合がある」の「同時期」とは、２以上の予告演出の夫々の実行時期の一部または全部が重なったり、一の予告演出の実行期間内に他の予告演出の実行期間が収まったりする等、２以上の予告演出の夫々の実行時期が互いに重なることを意味する。
【０３２０】
（３−２）上記（３−１）の遊技機において、
前記予告演出実行手段は、前記識別情報の変動表示中であって該変動表示の開始から所定期間が経過するまでに、前記特定予告種の２以上の予告演出を実行する場合、前記２以上の予告演出をそれぞれ異なる時期に開始可能である
ことを特徴とする遊技機。
【０３２１】
上記（３−２）の遊技機では、識別情報の変動表示中であって該変動表示の開始から所定期間が経過するまでに、特定予告種の２以上の予告演出を実行する場合、当該２以上の予告演出をそれぞれ異なる時期に開始可能となっている。これにより、識別情報の変動表示中における特定予告種の２以上の予告演出の開始時期にバラツキを持たせることが可能となり、夫々の予告演出に遊技者の興味を惹きつけることが可能となる。
【０３２２】
（３−３）上記（３−１）または（３−２）の遊技機において、
前記２以上の予告演出が同時期に実行される場合、何れかの予告演出が他の予告演出よりも先に終了する
ことを特徴とする遊技機。
【０３２３】
上記（３−３）の遊技機では、特定予告種の２以上の予告演出が同時期に実行される場合、何れかの予告演出が他の予告演出よりも先に終了するものとなっている。これにより、同時期に実行される２以上の予告演出の夫々の終期に違いを持たせて、予告演出に対する遊技者の興味を惹きつけることが可能となる。
【０３２４】
（３−４）上記（３−１）から（３−３）の何れか一つの遊技機において、
前記特定予告種の予告演出は、前記識別情報の変動表示の表示結果が特定表示結果となる可能性を示唆するものであり、
前記２以上の予告演出が同時期に実行される場合、それぞれの予告演出の示唆する前記可能性が異なる
ことを特徴とする遊技機。
【０３２５】
上記（３−４）の遊技機では、特定予告種の予告演出が、識別情報の変動表示の表示結果が特定表示結果となる可能性（信頼度）を示唆するものとなっており、識別情報の変動表示中に特定予告種の２以上の予告演出が同時期に実行される場合、それぞれの予告演出が示唆する信頼度が異なるものとなっている。これにより、識別情報の変動表示中に実行される夫々の予告演出に遊技者の興味を惹きつけることが可能となる。
【０３２６】
（３−５）上記（３−１）から（３−４）の何れか一つの遊技機において、
前記予告演出には、前記特定予告種と異なる予告演出であって、複数の予告演出からなる他の予告種の予告演出があり、
前記予告演出実行手段は、前記識別情報の変動表示中であって該変動表示の開始から所定期間が経過するまでに、前記特定予告種の１の予告演出と、前記他の予告種の１または２以上の予告演出を実行可能であり、
前記特定予告種の１の予告演出と、前記他の予告種の１または２以上の予告演出とが同時期に実行される場合がある
ことを特徴とする遊技機。
【０３２７】
上記（３−５）の遊技機では、予告演出として、特定予告種と異なる予告演出であって、複数の予告演出からなる他の予告種の予告演出が設けられており、識別情報の変動表示中であって該変動表示の開始から所定期間が経過するまでに、特定予告種の１の予告演出と、他の予告種の１または２以上の予告演出を実行可能であって、特定予告種の１の予告演出と、他の予告種の１または２以上の予告演出とが同時期に実行される場合があるものとなっている。このため、変動表示の開始当初において、特定予告種の２以上の予告演出（特定予告種同士の予告演出）が同時期に実行され得るだけでなく、特定予告種の予告演出と他の予告種の予告演出とが同時期に実行され得ることとなる。これにより、変動表示の開始当初における予告演出の実行態様を多様にすることが可能となる。
【符号の説明】
【０３２８】
１  パチンコ遊技機、２  遊技盤、３  遊技領域、４  レール部材、５  盤面ランプ、６  球戻り防止片、７  画像表示装置、７ａ  表示画面、８  演出図柄、９ａ  第１演出保留、９ｂ  第２演出保留、９ｃ  第１演出保留表示領域（第１演出保留表示部）、９ｄ  第２演出保留表示領域（第２演出保留表示部）、２０  第１始動口、２１  第２始動口、２８  ゲート、３０  大入賞口、３１  大入賞装置、４１ａ  第１特別図柄表示器（第１特別図柄表示部）、４１ｂ  第２特別図柄表示器（第２特別図柄表示部）、８０  主制御基板（主制御部）、８１  遊技制御用マイコン、９０  サブ制御基板（サブ制御部）、９１  演出制御用マイコン、１００  画像制御基板（画像制御部）、１０１  画像制御用マイコン。
【図１】
2020005696.tif 000003
【図２】
2020005696.tif 000004
【図３】
2020005696.tif 000005
【図４】
2020005696.tif 000006
【図５】
2020005696.tif 000007
【図６】
2020005696.tif 000008
【図７】
2020005696.tif 000009
【図８】
2020005696.tif 000010
【図９】
2020005696.tif 000011
【図１０】
2020005696.tif 000012
【図１１】
2020005696.tif 000013
【図１２】
2020005696.tif 000014
【図１３】
2020005696.tif 000015
【図１４】
2020005696.tif 000016
【図１５】
2020005696.tif 000017
【図１６】
2020005696.tif 000018
【図１７】
2020005696.tif 000019
【図１８】
2020005696.tif 000020
【図１９】
2020005696.tif 000021
【図２０】
2020005696.tif 000022
【図２１】
2020005696.tif 000023
【図２２】
2020005696.tif 000024
【図２３】
2020005696.tif 000025
【図２４】
2020005696.tif 000026
【図２５】
2020005696.tif 000027
【図２６】
2020005696.tif 000028
【図２７】
2020005696.tif 000029
【図２８】
2020005696.tif 000030
【図２９】
2020005696.tif 000031
【図３０】
2020005696.tif 000032
【図３１】
2020005696.tif 000033
【図３２】
2020005696.tif 000034
【図３３】
2020005696.tif 000035
【図３４】
2020005696.tif 000036
【図３５】
2020005696.tif 000037
【図３６】
2020005696.tif 000038
【図３７】
2020005696.tif 000039
【図３８】
2020005696.tif 000040
【図３９】
2020005696.tif 000041
【図４０】
2020005696.tif 000042
【図４１】
2020005696.tif 000043
【図４２】
2020005696.tif 000044
【図４３】
2020005696.tif 000045
【図４４】
2020005696.tif 000046
【図４５】
2020005696.tif 000047
【図４６】
2020005696.tif 000048
【図４７】
2020005696.tif 000049
【図４８】
2020005696.tif 000050
【図４９】
2020005696.tif 000051